(57)【要約】  対象の持続型インスリン薬剤投与量を調節するためのシステムおよび方法が提供される。対象の複数のタイムスタンプされたグルコース測定値が入手される。タイトレーショングルコースレベル（２４６）は、タイムスタンプされたグルコース測定値内で識別される小さいグルコース測定値のタイトレーションサブセット（２４０、２６９、２７３）の尺度の中心傾向（２４４、２６８、２７４）として算出され、尺度の中心傾向は、一次時間枠の小さいグルコース測定値の尺度を表す。持続型インスリン薬剤投与量（２１６）は、入手されたタイトレーショングルコースレベル（２４６）に基づいて調節または維持される。【選択図】図１
2020524844.tif 000002
【特許請求の範囲】
【請求項１】
対象の規定のインスリンレジメンにおける持続型インスリン薬剤投与量を調節するためのデバイス（２５０）であって、前記デバイスが、１つ以上のプロセッサ（２７４）およびメモリ（１９２／２９０）を備え、前記メモリが、
基礎インスリン薬剤投与量レジメン（２１４）を含む前記規定のインスリンレジメン（２１２）であって、前記基礎インスリン薬剤投与量レジメンが持続型インスリン薬剤投与量（２１６）の量を特定する、前記規定のインスリンレジメン（２１２）と、インスリン状態インジケータ（２１１）であって、前記インスリン状態インジケータ（２１１）が、一次時間枠内のグルコース測定値が速効型インスリン薬剤によって影響され得る速効型インスリンの影響状態、および前記一次時間枠内の前記グルコース測定値が持続型インスリン薬剤によって影響され得るが、前記測定値が速効型インスリン薬剤によって影響され得ない持続型インスリンのみの影響状態を示すことができる、インスリン状態インジケータ（２１１）と、命令と、を含む、第１のデータ構造（２１０）を含み、前記命令が、前記１つ以上のプロセッサによって実行されるとき、
（Ａ）第１のデータセット（２２８）を入手することであって、前記第１のデータセットが、時間経過にわたって取得された前記対象の複数のグルコース測定値、および前記複数のグルコース測定値の各それぞれのグルコース測定値（２３０）に対する、前記時間経過中で前記それぞれのグルコース測定値がいつ取られたかを表す対応するタイムスタンプ（２３２）を含む、第１のデータセット（２２８）を入手することと、
（Ｂ）小さいグルコース測定値および前記インスリン状態インジケータ（２１１）の前記状態に基づいて、タイトレーショングルコースレベル（２４６）を入手することであって、
（ｉ）前記タイトレーショングルコースレベルを識別するために使用される前記第１のデータセットにおける前記グルコース測定値（２３６）を含む期間を定義する、前記時間経過内の一次時間枠（２３３）を入手すること、
（ｉｉ）前記一次時間枠（２３３）内の小さいグルコース測定値のサブセットとして識別される、小さいグルコース測定値のタイトレーションサブセット（２４０、２６９、２７３）を識別すること、
（ｉｉｉ）前記小さいグルコース測定値のタイトレーションサブセット（２４０、２６９、２７３）の尺度の中心傾向（２４４、２６８、２７４）として算出された、前記タイトレーショングルコースレベル（２４６）を入手することであって、前記尺度の中心傾向が、前記一次時間枠の小さいグルコース測定値の尺度を表す、前記タイトレーショングルコースレベル（２４６）を入手すること、および
（ｉｖ）前記タイトレーショングルコースレベル（２４６）を前記尺度の中心傾向（２４４、２６８、２７４）と関連付けること、によってタイトレーショングルコースレベル（２４６）を入手することと、
（Ｃ）前記入手されたタイトレーショングルコースレベル（２４６）に基づいて、前記持続型インスリン薬剤投与量（２１６）を調節または維持すること、の方法を実施する、デバイス。
【請求項２】
ステップＢでの前記タイトレーショングルコースレベル（２４６）の前記入手が、
前記インスリン状態インジケータの状態に基づいて、次の評価モード：
（Ｂ１）第１の評価モードでの前記一次時間枠では、（ｉ）前記小さいグルコース測定値のタイトレーションサブセット（２４０）用に選択されるグルコース測定回数を定義する整数（２３４）を入手し、（ｉｉ）最も小さいグルコース測定値のサブセットとして、前記一次時間枠（２３３）内の前記最も小さいグルコース測定値を識別および選択することによって、前記小さいグルコース測定値のタイトレーションサブセット（２４０）を識別および選択し、前記小さいグルコース測定値のタイトレーションサブセット（２４０）内の前記測定回数が、前記入手した整数（２３４）と等しいことを確認し、（ｉｉｉ）第１のグルコース尺度の中心傾向（２４４）として、かつ前記小さいグルコース測定値の前記サブセット（２４０）内の前記グルコース測定値の尺度の中心傾向として算出された前記尺度の中心傾向を入手し、
前記タイトレーショングルコースレベル（２４６）を前記第１のグルコース尺度の中心傾向（２４４）と関連付けるモード、
（Ｂ２）第２の評価モードの前記一次時間枠（２３３）では、前記一次時間枠（２３３）内の複数の同時に重複する二次時間枠（２６０）を入手し、各二次時間枠（２６２）が、前記一次時間枠（２３３）での前記グルコース測定値のサブセット（２３６）である、重複するグルコース測定値のサブセット（２６４）を含み、
前記複数の二次時間枠（２６０）内の各二次時間枠（２６２）では、対応する第２のグルコース尺度の中心傾向（２６７）を算出し、それにより複数の第２のグルコース尺度の中心傾向を入手し、各それぞれの第２のグルコース尺度の中心傾向（２６７）が、前記対応する二次時間枠（２６２）内の前記グルコース測定値の尺度の中心傾向として算出され、
前記複数の第２のグルコース尺度の中心傾向では、最も小さい第２のグルコース尺度の中心傾向（２６８）を前記複数の第２のグルコース尺度の中心傾向内の前記最も小さい第２のグルコース尺度の中心傾向として識別し、それにより、前記小さいグルコース測定値のタイトレーションサブセット（２６９）が、前記最も小さい第２のグルコース尺度の中心傾向（２６８）に対応する前記二次時間枠（２６２）内の前記グルコース測定値を含む前記サブセットとして識別され、
前記タイトレーショングルコースレベル（２４６）を前記最も小さい第２のグルコース尺度の中心傾向（２６８）と関連付けるモード、または
（Ｂ３）第３の評価モードの前記一次時間枠（２３３）では、前記一次時間枠（２３３）内の複数の同時に重複する二次時間枠（２６０）を入手し、各二次時間枠（２６２）が、前記一次時間枠（２３３）での前記グルコース測定値のサブセット（２３６）である、重複するグルコース測定値のサブセット（２６４）を含み、
前記複数の二次時間枠（２６０）内の各二次時間枠（２６２）では、対応するグルコース尺度の変動（２７１）を算出し、それにより複数のグルコース尺度の変動を入手し、各それぞれのグルコース尺度の変動（２７１）が、前記対応する二次時間枠（２６２）内の前記グルコース測定値の尺度の変動として算出され、
前記複数のグルコース尺度の変動では、最も小さいグルコース尺度の変動（２７２）を前記複数のグルコース尺度の変動内の前記最も小さいグルコース尺度の変動として識別し、それにより、前記小さいグルコース測定値のタイトレーションサブセット（２７３）が、前記最も小さいグルコース尺度の変動（２７２）に対応する前記二次時間枠（２６２）内の前記グルコース測定値を含む前記サブセットとして識別され、
最も小さい第３のグルコース尺度の中心傾向（２７４）を、前記小さいグルコース測定値のタイトレーションサブセット（２７３）の尺度の中心傾向として算出し、
前記タイトレーショングルコースレベル（２４６）を前記最も小さい第３のグルコース尺度の中心傾向（２７４）と関連付けるモード、のうちの１つを選択することをさらに含む、請求項１に記載のデバイス。
【請求項３】
前記方法が、
前記インスリン状態インジケータ（２１１）の前記状態を識別することに応じて、前記インスリン状態インジケータの前記状態が前記持続型インスリンのみの影響状態として識別されると、前記第１または前記第２の評価モードを選択し、それにより速効型インスリン薬剤が前記グルコース測定値（２３６）に影響していないことが確認されると、持続型インスリン薬剤を用いるタイトレーションに好ましい前記タイトレーショングルコースレベル（２４６）を入手するための好ましい方法を使用することをさらに含む、請求項１または２のいずれかに記載のデバイス。
【請求項４】
前記方法が、
前記インスリン状態インジケータ（３１０）の前記状態を識別することに応じて、
前記インスリン状態インジケータの前記状態が前記速効型インスリンの影響状態として識別されると、前記第３の評価モードを選択し、それにより速効型インスリン薬剤が前記グルコース測定値（２３６）に影響し得ることが識別されると、持続型インスリン薬剤を用いるタイトレーションに好ましい前記タイトレーショングルコースレベル（２４６）を入手するための好ましい方法を使用することをさらに含む、請求項１または２のいずれかに記載のデバイス。
【請求項５】
前記方法が、
前記対象によって使用された１つ以上のインスリンペン（１０４）からの第２のデータセット（３２０）を入手して、前記規定のインスリンレジメンを適用することであって、前記第２のデータセットが時間経過にわたる複数のインスリン薬剤記録を含み、複数の薬剤記録の各インスリン薬剤記録（３２１）が、（ｉ）１つ以上のインスリンペン（１０４）のそれぞれのインスリンペンを使用して前記対象へのインスリン薬剤注入を表す、それぞれのインスリン薬剤注入イベント（３２２）、および（ｉｉ）前記それぞれのインスリン薬剤注入イベントの発生時に前記それぞれのインスリンペンによって自動的に生成される、対応する電子タイムスタンプ（３２３）、（ｉｉｉ）前記注入されたインスリン薬剤が速効型インスリン薬剤の種類か、または持続型インスリン薬剤の種類かを示す、インスリン薬剤の種類、を含む、前記規定のインスリンレジメンを適用することをさらに含む、実施形態１〜４のいずれか１つに記載のデバイス。
【請求項６】
前記規定のインスリンレジメンが、ボーラスインスリン薬剤投与量レジメンをさらに含み、前記ボーラスインスリン薬剤投与量レジメンが、前記速効型インスリン投与量を特定する、請求項１〜５のいずれかに記載のデバイス。
【請求項７】
前記規定のインスリンレジメン２１２が、前記速効型インスリン薬剤の作用持続時間をさらに含み、薬剤の前記作用持続時間が測定可能な薬剤効果が維持される前記持続時間を特定し、それにより前記グルコースレベルに影響を与える、請求項５または６のいずれかに記載のデバイス。
【請求項８】
前記規定のインスリンレジメン２１２が、前記持続型インスリン薬剤の作用持続時間を含み、薬剤の前記作用持続時間が測定可能な薬剤効果が維持される前記持続時間を特定し、それにより前記グルコースレベルに影響を与える、請求項５〜７のいずれかに記載のデバイス。
【請求項９】
前記インスリン状態インジケータ２１１が、前記第２のデータセットおよび前記速効型インスリン薬剤の前記作用持続時間に基づいて、前記速効型インスリンの影響状態を示す、請求項５〜７のいずれかに記載のデバイス。
【請求項１０】
前記インスリン状態インジケータ２１１が、前記第２のデータセットおよび前記速効型インスリン薬剤の前記作用持続時間に基づいて、前記持続型インスリンのみの影響状態を示す、請求項５〜９のいずれかに記載のデバイス。
【請求項１１】
前記第１のデータ構造が、低血糖リスク状態インジケータをさらに含み、前記低血糖リスク状態インジケータが、前記対象が高い低血糖リスクを有し得るか、あるいは前記複数のグルコース測定値にわたる高い変動が観察され得る高い低血糖リスク状態、および前記対象が高くない低血糖リスクを有し得るか、あるいは前記複数のグルコース測定値にわたる低い変動が観察され得る高くない低血糖リスク状態を示すことができ、前記方法が、
低血糖リスク状態インジケータの状態を識別することに応じて、
前記低血糖リスク状態インジケータの前記状態が、前記高い低血糖リスク状態として識別されると、前記第１の評価モードを選択し、それにより低グルコース値およびノイズにより感受性の高い前記タイトレーショングルコースレベル（２４６）を入手するための方法を使用することを、さらに含む、請求項１〜１０のいずれかに記載のデバイス。
【請求項１２】
前記二次時間枠が、５０分〜７０分、６０分〜１２０分、１２０分〜１８０分、または１８０分〜３００分である、請求項２〜８のいずれかに記載のデバイス。
【請求項１３】
前記複数のグルコース測定値の連続する測定値が、４分〜６分の間隔で前記対象から自律的に取得され、前記二次時間枠が、１８０分〜３００分である、請求項２〜９のいずれかに記載のデバイス。
【請求項１４】
１つ以上のプロセッサおよびメモリを備えるコンピュータで、対象の規定のインスリンレジメンにおける持続型インスリン薬剤投与量を自律的に調節するための方法であって、
前記メモリが、
基礎インスリン薬剤投与量レジメン（２１４）を含む前記規定のインスリンレジメン（２１２）であって、前記基礎インスリン薬剤投与量レジメンが持続型インスリン薬剤投与量（２１６）の量を特定する、前記規定のインスリンレジメン（２１２）と、インスリン状態インジケータ（２１１）であって、前記インスリン状態インジケータ（２１１）が、前記一次時間枠内の前記グルコース測定値が速効型インスリン薬剤によって影響され得る速効型インスリンの影響状態、および前記一次時間枠内の前記グルコース測定値が持続型インスリン薬剤によって影響され得るが、前記測定値が速効型インスリン薬剤によって影響され得ない持続型インスリンのみの影響状態を示すことができる、インスリン状態インジケータ（２１１）と、メモリを含む、第１のデータ構造（２１０）を記憶し、前記メモリがさらに命令を記憶し、前記命令が、前記１つ以上のプロセッサによって実行されるとき、
（Ａ）第１のデータセット（２２８）を入手することであって、前記第１のデータセットが、時間経過にわたって取得された前記対象の複数のグルコース測定値、および前記複数のグルコース測定値の各それぞれのグルコース測定値（２３０）に対する、前記時間経過中で前記それぞれのグルコース測定値がいつ取られたかを表す対応するタイムスタンプ（２３２）を含む、第１のデータセット（２２８）を入手することと、
（Ｂ）小さいグルコース測定値および前記インスリン状態インジケータ（２１１）の前記状態に基づいて、タイトレーショングルコースレベル（２４６）を入手することであって、
（ｉ）前記タイトレーショングルコースレベルを識別するために使用される前記第１のデータセットにおける前記グルコース測定値（２３６）を含む期間を定義する、前記時間経過内の一次時間枠（２３３）を入手すること、
（ｉｉ）前記一次時間枠（２３３）内の小さいグルコース測定値のサブセットとして識別される、小さいグルコース測定値のタイトレーションサブセット（２４０、２６９、２７３）を識別すること、
（ｉｉｉ）前記小さいグルコース測定値のタイトレーションサブセット（２４０、２６９、２７３）の尺度の中心傾向（２４４、２６８、２７４）として算出された、前記タイトレーショングルコースレベル（２４６）を入手することであって、前記尺度の中心傾向が、前記一次時間枠の小さいグルコース測定値の尺度を表す、前記タイトレーショングルコースレベル（２４６）を入手すること、および
（ｉｖ）前記タイトレーショングルコースレベル（２４６）を前記尺度の中心傾向（２４４、２６８、２７４）と関連付けること、によってタイトレーショングルコースレベル（２４６）を入手することと、
（Ｃ）前記入手されたタイトレーショングルコースレベル（２４６）に基づいて、前記持続型インスリン薬剤投与量（２１６）を調節または維持することとを、実施する方法。
【請求項１５】
１つ以上のプロセッサおよびメモリを有するコンピュータによって実行されるとき、請求項１２に記載の方法を実施する命令を含む、コンピュータプログラム。
【発明の詳細な説明】
【技術分野】
【０００１】
本開示は、一般に、時間経過にわたり取得される、対象の複数のグルコース測定値内の小さいグルコース測定値のサブセットとして識別される、小さいグルコース測定値のタイトレーションサブセットに基づいて、対象の規定のインスリンレジメンにおける持続型インスリン薬剤投与量を調節または維持するための、システム、コンピュータプログラム、およびコンピュータプログラムを記憶するコンピュータ可読データ担体、ならびに方法に関する。
【背景技術】
【０００２】
２型糖尿病は、正常な生理的インスリン分泌の進行性の妨害を特徴とする。健康な個体では、膵β細胞による基礎インスリン分泌が連続的に起こり、食間で長期間にわたって定常グルコースレベルを維持する。健康な個体では、食事に応じて初期の第１相スパイクでインスリンが急速に放出され、２〜３時間後に基礎レベルに戻る長時間のインスリン分泌が続く、食事による分泌もある。
【０００３】
インスリンは、インスリン受容体に結合して、グルコース、アミノ酸、および脂肪酸の骨格筋および脂肪への細胞取り込みを促進し、肝臓からのグルコースの排出を阻害することによって、血糖を下げるホルモンである。健常な個体では、生理的な基礎インスリン分泌および食事によるインスリン分泌によって、空腹時血漿グルコース濃度および食後血漿グルコース濃度に影響を与える正常血糖が維持される。２型糖尿病では、基礎インスリン分泌および食事によるインスリン分泌が損なわれ、食後の早期の反応がない。これらの有害な事態に対処するために、２型糖尿病患者にはインスリン薬剤治療レジメンが提供される。これらの有害な事態に対処するために、1型糖尿病患者にはインスリン薬剤治療レジメンが提供される。これらのインスリン薬剤治療レジメンの最終目標は、低血糖症および高血糖症の推定リスクを最小限に抑えるであろう、望ましい空腹時血糖標的レベルを維持することである。
【０００４】
インスリン薬剤治療レジメンを施すために、調節可能なステップサイズ、ならびに生理学的パラメータ推定および所定の空腹時血糖標的値を用いるスマートタイトレータが開発されている。
【０００５】
連続グルコースモニタ（ＣＧＭ）は、日中および夜間グルコースレベルを監視し、グルコースレベルが高すぎるまたは低すぎるときを通知することができ、患者が対応することを可能にする、小型のウェアラブルデバイスである。
【０００６】
現在の標準的ケアは、患者がフィンガースティックおよびＳＭＢＧを繰り返すことによって血糖を自己測定することである。しかしながら、この実践には統一性がないという実態に起因して、高血糖または低血糖イベントが見逃される場合があり、実際の測定時点は、推奨される時点とは異なる（すなわち、非空腹時状態で空腹時血糖が測定される）場合があり、推奨される測定回数に準拠するには障壁となり得る（“Ｔｈｅ  Ｒａｔｉｏｎａｌｅ  ｆｏｒ  Ｃｏｎｔｉｎｏｕｓ  Ｇｌｕｃｏｓｅ  Ｍｏｎｉｔｏｒｉｎｇ−ｂａｓｅｄ  Ｄｉａｂｅｔｅｓ  Ｔｒｅａｔｍｅｎｔ  Ｄｅｃｉｓｉｏｎｓ  ａｎｄ  Ｎｏｎ−ａｄｊｕｎｇｔｉｖｅ  Ｃｏｎｔｉｎｏｕｓ  Ｇｌｕｃｏｓｅ  Ｍｏｎｉｔｏｒｉｎｇ  Ｕｓｅ”，Ｅｕｒｏｐｅａｎ  Ｅｎｄｏｃｒｉｎｏｌｏｇｙ，２０１６；１２（１）：２４−３０参照）。一般に、血糖計の推定値正確度は、ＣＧＭからの推定値と比較して良好であることが多い。
【０００７】
通常の状況下では、糖尿病患者は、ＳＭＢＧを使用して、朝食前のまだ空腹時に空腹時グルコースレベルを測定する。しかしながら、時折測定を忘れるおよび行わないか、または朝食を開始した後に行うかのいずれかであると、基礎インスリンタイトレーションに使用される空腹時グルコースレベルの精度が低減される。ＣＧＭデータがタイムスタンプされると、基礎インスリンタイトレーションに基づくＣＧＭデータからグルコースレベルを自動検出することによって、この使用エラーのリスクを低減すると期待されている。加えて、朝の空腹時グルコースレベルに基づく基礎インスリンタイトレーションは、暁現象に起因する朝のグルコースレベルの上昇に起因する、過剰なインスリン投与につながる場合がある（Ｓ．Ｗｏｌｆｅ，“Ｃｏｎｔｒｉｂｕｔｉｏｎ  ｏｆ  ｔｈｅ  ｄａｗｎ  ｐｈｅｎｏｍｅｎｏｎ  ｔｏ  ｔｈｅ  ｆａｓｔｉｎｇ  ａｎｄ  ｐｏｓｔｂｒｅａｋｆａｓｔ  ｈｙｐｅｒｇｌｙｃａｅｍｉａ  ｉｎ  ｔｙｐｅ  １  ｄｉａｂｅｔｅｓ  ｔｒｅａｔｅｄ  ｗｉｔｈ  ｏｎｃｅ−ｎｉｇｈｔｌｙ  ｉｎｓｕｌｉｎ  ｇｌａｒｇｉｎｅ”，Ｅｎｄｏｃｒ．Ｐｒａｃｔ．，ｙｅａｒ，１８，ｐｐ．５５８−５６２，２０１２参照）。
【０００８】
Ｈｙｇｉｅｉａ，Ｉｎｃ．による“Ｓｙｓｔｅｍ  ｆｏｒ  Ｏｐｔｉｍｉｚｉｎｇ  Ａ  Ｐａｔｉｅｎｔ’ｓ  Ｉｎｕｌｉｎ  Ｄｏｓａｇｅ  Ｒｅｇｉｍｅｎ”と題された、米国特許第８，３７０，０７７Ｂ２号は、入力値が患者の現在のインスリン投与量レジメンにおける１つ以上の構成要素に少なくとも対応し、かつデータ入力値が複数回で決定される患者の血糖レベル測定値に少なくとも対応する、患者のインスリン投与量レジメンを経時的に最適化するためのシステムについて開示している。複数回で決定された、患者の血糖レベル測定値に対応するデータ入力値から、患者の現在のインスリン投与量レジメンにおける１つ以上の構成要素のうちの少なくとも１つが変動しているか、かつどの程度変動しているかを決定して、所定の範囲内に患者の将来的な血糖レベル測定値を維持する。血糖レベル測定値は、読み取り値が入力された時間、具体的には、朝の測定値であるか、昼食前の測定値であるか、夕食前の測定値であるか、就寝時の測定値であるか、または夜間の測定値であるかどうか、を反映する識別子とタグ付けされている。
【０００９】
Ｒｏｃｈｅ  Ｄｉａｇｎｏｓｔｉｃｓ  Ｏｐｅｒａｔｉｏｎｓ，Ｉｎｃ．の“Ｉｎｓｕｌｉｎ  Ｏｐｔｉｍｉｚａｔｉｏｎ  Ｓｙｓｔｅｍｓ  ａｎｄ  Ｔｅｓｔｉｎｇ  Ｍｅｔｈｏｄｓ  ｗｉｔｈ  Ａｄｊｕｓｔｅｄ  Ｅｘｉｔ  Ｃｒｉｔｅｒｉｏｎ  Ａｃｃｏｕｎｔｉｎｇ  ｆｏｒ  Ｓｙｓｔｅｍ  Ｎｏｉｓｅ  Ａｓｓｏｃｉａｔｅｄ  ｗｉｔｈ  Ｂｉｏｍａｒｋｅｒｓ”と題された、米国特許公開第２０１１／３１３６７４Ａ号は、バイオマーカーデータのうちの少なくとも１つのサンプリングセットを収集することを含む糖尿病患者の治療を最適化するための方法について開示している。糖尿病患者は、各サンプリングセットが、収集期間にわたって記録された１つ以上のサンプリング例を含む、バイオマーカーデータのうちの１つ以上のサンプリングセットの収集を開始することができる。各サンプリング例は、１つ以上のバイオマーカー読み取り値を含む。サンプリングセットの収集期間は、１日のうちの複数のサンプリング例、１週間のうちの複数のサンプリング例、連続する数週間のうちの複数のサンプリング例、または１週間のうちの連続する数日の複数のサンプリング例として定義することができる。バイオマーカーは、グルコース、トリグリセリド、低密度脂質、および高密度脂質のレベルに関係し得る。例示的な一実施形態では、バイオマーカー読み取り値は、血糖読み取り値、具体的には空腹時血糖読み取り値である。バイオマーカー読み取り値に加えて、各サンプリング例は、バイオマーカー読み取り値、およびバイオマーカー読み取りに関連する他のコンテキストデータを含んでもよく、コンテキストデータは、収集時間、収集日、直前の食事を摂取した時間、インスリンの推奨用量、およびそれらの組み合わせからなる群から選択される。
【００１０】
Ｈｙｇｉｅｉａの“Ｓｙｓｔｅｍｓ，Ｍｅｔｈｏｄｓ  ａｎｄ  Ｄｅｖｉｃｅｓ  ｆｏｒ  Ａｃｈｉｅｖｉｎｇ  Ｇｌｙｃｅｍｉｃ  Ｂａｌａｎｃｅ”と題された、米国特許公開第２０１１／０３１９３２２号は、患者の現在のインスリン投与量レジメンにおける１つ以上の構成要素に少なくとも対応するデータ入力値、および複数回で決定される患者の血糖レベル測定値に少なくとも対応するデータ入力値を記憶するための、少なくとも第１のメモリと、少なくとも第１のメモリに操作可能に接続しているプロセッサと、を備える、患者のインスリン投与量レジメンを経時的に最適化するためのシステムについて開示している。プロセッサは、所定の範囲内に患者の将来的な血糖レベル測定値を維持するために、複数回で決定された、患者の血糖レベル測定値に対応するデータ入力値から、患者の現在のインスリン投与量レジメンにおける１つ以上の構成要素のうちの少なくとも１つが変動しているか、かつどの程度変動しているかを少なくとも決定するようプログラムされている。
【００１１】
Ａｂｂｏｔｔ  Ｄｉａｂｅｔｅｓ  Ｃａｒｅ，Ｉｎｃの“Ｍｕｌｔｉ−Ｆｕｎｃｔｉｏｎ  Ａｎａｌｙｔｅ  Ｍｏｎｉｔｏｒ  Ｄｅｖｉｃｅ  ａｎｄ  Ｍｅｔｈｏｄｓ  ｏｆ  ｕｓｅ”と題された、米国特許公開第２０１２／０２３２５２０号は、分析物サンプルを検出し、検出された分析物サンプルに関連する分析物濃度を決定し、決定された分析物濃度および決定された分析物濃度と関連する時間を記憶し、２つ以上の記憶されている分析物濃度を取得し、現在の投与レベルおよび２つ以上の取得された分析物濃度に関連するデータに少なくとも部分的に基づいて調節される用量レベルを決定するための方法、システム、およびデバイスについて開示している、が提供されている。例えば、持続型インスリンの投与量レベルの調節が、糖尿病および関係する状態の管理を補助するために提供され得る。
【００１２】
基礎インスリン療法では、頑強かつ信頼性の高いインスリンタイトレーションアルゴリズムが重要であり、新しい用量を計算するために使用されるグルコースレベルが重要であり、上の背景を考慮すると、当技術分野で必要とされるのは、改善されたインスリン薬剤タイトレーションを提供するシステムおよび方法である。
【発明の概要】
【００１３】
本開示は、改善されたインスリン薬剤タイトレーションを提供するためのシステムおよび方法のための、当技術分野における必要性に対処する。薬剤の量を調節するために使用されるグルコースレベルの入力値は、最適な日々の基礎用量または薬剤の量を決定するために重要な危機的なグルコースレベルを反映するべきである。低グルコース値は危機的であるので、グルコースレベルの入力値は、最適な日々の基礎用量を見出すことにおいても重要である。本明細書では、使用されるグルコースレベルとは、タイトレーショングルコースレベル（ＴＧＬ）としてのタイトレーションアルゴリズムへの入力値を指す。したがって、本開示によって解決される問題は、連続グルコースモニタ（ＣＧＭ）からのデータに基づいて、ＴＧＬを安全かつ自動的に検出することである。ＣＧＭデータまたは自律的に生成されタイムスタンプされるグルコースデータの、連続的またはほぼ連続的特徴は、基礎インスリンタイトレーションに基づいて、グルコースレベルをより精密にかつ動的に検出する機会を与える。さらなる態様では、ＴＧＬはまた、外因性速効型インスリン薬剤が注入され、短期間で血糖レベルに影響を与えるかどうかの指標にも基づく。本発明のさらなる態様は、連続またはほぼ連続グルコースデータに基づく、タイトレーショングルコースレベルの安全かつ自動的検出のためのシステムおよび方法を提供する。
【００１４】
連続グルコースモニタが安価かつより正確になると、Ｔ１およびＴ２糖尿病患者に技術がより広く使用されるようになるであろうことが推測される。本発明は、ＣＧＭデータに基づいてＴＧＬを決定することを可能にし、これは例えばＴ２Ｄ患者の基礎インスリンタイトレーションに有用である。一態様では、例えば２４時間の期間にわたるＣＧＭデータの最も低い平均グルコースを使用することで、多数の利益を安全に提供し、ＳＭＰＧ測定値がある時点のみを反映し、したがって最も低い空腹時グルコースの捕捉が確実でない空腹時ＳＭＰＧ測定値を使用することとは反対に、最も低いグルコース読み取り値は、持続型インスリンを用いるインスリン治療の重要な値である。一例としては、起床前に空腹時グルコースが上昇し、したがって朝の空腹時ＳＭＰＧ測定値が、夜間のよりも高い空腹時グルコース値を生じる暁効果である。所定の空腹期間とは対照的に、実生活での空腹期間は変動し、したがって空腹時としての所定の期間は、確実ではない。本発明の一態様では、ＣＧＭデータは、１組の規則を使用して分析され、空腹時グルコース当量がデータストリームから自動的に決定されることを可能にする。不十分な品質で、食事による人為結果によって影響され、残留インスリンによって影響されているデータを除外することによって、値である新造された「タイトレーショングルコースレベル」が決定される。
【００１５】
したがって、本開示の一態様は、対象の規定のインスリンレジメンにおける持続型インスリン薬剤投与量を自律的に調節するためのデバイスを提供し、デバイスが、１つ以上のプロセッサおよびメモリを備え、メモリが、
基礎インスリン薬剤投与量レジメンを含む規定のインスリンレジメンであって、基礎インスリン薬剤投与量レジメンが持続型インスリン薬剤投与量の量を特定する、規定のインスリンレジメンと、インスリン状態インジケータであって、インスリン状態インジケータが、一次時間枠内のグルコース測定値が速効型インスリン薬剤によって影響され得る速効型インスリンの影響状態、および一次時間枠内のグルコース測定値が持続型インスリン薬剤によって影響され得るが、測定値が速効型インスリン薬剤によって影響され得ない持続型インスリンのみの影響状態を示すことができる、インスリン状態インジケータと、命令と、を含む、第１のデータ構造を含み、命令が、１つ以上のプロセッサによって実行されるとき、
（Ａ）第１のデータセットを入手することであって、第１のデータセットが、時間経過にわたって取得された対象の複数のグルコース測定値、および複数のグルコース測定値の各それぞれのグルコース測定値に対する、時間経過中でそれぞれのグルコース測定値がいつとられたかを表す対応するタイムスタンプを含む、第１のデータセットを入手することと、
（Ｂ）小さいグルコース測定値およびインスリン状態インジケータの状態に基づいて、タイトレーショングルコースレベルを入手することであって、
（ｉ）タイトレーショングルコースレベルを識別するために使用される第１のデータセットにおけるグルコース測定値を含む期間を定義する、時間経過内の一次時間枠を入手すること、
（ｉｉ）一次時間枠内の小さいグルコース測定値のサブセットとして識別される、小さいグルコース測定値のタイトレーションサブセットを識別すること、
（ｉｉｉ）小さいグルコース測定値のタイトレーションサブセットの尺度の中心傾向として算出された、タイトレーショングルコースレベルを入手することであって、尺度の中心傾向が、一次時間枠の小さいグルコース測定値の尺度を表す、タイトレーショングルコースレベルを入手すること、および
（ｉｖ）タイトレーショングルコースレベルを尺度の中心傾向と関連付けること、によってタイトレーショングルコースレベルを入手することと、
（Ｃ）入手されたタイトレーショングルコースレベルに基づいて、持続型インスリン薬剤投与量を調節または維持すること、の方法を実施する。
【００１６】
本明細書では、入手されたグルコースタイトレーションレベルに基づいて持続型インスリン用量を調節するためのアルゴリズムに入力値として使用され得るグルコースタイトレーションレベルを自動的に入手するデバイスが提供され、グルコースタイトレーションレベルの評価が、血糖プロファイルの特徴、すなわち、血糖プロファイルが外因性速効型インスリンの影響を示しているかどうかに対して最適化される。言い換えれば、タイトレーショングルコースレベルの評価は、自動的であり、対象が従うまたは従うべき医療レジメンに適合する。提供されるデバイスは、一組の規則を使用してＣＧＭデータを分析し、それによりデータストリームからのタイトレーショングルコースレベルの自動決定を可能にする。不十分な品質で、食事による人為結果によって影響され、残留インスリンによって影響されているデータを除外することによって、タイトレーショングルコースレベル値が決定される。このようにして、主に持続型インスリン薬剤の影響に起因して小さいグルコース測定値が小さい、小さいグルコース測定値のタイトレーションサブセットは、インスリン状態インジケータに基づいて識別されることができる。インスリン状態インジケータが速効型インスリンによる影響を識別する場合、小さいグルコース測定値は、炭水化物およびボーラスインスリンの摂取から間隔を置いた期間のものである、すなわち空腹期間のものであることが見出されるであろう。
【００１７】
さらなる態様では、ステップＢでのタイトレーショングルコースレベルを入手することは、
インスリン状態インジケータの状態に基づいて、次の評価モード：
（Ｂ１）第１の評価モードでの一次時間枠では、（ｉ）小さいグルコース測定値のタイトレーションサブセット用に選択されるグルコース測定回数を定義する整数を入手し、（ｉｉ）最も小さいグルコース測定値のサブセットとして、一次時間枠内の最も小さいグルコース測定値を識別および選択することによって、小さいグルコース測定値のタイトレーションサブセットを識別および選択し、小さいグルコース測定値のタイトレーションサブセット内の測定回数が、入手した整数と等しいことを確認し、（ｉｉｉ）第１のグルコース尺度の中心傾向として、かつ小さいグルコース測定値のサブセット内のグルコース測定値の尺度の中心傾向として算出された尺度の中心傾向を入手し、
タイトレーショングルコースレベルを第１のグルコース尺度の中心傾向と関連付けるモード、
（Ｂ２）第２の評価モードの一次時間枠では、一次時間枠内の複数の同時に重複する二次時間枠を入手し、各二次時間枠が、一次時間枠でのグルコース測定値のサブセットである、重複するグルコース測定値のサブセットを含み、
複数の二次時間枠内の各二次時間枠では、対応する第２のグルコース尺度の中心傾向を算出し、それにより複数の第２のグルコース尺度の中心傾向を入手し、各それぞれの第２のグルコース尺度の中心傾向が、対応する二次時間枠内のグルコース測定値の尺度の中心傾向として算出され、それにより一次時間枠でのグルコース測定値にわたる尺度の中心傾向の移動期間または稼働期間を入手し、
複数の第２のグルコース尺度の中心傾向では、最も小さい第２のグルコース尺度の中心傾向を複数の第２のグルコース尺度の中心傾向内の最も小さい第２のグルコース尺度の中心傾向として識別し、それにより、小さいグルコース測定値のタイトレーションサブセットが、最も小さい第２のグルコース尺度の中心傾向に対応する二次時間枠内のグルコース測定値を含むサブセットとして識別され、
タイトレーショングルコースレベルを最も小さい第２のグルコース尺度の中心傾向と関連付けるモード、
（Ｂ３）第３の評価モードの一次時間枠では、一次時間枠内の複数の同時に重複する二次時間枠を入手し、各二次時間枠が、一次時間枠でのグルコース測定値のサブセットである、重複するグルコース測定値のサブセットを含み、
複数の二次時間枠内の各二次時間枠では、対応するグルコース尺度の変動を算出し、それにより複数のグルコース尺度の変動を入手し、各それぞれのグルコース尺度の変動が、対応する二次時間枠内のグルコース測定値の尺度の変動として算出され、それにより一次時間枠でのグルコース測定値にわたる尺度の変動の移動期間を入手し、
複数のグルコース尺度の変動では、最も小さいグルコース尺度の変動を複数のグルコース尺度の変動内の最も小さいグルコース尺度の変動として識別し、それにより、小さいグルコース測定値のタイトレーションサブセットが、最も小さいグルコース尺度の変動に対応する二次時間枠内のグルコース測定値を含むサブセットとして識別され、
最も小さい第３のグルコース尺度の中心傾向を、小さいグルコース測定値のタイトレーションサブセットの尺度の中心傾向として算出し、
タイトレーショングルコースレベルを最も小さい第３のグルコース尺度の中心傾向と関連付けるモード、のうちの１つを選択することをさらに含む。
【００１８】
さらなる態様では、方法は、
インスリン状態インジケータの状態を識別することに応じて、第１または第２の評価モードを選択し、インスリン状態インジケータの状態が持続型インスリンのみの影響状態として識別されると、それにより速効型インスリン薬剤がグルコース測定値に影響していないことが確認されると、持続型インスリン薬剤を用いるタイトレーションに好ましいタイトレーショングルコースレベルを入手するための好ましい方法を使用することをさらに含む。
【００１９】
さらなる態様では、方法は、
インスリン状態インジケータの状態を識別することに応じて、
インスリン状態インジケータの状態が速効型インスリンの影響状態として識別されると、第３の評価モードを選択し、それにより速効型インスリン薬剤がグルコース測定値に影響し得ることが識別されると、持続型インスリン薬剤を用いるタイトレーションに好ましいタイトレーショングルコースレベルを入手するための好ましい方法を使用することをさらに含む。
【００２０】
さらなる態様では、尺度の変動は分散であり、さらなる態様では、尺度の中心傾向は平均値である。さらなる態様では、方法は、繰り返し基準で繰り返される。
【００２１】
さらなる態様では、方法は、
対象によって使用された１つ以上のインスリンペンからの第２のデータセットを入手して、規定のインスリンレジメンを適用することであって、第２のデータセットが時間経過にわたる複数のインスリン薬剤記録を含み、複数の薬剤記録の各インスリン薬剤記録が、（ｉ）１つ以上のインスリンペンのそれぞれのインスリンペンを使用して対象へのインスリン薬剤注入を表す、それぞれのインスリン薬剤注入イベント、および（ｉｉ）それぞれのインスリン薬剤注入イベントの発生時にそれぞれのインスリンペンによって自動的に生成される、対応する電子タイムスタンプ、を含む、規定のインスリンレジメンを適用することと、
第１の評価モードでの第１のグルコース尺度の中心傾向では、第１のグルコース尺度の中心傾向を評価期間を表す三次時間枠と関連付けることであって、三次時間枠の最近の終点が、一次時間枠の最近の終点と同期され、一次枠および三次枠が同じ長さである、三次時間枠と関連付けること、
第２の評価モードでの複数の第２のグルコース尺度の中心傾向では、各それぞれの第２のグルコース尺度の中心傾向を、それぞれの第２のグルコース尺度の中心傾向の評価の時間を表す時間インジケータと関連付け、それにより評価期間を表す三次時間枠を定義する複数の時間インジケータを入手することであって、三次時間枠の最近の終点が、一次時間枠の最近の終点と同期され、三次時間枠の長さが、一次時間枠の長さよりも短い、複数の時間インジケータを入手すること、または
第３の評価モードでの複数のグルコース尺度の変動では、各それぞれのグルコース尺度の変動を、それぞれのグルコース尺度の変動の評価の時間を表す時間インジケータと関連付け、それにより評価期間を表す三次時間枠を定義する複数の時間インジケータを入手することであって、三次時間枠の最近の終点が、一次時間枠の最近の終点と同期され、三次時間枠の長さが、一次時間枠の長さよりも短い、複数の時間インジケータを入手すること、ならびに
タイトレーショングルコースレベルを三次時間枠と関連付けることと、
三次時間枠に第１の特徴解析を適用することであって、
第１の特徴解析が、基礎レジメン適合および基礎レジメン不適合のうちの１つであり、
第２のデータセットが、一時的かつ定量的基準に基づいて、それぞれの三次時間枠の間の規定の基礎インスリン薬剤投与量レジメンとの適合を確証する１つ以上の薬剤記録を含むと、三次時間枠が基礎レジメン適合と見なされ、
第２のデータセットが、一時的かつ定量的基準に基づいて、三次時間枠の間の規定の基礎インスリン薬剤投与量レジメンとの適合を確証する１つ以上の薬剤記録を含み損なうと、三次時間枠が基礎レジメン不適合と見なされ、
対象の基礎インスリン薬剤投与量レジメンにおける持続型インスリン薬剤投与量を調節することが、基礎レジメン適合と見なされる三次時間枠によって表されるタイトレーショングルコースレベルに基づき、かつ基礎レジメン不適合と見なされる三次時間枠によって表されるタイトレーショングルコースレベルを除外することによる、第１の特徴解析を適用することと、をさらに含む。
【００２２】
さらなる態様では、第１のデータ構造は、複数の連続するエポックを含み、各それぞれのエポックが、それぞれのエポック内で基礎インスリン薬剤が注入されるとき、および基礎インスリン薬剤が注入される量を示す基礎インスリン薬剤投与量と関連付けられ、それにより第１の特徴解析の一時的かつ定量的基準を提供する。
【００２３】
さらなる態様では、三次枠の長さは、エポックの各々の長さよりも長いか、または同じである。
【００２４】
さらなる態様では、三次時間枠の終点は、現在のエポックの終点と同期され、現在のエポックが複数のエポック内の最近完了したエポックである。
【００２５】
さらなる態様では、複数のエポックの各それぞれのエポックは三次時間枠と関連付けられ、それにより各三次時間枠が評価期間を表し、各三次枠が一時的基準に基づくそれぞれのエポックにアラインされ、各三次時間枠がタイトレーショングルコースレベルと関連付けられている、複数の三次時間枠を入手する。
【００２６】
さらなる態様では、第１のデータ構造は、複数のエポック内のエポックの各々の、持続型インスリン薬剤の投与の一時的かつ定量的基準の特定を含む。
【００２７】
さらなる態様では、持続型インスリン薬剤の定量的基準は、タイトレーショングルコースレベルに相関する。
【００２８】
さらなる態様では、一時的基準は、複数のエポック内の各エポックの１回の注入として特定される。
【００２９】
さらなる態様では、複数のエポックの各エポックは、暦日または暦週である。
【００３０】
さらなる態様では、複数のグルコース測定値の連続する測定値は、５分以下、３分以下、または１分以下の間隔で自律的に対象から取得される。
【００３１】
さらなる態様では、デバイスは、さらにワイヤレス受信機を備え、第１のデータセットが、対象に取り付けられたグルコースセンサからワイヤレスで入手され、かつ／あるいは第２のデータセットが、１つ以上のインスリンペンからワイヤレスで入手される。
【００３２】
さらなる態様では、第１のデータ構造は、低血糖リスク状態インジケータであって、低血糖リスク状態インジケータが、対象が高い低血糖リスクを有し得るか、あるいは複数のグルコース測定値にわたる高い変動が観察され得る高い低血糖リスク状態、および対象が高くない低血糖リスクを有し得るか、あるいは複数のグルコース測定値にわたる低い変動が観察され得る高くない低血糖リスク状態を示すことができる、低血糖リスク状態インジケータをさらに含み、方法が、
低血糖リスク状態インジケータの状態を識別することに応じて、
低血糖リスク状態インジケータの状態が、高い低血糖リスク状態として識別されると、第１の評価モードを選択し、それにより低グルコース値およびノイズにより感受性の高いタイトレーショングルコースレベル（２４６）を入手するための方法を使用することを、さらに含む。
【００３３】
さらなる態様では、二次時間枠は、５０分〜７０分、６０分〜１２０分、１２０分〜１８０分、または１８０分〜３００分である。
【００３４】
さらなる態様では、複数のグルコース測定値の連続する測定値は、４分〜６分の間隔で自律的に対象から取得され、二次時間枠は、５０分〜７０分である。
【００３５】
さらなる態様では、複数のグルコース測定値の連続する測定値は、４０分〜８０分の間隔で自律的に対象から取得され、二次時間枠は、１８０分〜３１０分である。
【００３６】
別の態様では、１つ以上のプロセッサおよびメモリを備えるコンピュータで、対象の規定のインスリンレジメンにおける持続型インスリン薬剤投与量を自律的に調節するための方法であって、
メモリが、
基礎インスリン薬剤投与量レジメンを含む規定のインスリンレジメンであって、基礎インスリン薬剤投与量レジメンが持続型インスリン薬剤投与量の量を特定する、規定のインスリンレジメンと、インスリン状態インジケータであって、インスリン状態インジケータが、一次時間枠内のグルコース測定値が速効型インスリン薬剤によって影響され得る速効型インスリンの影響状態、および一次時間枠内のグルコース測定値が持続型インスリン薬剤によって影響され得るが、測定値が速効型インスリン薬剤によって影響され得ない持続型インスリンのみの影響状態を示すことができる、インスリン状態インジケータと、メモリとを含む、第１のデータ構造を記憶し、メモリがさらに命令を記憶し、命令が、１つ以上のプロセッサによって実行されるとき、
（Ａ）第１のデータセットを入手することであって、第１のデータセットが、時間経過にわたって取得された対象の複数のグルコース測定値、および複数のグルコース測定値の各それぞれのグルコース測定値に対する、時間経過中でそれぞれのグルコース測定値がいつとられたかを表す対応するタイムスタンプを含む、第１のデータセットを入手することと、
（Ｂ）小さいグルコース測定値およびインスリン状態インジケータの状態に基づいて、タイトレーショングルコースレベルを入手することであって、
（ｉ）タイトレーショングルコースレベルを識別するために使用される第１のデータセットにおけるグルコース測定値を含む期間を定義する、時間経過内の一次時間枠を入手すること、
（ｉｉ）一次時間枠内の小さいグルコース測定値のサブセットとして識別される、小さいグルコース測定値のタイトレーションサブセットを識別すること、
（ｉｉｉ）小さいグルコース測定値のタイトレーションサブセットの尺度の中心傾向として算出された、タイトレーショングルコースレベルを入手することであって、尺度の中心傾向が、一次時間枠の小さいグルコース測定値の尺度を表す、タイトレーショングルコースレベルを入手すること、および
（ｉｖ）タイトレーショングルコースレベルを尺度の中心傾向と関連付けること、によってタイトレーショングルコースレベルを入手することと、
（Ｃ）入手されたタイトレーショングルコースレベルに基づいて、持続型インスリン薬剤投与量を調節または維持すること、の方法を実施する。
【００３７】
別の態様では、命令を含むコンピュータプログラムが提供され、１つ以上のプロセッサおよびメモリを有するコンピュータによって実行されるとき、上述の方法を実施する。
【００３８】
別の態様では、上述のコンピュータプログラムを記憶しているコンピュータ可読データ担体が提供される。
【００３９】
別の態様では、対象の規定のインスリンレジメンにおける持続型インスリン薬剤投与量を自律的に調節するためのデバイスが提供され、デバイスが、１つ以上のプロセッサおよびメモリを備え、メモリが、
基礎インスリン薬剤投与量レジメンを含む規定のインスリンレジメンであって、基礎インスリン薬剤投与量レジメンが、持続型インスリン薬剤投与量の量を特定する、規定のインスリンレジメンと、命令と、を含む、第１のデータ構造を含み、命令が、１つ以上のプロセッサによって実行されるとき、    
（Ａ）第１のデータセットを入手することであって、第１のデータセットが、時間経過にわたって取得された対象の複数のグルコース測定値、および複数のグルコース測定値の各それぞれのグルコース測定値に対する、時間経過中でそれぞれのグルコース測定値がいつとられたかを表す対応するタイムスタンプを含む、第１のデータセットを入手することと、
（Ｂ）タイトレーショングルコースレベルを入手することであって、
（ｉ）タイトレーショングルコースレベルを識別するために使用される第１のデータセットにおけるグルコース測定値を含む期間を定義する、時間経過内の一次時間枠を入手すること、
（ｉｉ）一次時間枠内の小さいグルコース測定値のサブセットとして識別される、小さいグルコース測定値のタイトレーションサブセットを識別すること、
（ｉｉｉ）小さいグルコース測定値のタイトレーションサブセットの尺度の中心傾向として算出された、タイトレーショングルコースレベルを入手することであって、尺度の中心傾向が、一次時間枠の小さいグルコース測定値の尺度を表す、タイトレーショングルコースレベルを入手すること、および
（ｉｖ）タイトレーショングルコースレベルを尺度の中心傾向と関連付けることによって、タイトレーショングルコースレベルを入手することと、
（Ｃ）入手されたタイトレーショングルコースレベルに基づいて、持続型インスリン薬剤投与量を調節または維持すること、の方法を実施する。
【００４０】
デバイスのさらなる態様では、ステップＢでのタイトレーショングルコースレベルを入手することは、
次の評価モード：
（Ｂ１）第１の評価モードでの一次時間枠では、（ｉ）グルコース測定値のサブセット用に選択されるグルコース測定回数を定義する整数を入手し、（ｉｉ）最も小さいグルコース測定値のサブセットとして、一次時間枠内の最も小さいグルコース測定値を識別および選択することによって、小さいグルコース測定値のタイトレーションサブセットを識別および選択し、小さいグルコース測定値のタイトレーションサブセット内の測定回数が、入手した整数と等しいことを確認し、（ｉｉｉ）第１のグルコース尺度の中心傾向として、かつ小さいグルコース測定値のサブセット内のグルコース測定値の尺度の中心傾向として算出された尺度の中心傾向を入手し、
タイトレーショングルコースレベルを第１のグルコース尺度の中心傾向と関連付けるモード、
（Ｂ２）第２の評価モードの一次時間枠では、一次時間枠内の複数の同時に重複する二次時間枠を入手し、各二次時間枠が、一次時間枠でのグルコース測定値のサブセットである、重複するグルコース測定値のサブセットを含み、
複数の二次時間枠内の各二次時間枠では、対応する第２のグルコース尺度の中心傾向を算出し、それにより複数の第２のグルコース尺度の中心傾向を入手し、各それぞれの第２のグルコース尺度の中心傾向が、対応する二次時間枠内のグルコース測定値の尺度の中心傾向として算出され、それにより一次時間枠でのグルコース測定値にわたる尺度の中心傾向の移動期間を入手し、
複数の第２のグルコース尺度の中心傾向では、最も小さい第２のグルコース尺度の中心傾向を複数の第２のグルコース尺度の中心傾向内の最も小さい第２のグルコース尺度の中心傾向として識別し、それにより、小さいグルコース測定値のタイトレーションサブセットが、最も小さい第２のグルコース尺度の中心傾向に対応する二次時間枠内のグルコース測定値を含むサブセットとして識別され、
タイトレーショングルコースレベルを最も小さい第２のグルコース尺度の中心傾向と関連付けるモード、
（Ｂ３）第３の評価モードの一次時間枠では、一次時間枠内の複数の同時に重複する二次時間枠を入手し、各二次時間枠が、一次時間枠でのグルコース測定値のサブセットである、重複するグルコース測定値のサブセットを含み、
複数の二次時間枠内の各二次時間枠では、対応するグルコース尺度の変動を算出し、それにより複数のグルコース尺度の変動を入手し、各それぞれのグルコース尺度の変動が、対応する二次時間枠内のグルコース測定値の尺度の変動として算出され、それにより一次時間枠でのグルコース測定値にわたる尺度の変動の移動期間を入手し、
複数のグルコース尺度の変動では、最も小さいグルコース尺度の変動を複数のグルコース尺度の変動内の最も小さいグルコース尺度の変動として識別し、それにより、小さいグルコース測定値のタイトレーションサブセットが、最も小さいグルコース尺度の変動に対応する二次時間枠内のグルコース測定値を含むサブセットとして識別され、
最も小さい第３のグルコース尺度の中心傾向を、小さいグルコース測定値のタイトレーションサブセットの尺度の中心傾向として算出し、
タイトレーショングルコースレベルを最も小さい第３のグルコース尺度の中心傾向と関連付けるモード、のうちの１つを選択することをさらに含む。
【００４１】
本明細書では、入手されたグルコースタイトレーションレベルに基づいて持続型インスリン用量を調節するためのアルゴリズムに入力値として使用され得るグルコースタイトレーションレベルを自動的に入手するデバイスが提供され、グルコースタイトレーションレベルの評価が、血糖プロファイルの特徴に関して最適化され得る、すなわち、血糖プロファイルが外因性速効型インスリンの影響を示しているかどうかで評価が最適化され得る。言い換えれば、タイトレーショングルコースレベルの評価は、自動的であり、対象が従うまたは従うべき医療レジメンに応じて評価され得る。
【００４２】
さらなる態様では、小さいグルコース測定値のタイトレーションサブセットに含まれるグルコース測定値は、グルコース測定値の下位パーセンタイルよりも小さい値を有し、下位パーセンタイルが、０．１パーセンタイル〜５０パーセンタイルの範囲であり、Ｐパーセンタイルが、一次時間枠内のタイトレーションサブセットを識別するために使用される第１のデータセットにおけるグルコース測定値のＰ％よりも大きい、最も低いグルコース測定値として定義される。
【００４３】
さらなる別の態様では、対象の規定の基礎インスリンレジメンにおける持続型インスリン薬剤投与量を自律的に調節するための基礎タイトレーション調節デバイスが提供され、デバイスが、１つ以上のプロセッサおよびメモリを備え、メモリが、
基礎インスリン薬剤投与量レジメンを含む規定のインスリンレジメンであって、基礎インスリン薬剤投与量レジメンが、持続型インスリン薬剤投与量の量を特定する、規定のインスリンレジメンと、命令とを含み、命令が、１つ以上のプロセッサによって実行されるとき、
（Ａ）第１のデータセットを入手することであって、第１のデータセットが、時間経過にわたって取得された対象の複数のグルコース測定値、および複数のグルコース測定値の各それぞれのグルコース測定値に対する、時間経過中でそれぞれのグルコース測定値がいつとられたかを表す対応するタイムスタンプを含む、第１のデータセットを入手することと、
（Ｂ）持続型インスリン薬剤投与量を維持または調節するためのアルゴリズムへの入力値として使用されるグルコースレベルであるタイトレーショングルコースレベルを入手することであって、タイトレーショングルコースレベルが、小さいグルコース測定値のタイトレーションサブセットに基づき、
（ｉ）小さいグルコース測定値のタイトレーションサブセットを識別するため、かつ一次時間枠のタイトレーショングルコースレベルを入手するために使用される、第１のデータセットのグルコース測定値を含む期間を定義する時間経過内の一次時間枠を入手することであって、グルコース測定値の各々が、一次時間枠内のタイムスタンプ２３２を有する、時間経過内の一次時間枠を入手すること、
（ｉｉ）一次時間枠内の小さいグルコース測定値のサブセットとして識別される、小さいグルコース測定値のタイトレーションサブセットを識別すること、
（ｉｉｉ）小さいグルコース測定値のタイトレーションサブセットの尺度の中心傾向として算出された、タイトレーショングルコースレベル２４６を入手することであって、尺度の中心傾向が、一次時間枠の小さいグルコース測定値の尺度を表す、および
（ｉｖ）タイトレーショングルコースレベルに尺度の中心傾向の値を割り当てることによって、タイトレーショングルコースレベル２４６を尺度の中心傾向と関連付けること、によってタイトレーショングルコースレベルを入手することと、
（Ｃ）入手されたタイトレーショングルコースレベルに基づいて、持続型インスリン薬剤投与量を調節または維持すること、の方法を実施する。
【００４４】
本明細書では、規定の基礎インスリンレジメン用に入手されたタイトレーショングルコースレベルに基づいて、持続型インスリン薬剤投与量を調節または維持するために適合された、すなわち対象が持続型インスリンのみで治療され、それにより最も低いグルコースレベルが持続型インスリン薬剤の影響から生じるものであることがわかる、デバイスが提供される。
【００４５】
さらなる態様では、ステップＢでのタイトレーショングルコースレベルを入手することは、
次の評価モード：
（Ｂ１）第１の評価モードでの一次時間枠では、（ｉ）グルコース測定値のサブセット用に選択されるグルコース測定回数を定義する整数を入手し、（ｉｉ）最も小さいグルコース測定値のサブセットとして、一次時間枠内の最も小さいグルコース測定値を識別および選択することによって、小さいグルコース測定値のタイトレーションサブセットを識別および選択し、小さいグルコース測定値のタイトレーションサブセット内の測定回数が、入手した整数と等しいことを確認し、（ｉｉｉ）第１のグルコース尺度の中心傾向として、かつ小さいグルコース測定値のサブセット内のグルコース測定値の尺度の中心傾向として算出された尺度の中心傾向を入手し、
タイトレーショングルコースレベルを第１のグルコース尺度の中心傾向と関連付けるモード、のうちの１つを選択することをさらに含む。
【００４６】
さらなる態様では、ステップＢでのタイトレーショングルコースレベルを入手することは、
（Ｂ２）第２の評価モードの一次時間枠では、一次時間枠内の複数の同時に重複する二次時間枠を入手し、各二次時間枠が、一次時間枠でのグルコース測定値のサブセットである、重複するグルコース測定値のサブセットを含み、
複数の二次時間枠内の各二次時間枠では、対応する第２のグルコース尺度の中心傾向を算出し、それにより複数の第２のグルコース尺度の中心傾向を入手し、各それぞれの第２のグルコース尺度の中心傾向が、対応する二次時間枠内のグルコース測定値の尺度の中心傾向として算出され、それにより一次時間枠でのグルコース測定値にわたる尺度の中心傾向の移動期間を入手し、
複数の第２のグルコース尺度の中心傾向では、最も小さい第２のグルコース尺度の中心傾向を複数の第２のグルコース尺度の中心傾向内の最も小さい第２のグルコース尺度の中心傾向として識別し、それにより、小さいグルコース測定値のタイトレーションサブセットが、最も小さい第２のグルコース尺度の中心傾向に対応する二次時間枠内のグルコース測定値を含むサブセットとして識別され、
タイトレーショングルコースレベルを最も小さい第２のグルコース尺度の中心傾向と関連付けること、をさらに含む。
さらなる態様では、ステップＢでのタイトレーショングルコースレベルを入手することは、
小さいグルコース測定値のタイトレーションサブセット用に選択されるグルコース測定回数を定義するタイトレーションパーセンタイルを定義するパーセンテージを入手すること、（ｉｉ）グルコース測定値のタイトレーションパーセンタイルによって定義されるグルコース測定値を識別および選択することによって、最も小さいグルコース測定値のサブセットとして小さいグルコース測定値のタイトレーションサブセットを識別および選択することであって、タイトレーションパーセンタイルが、０．１パーセンタイル〜５０パーセンタイルの範囲であり、下位パーセンタイル以下であり、Ｐパーセンタイルが、一次時間枠内のタイトレーションサブセットを識別するために使用される第１のデータセットにおけるグルコース測定値のＰ％よりも大きい、最も低いグルコース測定値として定義される、小さいグルコース測定値のタイトレーションサブセットを識別および選択すること、（ｉｉｉ）第４のグルコース尺度の中心傾向として、かつ小さいグルコース測定値のサブセット内のグルコース測定値の尺度の中心傾向として算出された、尺度の中心傾向を入手すること、ならびに
タイトレーショングルコースレベルに第４の尺度の中心傾向の値を割り当てることによって、タイトレーショングルコースレベルを第４のグルコース尺度の中心傾向と関連付けること、をさらに含む。
【００４７】
さらなる態様では、対象の規定のインスリンレジメンにおける持続型インスリン薬剤投与量を自律的に調節するための基礎タイトレーション調節デバイスが提供され、デバイスが、１つ以上のプロセッサおよびメモリを備え、メモリが、
基礎インスリン薬剤投与量レジメンを含む規定のインスリンレジメンであって、基礎インスリン薬剤投与量レジメンが、持続型インスリン薬剤投与量の量を特定する、規定のインスリンレジメンと、命令とを含み、命令が、１つ以上のプロセッサによって実行されるとき、      
（Ａ）第１のデータセットを入手することであって、第１のデータセットが、時間経過にわたって取得された対象の複数のグルコース測定値、および複数のグルコース測定値の各それぞれのグルコース測定値に対する、時間経過中でそれぞれのグルコース測定値がいつとられたかを表す対応するタイムスタンプを含む、第１のデータセットを入手することと、
（Ｂ）持続型インスリン薬剤投与量を維持または調節するためのアルゴリズムへの入力値として使用されるグルコースレベルであるタイトレーショングルコースレベルを入手することであって、タイトレーショングルコースレベルが、小さいグルコース測定値のタイトレーションサブセットに基づき、
（ｉ）小さいグルコース測定値のタイトレーションサブセットを識別するため、かつ一次時間枠のタイトレーショングルコースレベルを入手するために使用される、第１のデータセットのグルコース測定値を含む期間を定義する時間経過内の一次時間枠を入手することであって、グルコース測定値の各々が、一次時間枠内のタイムスタンプを有する、時間経過内の一次時間枠を入手すること、
（ｉｉ）一次時間枠内の小さいグルコース測定値のサブセットとして識別される、小さいグルコース測定値のタイトレーションサブセットを識別すること、
（ｉｉｉ）小さいグルコース測定値のタイトレーションサブセットの尺度の中心傾向として算出された、タイトレーショングルコースレベルを入手することであって、尺度の中心傾向が、一次時間枠の小さいグルコース測定値の尺度を表す、タイトレーショングルコースレベルを入手すること、および
（ｉｖ）タイトレーショングルコースレベルに尺度の中心傾向の値を割り当てることによって、タイトレーショングルコースレベルを尺度の中心傾向と関連付けること、によってタイトレーショングルコースレベルを入手することと、
（Ｃ）入手されたタイトレーショングルコースレベルに基づいて、持続型インスリン薬剤投与量を調節または維持すること、の方法を実施する。
【図面の簡単な説明】
【００４８】
【図１】本開示の一実施形態による、対象の規定のインスリンレジメンにおける持続型インスリン薬剤投与量を自動的に調節、維持、または最適化するための基礎タイトレーション調節デバイス、患者データを収集するためのデータ収集デバイス、対象からのグルコースデータを測定する１つ以上のグルコースセンサ、および規定のインスリン薬剤レジメンに従ってインスリン薬剤を注入するために対象によって使用される１つ以上のインスリンペン、を含む、例示的なシステムトポロジーを図示し、上に特定される構成要素は、任意選択的に通信ネットワークを通じて相互接続している。
【図２Ａ】本開示の一実施形態による、規定のインスリンレジメンにおける持続型インスリン薬剤投与量を自律的に調節するための基礎タイトレーション調節デバイスをまとめて図示する。
【図２Ｂ】本開示の一実施形態による、規定のインスリンレジメンにおける持続型インスリン薬剤投与量を自律的に調節するための基礎タイトレーション調節デバイスをまとめて図示する。
【図２Ｃ】本開示の一実施形態による、規定のインスリンレジメンにおける持続型インスリン薬剤投与量を自律的に調節するための基礎タイトレーション調節デバイスをまとめて図示する。
【図２Ｄ】本開示の一実施形態による、規定のインスリンレジメンにおける持続型インスリン薬剤投与量を自律的に調節するための基礎タイトレーション調節デバイスをまとめて図示する。
【図３Ａ】本開示の別の実施形態による、規定のインスリンレジメンにおける持続型インスリン薬剤投与量を自律的に調節するための基礎タイトレーション調節デバイスをまとめて図示する。
【図３Ｂ】本開示の別の実施形態による、規定のインスリンレジメンにおける持続型インスリン薬剤投与量を自律的に調節するための基礎タイトレーション調節デバイスをまとめて図示する。
【図３Ｃ】本開示の別の実施形態による、規定のインスリンレジメンにおける持続型インスリン薬剤投与量を自律的に調節するための基礎タイトレーション調節デバイスをまとめて図示する。
【図３Ｄ】本開示の別の実施形態による、規定のインスリンレジメンにおける持続型インスリン薬剤投与量を自律的に調節するための基礎タイトレーション調節デバイスをまとめて図示する。
【図４Ａ】本開示の様々な実施形態による、規定のインスリンレジメンにおける持続型インスリン薬剤投与量を自律的に調節するための基礎タイトレーション調節デバイスのプロセスおよび特色のフローチャートをまとめて提供する。
【図４Ｂ】本開示の様々な実施形態による、規定のインスリンレジメンにおける持続型インスリン薬剤投与量を自律的に調節するための基礎タイトレーション調節デバイスのプロセスおよび特色のフローチャートをまとめて提供する。
【図４Ｃ】本開示の様々な実施形態による、規定のインスリンレジメンにおける持続型インスリン薬剤投与量を自律的に調節するための基礎タイトレーション調節デバイスのプロセスおよび特色のフローチャートをまとめて提供する。
【図４Ｄ】本開示の様々な実施形態による、規定のインスリンレジメンにおける持続型インスリン薬剤投与量を自律的に調節するための基礎タイトレーション調節デバイスのプロセスおよび特色のフローチャートをまとめて提供する。
【図５】本開示の一実施形態による、規定のインスリンレジメンにおける持続型インスリン薬剤投与量を自律的に調節するための、接続されたインスリンペン（複数可）、連続グルコースモニタ（複数可）、メモリ、およびプロセッサの統合システムの例を図示する。
【図６Ａ】複数のグルコース測定値が本開示の実施形態に従って入手された、一次時間枠、二次時間枠、三次時間枠、エポック、および時間経過の間の一時的な関係を図示する。
【図６Ｂ】本開示の一実施形態による、一次時間枠内の最も小さいグルコース測定値のタイトレーションサブセットを識別するステップ、および対応するグルコースタイトレーションレベルをどのように入手するかを図示する。図示された方法は、グルコースレベルが速効型インスリンによる影響を受けていないとき、特に好適である。
【図６Ｃ】本開示の別の実施形態による、一次時間枠内の小さいグルコース測定値のタイトレーションサブセットを識別するステップ、および対応するグルコースタイトレーションレベルを入手するステップを図示する。図示された方法は、グルコースレベルが速効型インスリンによる影響を受けていないとき、特に好適である。
【図６Ｄ】本開示の別の実施形態による、一次時間枠内の小さいグルコース測定値のタイトレーションサブセットを識別するステップ、および対応するグルコースタイトレーションレベルを入手するステップを図示する。図示された方法は、グルコースレベルが速効型インスリンによる影響を受けている可能性があるとき、特に好適である。
【図６Ｅ】ユーザがタイトレーショングルコースレベルの評価を要求する場合の、三次枠と現在の時間６１０との間の関係をまとめて図示する。図はまた、三次枠、エポック、および暦単位（例えば、暦日）の一時的なアラインメントも図示する。
【図６Ｆ】ユーザがタイトレーショングルコースレベルの評価を要求する場合の、三次枠と現在の時間６１０との間の関係をまとめて図示する。図はまた、三次枠、エポック、および暦単位（例えば、暦日）の一時的なアラインメントも図示する。
【図７Ａ】本発明の実施形態による、小さいグルコース測定値のタイトレーションサブセットを識別する例をまとめて図示する。図７Ａおよび７Ｂは、最も低いグルコース測定値が一次枠内で識別される際にタイトレーションサブセットが識別される実施形態を図示する。図７Ｃおよび７Ｄは、３つの異なる時間枠（二次時間枠の長さ）での、グルコース測定値の移動平均が一次時間枠内で計算される実施形態を図示する。タイトレーションサブセットは、所与の時間枠での最も低い移動平均に対応するサブセットとして識別され得る。識別された最も低い移動平均は、タイトレーショングルコースレベルに対応する。図７Ｅおよび７Ｆは、３つの異なる時間枠（二次時間枠の長さ）での、グルコース測定値の分散の移動評価（ｒｕｎｎｉｎｇ  ｅｖａｌｕａｔｉｏｎ  ｏｆ  ｔｈｅ  ｖａｒｉａｎｃｅ）が一次時間枠内で計算される実施形態を図示する。タイトレーションサブセットは、所与の時間枠での最も低い値の分散の移動評価に対応するサブセットとして識別され得る。タイトレーショングルコースレベルは、タイトレーションサブセットの平均グルコースの値として入手される。図７Ａ、７Ｃおよび７Ｅは、一次枠の血糖が持続型インスリンのみによる影響を受けている例を図示する。図７Ｂ、７Ｄおよび７Ｆは、一次時間枠の血糖が速効型インスリンによる影響を受けている例を図示する。図７Ａ〜７Ｄに図示されている方法は、血糖が持続型インスリンのみによる影響を受けているときが最も好適である一方で、図７Ｅ〜７Ｆに図示されている方法は、血糖が速効型インスリンによる影響を受けているとき、または血糖の分散が増加するように影響されているのと同様の状況で好適である。
【図７Ｂ】本発明の実施形態による、小さいグルコース測定値のタイトレーションサブセットを識別する例をまとめて図示する。図７Ａおよび７Ｂは、最も低いグルコース測定値が一次枠内で識別される際にタイトレーションサブセットが識別される実施形態を図示する。図７Ｃおよび７Ｄは、３つの異なる時間枠（二次時間枠の長さ）での、グルコース測定値の移動平均が一次時間枠内で計算される実施形態を図示する。タイトレーションサブセットは、所与の時間枠での最も低い移動平均に対応するサブセットとして識別され得る。識別された最も低い移動平均は、タイトレーショングルコースレベルに対応する。図７Ｅおよび７Ｆは、３つの異なる時間枠（二次時間枠の長さ）での、グルコース測定値の分散の移動評価（ｒｕｎｎｉｎｇ  ｅｖａｌｕａｔｉｏｎ  ｏｆ  ｔｈｅ  ｖａｒｉａｎｃｅ）が一次時間枠内で計算される実施形態を図示する。タイトレーションサブセットは、所与の時間枠での最も低い値の分散の移動評価に対応するサブセットとして識別され得る。タイトレーショングルコースレベルは、タイトレーションサブセットの平均グルコースの値として入手される。図７Ａ、７Ｃおよび７Ｅは、一次枠の血糖が持続型インスリンのみによる影響を受けている例を図示する。図７Ｂ、７Ｄおよび７Ｆは、一次時間枠の血糖が速効型インスリンによる影響を受けている例を図示する。図７Ａ〜７Ｄに図示されている方法は、血糖が持続型インスリンのみによる影響を受けているときが最も好適である一方で、図７Ｅ〜７Ｆに図示されている方法は、血糖が速効型インスリンによる影響を受けているとき、または血糖の分散が増加するように影響されているのと同様の状況で好適である。
【図７Ｃ】本発明の実施形態による、小さいグルコース測定値のタイトレーションサブセットを識別する例をまとめて図示する。図７Ａおよび７Ｂは、最も低いグルコース測定値が一次枠内で識別される際にタイトレーションサブセットが識別される実施形態を図示する。図７Ｃおよび７Ｄは、３つの異なる時間枠（二次時間枠の長さ）での、グルコース測定値の移動平均が一次時間枠内で計算される実施形態を図示する。タイトレーションサブセットは、所与の時間枠での最も低い移動平均に対応するサブセットとして識別され得る。識別された最も低い移動平均は、タイトレーショングルコースレベルに対応する。図７Ｅおよび７Ｆは、３つの異なる時間枠（二次時間枠の長さ）での、グルコース測定値の分散の移動評価（ｒｕｎｎｉｎｇ  ｅｖａｌｕａｔｉｏｎ  ｏｆ  ｔｈｅ  ｖａｒｉａｎｃｅ）が一次時間枠内で計算される実施形態を図示する。タイトレーションサブセットは、所与の時間枠での最も低い値の分散の移動評価に対応するサブセットとして識別され得る。タイトレーショングルコースレベルは、タイトレーションサブセットの平均グルコースの値として入手される。図７Ａ、７Ｃおよび７Ｅは、一次枠の血糖が持続型インスリンのみによる影響を受けている例を図示する。図７Ｂ、７Ｄおよび７Ｆは、一次時間枠の血糖が速効型インスリンによる影響を受けている例を図示する。図７Ａ〜７Ｄに図示されている方法は、血糖が持続型インスリンのみによる影響を受けているときが最も好適である一方で、図７Ｅ〜７Ｆに図示されている方法は、血糖が速効型インスリンによる影響を受けているとき、または血糖の分散が増加するように影響されているのと同様の状況で好適である。
【図７Ｄ】本発明の実施形態による、小さいグルコース測定値のタイトレーションサブセットを識別する例をまとめて図示する。図７Ａおよび７Ｂは、最も低いグルコース測定値が一次枠内で識別される際にタイトレーションサブセットが識別される実施形態を図示する。図７Ｃおよび７Ｄは、３つの異なる時間枠（二次時間枠の長さ）での、グルコース測定値の移動平均が一次時間枠内で計算される実施形態を図示する。タイトレーションサブセットは、所与の時間枠での最も低い移動平均に対応するサブセットとして識別され得る。識別された最も低い移動平均は、タイトレーショングルコースレベルに対応する。図７Ｅおよび７Ｆは、３つの異なる時間枠（二次時間枠の長さ）での、グルコース測定値の分散の移動評価（ｒｕｎｎｉｎｇ  ｅｖａｌｕａｔｉｏｎ  ｏｆ  ｔｈｅ  ｖａｒｉａｎｃｅ）が一次時間枠内で計算される実施形態を図示する。タイトレーションサブセットは、所与の時間枠での最も低い値の分散の移動評価に対応するサブセットとして識別され得る。タイトレーショングルコースレベルは、タイトレーションサブセットの平均グルコースの値として入手される。図７Ａ、７Ｃおよび７Ｅは、一次枠の血糖が持続型インスリンのみによる影響を受けている例を図示する。図７Ｂ、７Ｄおよび７Ｆは、一次時間枠の血糖が速効型インスリンによる影響を受けている例を図示する。図７Ａ〜７Ｄに図示されている方法は、血糖が持続型インスリンのみによる影響を受けているときが最も好適である一方で、図７Ｅ〜７Ｆに図示されている方法は、血糖が速効型インスリンによる影響を受けているとき、または血糖の分散が増加するように影響されているのと同様の状況で好適である。
【図７Ｅ】本発明の実施形態による、小さいグルコース測定値のタイトレーションサブセットを識別する例をまとめて図示する。図７Ａおよび７Ｂは、最も低いグルコース測定値が一次枠内で識別される際にタイトレーションサブセットが識別される実施形態を図示する。図７Ｃおよび７Ｄは、３つの異なる時間枠（二次時間枠の長さ）での、グルコース測定値の移動平均が一次時間枠内で計算される実施形態を図示する。タイトレーションサブセットは、所与の時間枠での最も低い移動平均に対応するサブセットとして識別され得る。識別された最も低い移動平均は、タイトレーショングルコースレベルに対応する。図７Ｅおよび７Ｆは、３つの異なる時間枠（二次時間枠の長さ）での、グルコース測定値の分散の移動評価（ｒｕｎｎｉｎｇ  ｅｖａｌｕａｔｉｏｎ  ｏｆ  ｔｈｅ  ｖａｒｉａｎｃｅ）が一次時間枠内で計算される実施形態を図示する。タイトレーションサブセットは、所与の時間枠での最も低い値の分散の移動評価に対応するサブセットとして識別され得る。タイトレーショングルコースレベルは、タイトレーションサブセットの平均グルコースの値として入手される。図７Ａ、７Ｃおよび７Ｅは、一次枠の血糖が持続型インスリンのみによる影響を受けている例を図示する。図７Ｂ、７Ｄおよび７Ｆは、一次時間枠の血糖が速効型インスリンによる影響を受けている例を図示する。図７Ａ〜７Ｄに図示されている方法は、血糖が持続型インスリンのみによる影響を受けているときが最も好適である一方で、図７Ｅ〜７Ｆに図示されている方法は、血糖が速効型インスリンによる影響を受けているとき、または血糖の分散が増加するように影響されているのと同様の状況で好適である。
【図７Ｆ】本発明の実施形態による、小さいグルコース測定値のタイトレーションサブセットを識別する例をまとめて図示する。図７Ａおよび７Ｂは、最も低いグルコース測定値が一次枠内で識別される際にタイトレーションサブセットが識別される実施形態を図示する。図７Ｃおよび７Ｄは、３つの異なる時間枠（二次時間枠の長さ）での、グルコース測定値の移動平均が一次時間枠内で計算される実施形態を図示する。タイトレーションサブセットは、所与の時間枠での最も低い移動平均に対応するサブセットとして識別され得る。識別された最も低い移動平均は、タイトレーショングルコースレベルに対応する。図７Ｅおよび７Ｆは、３つの異なる時間枠（二次時間枠の長さ）での、グルコース測定値の分散の移動評価（ｒｕｎｎｉｎｇ  ｅｖａｌｕａｔｉｏｎ  ｏｆ  ｔｈｅ  ｖａｒｉａｎｃｅ）が一次時間枠内で計算される実施形態を図示する。タイトレーションサブセットは、所与の時間枠での最も低い値の分散の移動評価に対応するサブセットとして識別され得る。タイトレーショングルコースレベルは、タイトレーションサブセットの平均グルコースの値として入手される。図７Ａ、７Ｃおよび７Ｅは、一次枠の血糖が持続型インスリンのみによる影響を受けている例を図示する。図７Ｂ、７Ｄおよび７Ｆは、一次時間枠の血糖が速効型インスリンによる影響を受けている例を図示する。図７Ａ〜７Ｄに図示されている方法は、血糖が持続型インスリンのみによる影響を受けているときが最も好適である一方で、図７Ｅ〜７Ｆに図示されている方法は、血糖が速効型インスリンによる影響を受けているとき、または血糖の分散が増加するように影響されているのと同様の状況で好適である。
【００４９】
同様の参照符号は、図面のいくつかの図全体を通して対応する部分を指す。
【発明を実施するための形態】
【００５０】
本開示は、対象の規定のインスリンレジメンにおける持続型インスリン薬剤投与量を自律的に調節するための頑強なシステムおよび方法を提供する。本開示は、時間経過にわたって取得された対象の複数のグルコース測定値、および複数のグルコース測定値の各それぞれのグルコース測定値に対する、時間経過中でそれぞれのグルコース測定値がいつ取られたかを表す対応するタイムスタンプを含む、データセットに関連するデータの取得に依拠する。図１はかかるデータ取得のための統合システム５０２の例を図示しており、図５はかかるシステム５０２のさらなる詳細を提供している。統合システム５０２は、対象のグルコースデータの自律的なアルゴリズム分類を実施するための、１つ以上の接続されたインスリンペン１０４、１つ以上のグルコースモニタまたはグルコースセンサ１０２、メモリ５０６、およびプロセッサ（図示せず）を含む。いくつかの実施形態では、グルコースモニタ１０２は、連続グルコースモニタである。
【００５１】
統合システム５０２では、対象の自律的なタイムスタンプされたグルコース測定値を入手する５２０。また、いくつかの実施形態では、規定のインスリンレジメンを対象に適用するために使用される１つ以上のインスリンペン１０４からのデータは、複数の記録として入手される５４０。各記録は、対象が規定のインスリン薬剤投与量レジメンの一部として受けた、注入されたインスリン薬剤の量を特定するタイムスタンプされたイベントを含む。グルコース測定値はフィルタリングされ５０４、非一時的メモリに記憶される５０６。経時的に取得された対象の複数のグルコース測定値を使用して、対象のタイトレーショングルコースレベルを決定する５０８。このようにして、本開示の方法に従って、グルコースデータは、タイトレーショングルコースレベルに基づいて分析されて、持続型インスリン薬剤投与量を調節する５１０。
【００５２】
ここで、添付図面に図示されている例として、実施形態を詳細に参照する。次の詳細な説明では、本開示の完全な理解を提供するために多数の具体的な詳細が記載されている。しかしながら、本開示はこれらの具体的な詳細を用いずに実施され得ることが、当業者には明らかであろう。他の例では、実施形態の態様を不必要に不明瞭にしないように、周知の方法、手順、構成要素、回路、およびネットワークについては詳細に記述されていない。
【００５３】
また、第１、第２などの用語は、本明細書では様々な要素を説明するために使用され得るが、これらの要素はこれらの用語によって限定されるべきではないことも理解されるであろう。これらの用語は、１つの要素を別の要素と区別するためにのみ使用される。例えば、本開示の範囲から逸脱することなく、第１の対象は第２の対象と称され得、同様に第２の対象は、第１の対象と称され得る。第１の対象および第２の対象は両方とも対象であるが、同じ対象ではない。さらに、用語「対象」および「ユーザ」とは、本明細書では互換的に使用される。インスリンペンという用語は、インスリンの統一性のない用量を適用するのに好適な注入デバイスを意味し、注入デバイスが、用量に関係するデータのログおよび通信用に適合される。
【００５４】
本開示で使用される専門用語は、特定の実施形態のみを説明することを目的とし、本発明を限定することを意図していない。本発明の説明および添付の特許請求の範囲において使用される場合、単数形「１つの（ａ）」、「１つの（ａｎ）」および「その（ｔｈｅ）」は、別途文脈が明確に示さない限り、複数形も同様に含むことが意図される。本明細書で使用される場合、用語「および／または」とは、関連する列挙された項目のうちの１つ以上の可能性のある任意およびすべての組み合わせを指し、包含することも理解されるであろう。本明細書で使用されるとき、用語「含む（ｃｏｍｐｒｉｓｅｓ）」および／または「含む（ｃｏｍｐｒｉｓｉｎｇ）」とは、記載の特色、整数、ステップ、操作、要素、および／または構成要素の存在を特定するが、１つ以上の他の特色、整数、ステップ、操作、要素、構成要素、および／またはそれらの群の存在または付加を除外しないことがさらに理解されるであろう。
【００５５】
本明細書で使用される場合、用語「場合（ｉｆ）」とは、文脈に応じて、「ときに（ｗｈｅｎ）」または「際に（ｕｐｏｎ）」または「決定に応じて（ｉｎ  ｒｅｓｐｏｎｓｅ  ｔｏ  ｄｅｔｅｒｍｉｎｉｎｇ）」または「検出に応じて（ｉｎ  ｒｅｓｐｏｎｓｅ  ｔｏ  ｄｅｔｅｃｔｉｎｇ）」を意味すると解釈され得る。同様に、語句「決定される場合」または「〔記載の状態またはイベント〕が検出される場合」とは、文脈に応じて、「決定する際に（ｕｐｏｎ  ｄｅｔｅｒｍｉｎｉｎｇ）」、または「決定に応じて（ｉｎ  ｒｅｓｐｏｎｓｅ  ｔｏ  ｄｅｔｅｒｍｉｎｉｎｇ）」、または「〔記載の状態またはイベント〕を検出する際に（ｉｎ  ｒｅｓｐｏｎｓｅ  ｔｏ  ｄｅｔｅｃｔｉｎｇ  ［ｔｈｅ  ｓｔａｔｅｄ  ｃｏｎｄｉｔｉｏｎ  ｏｒ  ｅｖｅｎｔ］）」、または「〔記載の状態またはイベント〕の検出に応じて（ｉｎ  ｒｅｓｐｏｎｓｅ  ｔｏ  ｄｅｔｅｃｔｉｎｇ  ［ｔｈｅ  ｓｔａｔｅｄ  ｃｏｎｄｉｔｉｏｎ  ｏｒ  ｅｖｅｎｔ］）」を意味すると解釈され得る。
【００５６】
本開示による、対象の規定のインスリンレジメンにおける持続型インスリン薬剤投与量２１６を調節するためのシステム４８の詳細な説明を、図１〜３と併せて説明する。そのため、図１〜３は、本開示によるシステムトポロジーをまとめて図示している。トポロジーでは、対象の規定のインスリンレジメンにおける持続型インスリン薬剤投与量を自律的に調節するための基礎タイトレーション調節デバイス（「基礎タイトレーション調節デバイス２５０」）（図１、図２、および３）、データ収集のためのデバイス（「データ収集デバイス２００」）、対象と関連付けられた１つ以上のグルコースセンサ１０２（図１および５）、およびインスリン薬剤を対象に注入するための１つ以上のインスリンペン１０４（図１および５）がある。本開示全体を通して、データ収集デバイス２００および基礎タイトレーション調節デバイス２５０は、単に明確性の目的のために別個のデバイスとして参照されるであろう。すなわち、開示のデータ収集デバイス２００の機能および開示の基礎タイトレーション調節デバイス２５０の機能は、図１に図示されているように別個のデバイスに収容される。しかしながら、実際には、いくつかの実施形態では、開示のデータ収集デバイス２００の機能および本開示の基礎タイトレーション調節デバイス２５０の機能は、単一デバイスに収容されることが理解されるであろう。いくつかの実施形態では、開示のデータ収集デバイス２００の機能および／または開示の基礎タイトレーション調節デバイス２５０の機能は、単一デバイスに収容され、この単一デバイスはグルコースモニタ１０２またはインスリンペン１０４である。
【００５７】
図１を参照すると、基礎タイトレーション調節デバイス２５０は、対象の規定のインスリンレジメンにおける持続型インスリン薬剤投与量を自律的に調節する。これを行うために、基礎タイトレーション調節デバイス２５０と電気的に連通しているデータ収集デバイス２００は、常時対象に装着される１つ以上のグルコースセンサ１０２から発せられる自律的グルコース測定値を受信する。いくつかの実施形態では、データ収集デバイス２００はまた、インスリン薬剤を注入するために対象によって使用される、１つ以上のインスリンペン１０４からインスリン薬剤注入データを受信する。いくつかの実施形態では、データ収集デバイス２００は、かかるデータをグルコースセンサ（複数可）１０２および対象によって使用されるインスリンペン１０４から直接受信する。例えば、いくつかの実施形態では、データ収集デバイス２００は、無線周波数信号を通じてワイヤレスでこのデータを受信する。いくつかの実施形態では、かかる信号は、８０２．１１（ＷｉＦｉ）、Ｂｌｕｅｔｏｏｔｈ、またはＺｉｇｂｅｅ基準に従っている。いくつかの実施形態では、データ収集デバイス２００は、かかるデータを直接受信し、データを分析し、分析されたデータを基礎タイトレーション調節デバイス２５０に渡す。いくつかの実施形態では、グルコースセンサ１０２および／またはインスリンペン１０４は、ＲＦＩＤタグを含み、ＲＦＩＤ通信を使用してデータ収集デバイス２００および／または基礎タイトレーション調節デバイス２５０と通信する。いくつかの実施形態では、データ収集デバイス２００はまた、（例えば、ウェアラブルな生理学的測定デバイスから、磁気計またはサーモスタットなどのデータ収集デバイス２００内の測定デバイスから）対象の生理学的測定値２４７を入手または受信する。
【００５８】
いくつかの実施形態では、データ収集デバイス２００および／または基礎タイトレーション調節デバイス２５０は、対象に近接していない、ならびに／またはワイヤレス機能を有さないか、またはかかるワイヤレス機能は、グルコースデータ、インスリン薬剤注入データ、および／もしくは生理学的測定値データを取得する目的のために使用されない。かかる実施形態では、通信ネットワーク１０６は、グルコースセンサ１０２からのグルコース測定値をデータ収集デバイス２００および／もしくは基礎タイトレーション調節デバイス２５０へ、１つ以上のインスリンペン１０４からのインスリン薬剤注入データをデータ収集デバイス２００および／もしくは基礎タイトレーション調節デバイス２５０へ、ならびに／または１つ以上の生理学的測定デバイス（図示せず）からの生理学的測定値データをデータ収集デバイス２００および／もしくは基礎タイトレーション調節デバイス２５０に通信するために使用され得る。
【００５９】
ネットワーク１０６の例としては、限定されないが、Ｗｏｒｌｄ  Ｗｉｄｅ  Ｗｅｂ（ＷＷＷ）、イントラネットおよび／または携帯電話ネットワーク、ワイヤレスローカルエリアネットワーク（ＬＡＮ）および／もしくはメトロポリタンエリアネットワーク（ＭＡＮ）などのワイヤレスネットワーク、ならびにワイヤレス通信による他のデバイスなどが挙げられる。ワイヤレス通信は、任意選択的に、限定されないが、汎欧州デジタル移動電話方式（Ｇｌｏｂａｌ  Ｓｙｓｔｅｍ  ｆｏｒ  Ｍｏｂｉｌｅ  Ｃｏｍｍｕｎｉｃａｔｉｏｎｓ）（ＧＳＭ）、高速データＧＳＭ環境（ＥＤＧＥ）、高速ダウンリンクパケットアクセス（ＨＳＤＰＡ）、高速アップリンクパケットアクセス（ＨＳＵＰＡ）、エボリューションデータオンリー（ＥＶ−ＤＯ）、ＨＳＰＡ、ＨＳＰＡ＋、デュアルセルＨＳＰＡ（ＤＣ−ＨＳＰＤＡ）、ロングタームエボリューション（ＬＴＥ）、近距離無線通信（ＮＦＣ）、広帯域符号分割多元接続（Ｗ−ＣＤＭＡ）、符号分割多元接続（ＣＤＭＡ）、時分割多元接続（ＴＤＭＡ）、Ｂｌｕｅｔｏｏｔｈ、Ｗｉｒｅｌｅｓｓ  Ｆｉｄｅｌｉｔｙ（Ｗｉ−Ｆｉ）（例えば、ＩＥＥＥ８０２．１１ａ、ＩＥＥＥ８０２．１１ａｃ、ＩＥＥＥ８０２．１１ａｘ、ＩＥＥＥ８０２．１１ｂ、ＩＥＥＥ  ８０２．１１ｇ、および／またはＩＥＥＥ８０２．１１ｎ）、ボイスオーバーインターネットプロトコル（ＶｏＩＰ）、Ｗｉ−ＭＡＸ、電子メール用プロトコル（例えば、インターネットメッセージアクセスプロトコル（ＩＭＡＰ）、および／またはポストオフィスプロトコル（ＰＯＰ））、インスタントメッセージング（例えば、エクステンシブルメッセージングアンドプレゼンスプロトコル（ＸＭＰＰ）、インスタントメッセージングアンドプレゼンスレバレッジングエクステンション用セッション初期化プロトコル（ＳＩＭＰＬＥ）、インスタントメッセージングアンドプレゼンスサービス（ＩＭＰＳ））、および／またはショートメッセージサービス（ＳＭＳ）、または本開示の出願日には未開発である通信プロトコルを含む任意の他の好適な通信プロトコルを含む、複数の通信基準、プロトコル、および技術のうちのいずれかを使用する。
【００６０】
いくつかの実施形態では、対象に装着される単一グルコースセンサ１０２があり、データ収集デバイス２００および／または基礎タイトレーション調節デバイス２５０は、グルコースセンサ１０２の一部である。すなわち、いくつかの実施形態では、データ収集デバイス２００および／または基礎タイトレーション調節デバイス２５０、ならびにグルコースセンサ１０２は、単一デバイスである。
【００６１】
いくつかの実施形態では、データ収集デバイス２００および／または基礎タイトレーション調節デバイス２５０は、インスリンペンの一部である。すなわち、いくつかの実施形態では、データ収集デバイス２００および／または基礎タイトレーション調節デバイス２５０、ならびにインスリンペン１０４は、単一デバイスである。
【００６２】
もちろん、システム４８の他のトポロジーが可能である。例えば、通信ネットワーク１０６に依存するのではなく、１つ以上のグルコースセンサ１０２および１つ以上のインスリンペン１０４は、情報をデータ収集デバイス２００および／または基礎タイトレーション調節デバイス２５０に直接ワイヤレスで送信してもよい。さらに、データ収集デバイス２００および／または基礎タイトレーション調節デバイス２５０は、ポータブル電子デバイス、サーバコンピュータ構成する、または実際にはネットワークで連結されているいくつかのコンピュータを構成してもよいか、またはクラウドコンピューティングコンテキストの仮想マシンを構成してもよい。したがって、図１に示されている例示的なトポロジーは、単に、当業者に容易に理解される様式で本開示の実施形態の特色を説明するのに役立つ。
【００６３】
図２Ａ、２Ｂ、２Ｃ、および２Ｄを参照すると、典型的な実施形態では、基礎タイトレーション調節デバイス２５０は、１つ以上のコンピュータを備える。図２Ａに図示する目的のために、基礎タイトレーション調節デバイス２５０は、対象の規定のインスリンレジメンにおける持続型インスリン薬剤投与量を自律的に調節するための機能のうちのすべてを含む単一コンピュータとして表されている。しかしながら、本開示はそのように限定されない。いくつかの実施形態では、対象の規定のインスリンレジメンにおける持続型インスリン薬剤投与量を自律的に調節するための機能は、任意の数のネットワークコンピュータにわたって広がる、かつ／あるいはいくつかのネットワークされているコンピュータの各々に常駐する、かつ／あるいは通信ネットワーク１０６にわたってアクセス可能な遠隔位置で１つ以上の仮想マシン上にホストされる。広範な異なるコンピュータトポロジーのうちのいずれかがアプリケーション用に使用され、すべてのかかるトポロジーが本開示の範囲内であることを当業者は理解するであろう。
【００６４】
前述の図２を考慮すると、対象の規定のインスリンレジメンにおける持続型インスリン薬剤投与量を自律的に調節するための例示的な基礎タイトレーション調節デバイス２５０は、１つ以上の処理ユニット（ＣＰＵ）２７４、ネットワークまたは他の通信ネットワークインターフェース２８４、メモリ１９２（例えば、ランダムアクセスメモリ）、１つ以上のコントローラ２８８によって任意選択的にアクセスされる１つ以上の磁気ディスク記憶媒体および／または持続的デバイス２９０、前述の構成要素を相互接続するための１つ以上の通信バス２１３、ならびに前述の構成要素に電力供給するための電源２７６を備える。いくつかの実施形態では、メモリ１９２内のデータは、キャッシュなどの既知の演算技法を使用する、不揮発性メモリ２９０とシームレスに共有される。いくつかの実施形態では、メモリ１９２および／またはメモリ２９０は、中央処理ユニット（複数可）２７４に対して遠隔に位置する大量記憶媒体を含む。言い換えれば、メモリ１９２および／またはメモリ２９０に記憶される一部のデータは、実際に、基礎タイトレーション調節デバイス２５０の外部であるが、ネットワークインターフェース２８４を使用してインターネット、イントラネット、または他の形態のネットワークもしくは電子ケーブル（図２に要素１０６として図示されている）を介して、基礎タイトレーション調節デバイス２５０によって電子的にアクセスされることができるコンピュータにホストされ得る。
【００６５】
いくつかの実施形態では、対象の規定のインスリンレジメンにおける持続型インスリン薬剤投与量を自律的に調節するための基礎タイトレーション調節デバイス２５０のメモリ１９２は、
・様々な基本システムサービスを取り扱うための手順を含むオペレーティングシステム２０２、
・基礎タイトレーション調節モジュール２０４、
・第１のデータ構造２１０であって、基礎インスリン薬剤投与量レジメン２１４を含む、対象の規定のインスリンレジメン２１２を含む、第１のデータ構造、を記憶する。任意選択的に、基礎インスリン薬剤投与量レジメン２１４は、持続型インスリン薬剤投与量インジケータ２１１６、および関連するエポック２１８を含む。インジケータ２１６は、基礎インスリン薬剤が関連するエポック２１８内で注入されるときを示す。また任意選択的に、規定のインスリンレジメンは、インスリン状態インジケータ２１１であって、インスリン状態インジケータ２１１が、グルコース測定値が速効型インスリン薬剤によって影響を受け得る速効型インスリンの影響状態、およびグルコース測定値が持続型インスリン薬剤のみによって影響を受け得、かつグルコース測定値が速効型インスリン薬剤による影響を受け得ない持続型インスリンのみの影響状態を示すことができる、インスリン状態インジケータ、
・第１のデータセット２２０であって、時間経過を表し、時間経過にわたる対象の複数のグルコース測定値、および複数のグルコース測定値の各それぞれのグルコース測定値２３０に対する、それぞれのグルコース測定値がいつ取られたかを表すタイムスタンプ２３２を含む、第１のデータセット、
・時間経過内に定義され、それにより第１のデータセット２２０からのグルコース測定値２３６を含む一次時間枠２３３であって、小さいグルコース測定値のタイトレーションサブセット（２４０、２６９、２７３）を識別し、一次時間枠２３３と関連付けられているグルコースタイトレーションレベル２４６を入手するために使用されるデータ構造をさらに定義する、サブモジュールＳＭ１  ２４７、ＳＭ２  ２４８、またはＳＭ３  ２７５をさらに含む、一次時間枠を含み、
・サブモジュールＳＭ１  ２４７は、小さいグルコース測定値のタイトレーションサブセット２４０に対して選択されるグルコース測定回数を定義する整数２３４を含み、小さいグルコース測定値のタイトレーションサブセット２４０は、一次時間枠２３３内の最も小さいグルコース測定値のサブセットである。サブモジュールは、小さいグルコース測定値のタイトレーションサブセット２４０の尺度の中心傾向である、第１のグルコース尺度の中心傾向２４４をさらに含む。タイトレーショングルコースレベル２４６は、第１のグルコース尺度の中心傾向と関連付けられ、
・サブモジュールＳＭ２  ２４８は、複数の同時に重複する二次時間枠２６０を定義し、各二次時間枠２６２が、一次時間枠内の重複するグルコース測定値のサブセット２６４を定義するグルコース測定値２６６、および対応する重複するグルコース測定値のサブセットの尺度の中心傾向である第２のグルコース尺度の中心傾向を含み、それによりサブモジュールが、複数の第２のグルコース尺度の中心傾向を定義する。サブモジュールは、複数の第２のグルコース尺度の中心傾向内の最も小さい第２のグルコース尺度の中心傾向である、最も小さい第２のグルコース尺度の中心傾向２６８をさらに定義する。タイトレーショングルコースレベル２４６は、最も小さい第２のグルコース尺度の中心傾向２６８と関連付けられ、
・サブモジュールＳＭ３  ２７５は、一次時間枠２３３内の複数の同時に重複する二次時間枠２６０を含み、各二次時間枠２６２が、一次時間枠２３３内のグルコース測定値のサブセット２３６を定義する重複するグルコース測定値のサブセット２６４、および対応する重複するグルコース測定値のサブセット２６４の尺度の変動であるグルコース尺度の変動２７１を含み、それにより複数のグルコース尺度の変動を入手し、それにより、サブモジュールが複数のグルコース尺度の変動を定義する。サブモジュール２７５は、複数のグルコース尺度の変動内の最も小さいグルコース尺度の変動である最も小さいグルコース尺度の変動２７２、および最も小さいグルコース尺度の変動２７２に対応する二次時間枠２６２内のグルコース測定値を含むサブセットである小さいグルコース測定値のタイトレーションサブセット２７３をさらに含む。サブモジュールは、小さいグルコース測定値のタイトレーションサブセット２７３の尺度の中心傾向である、最も小さい第３のグルコース尺度の中心傾向２７４をさらに含む。タイトレーショングルコースレベル２４６は、最も小さい第３のグルコース尺度の中心傾向２７４と関連付けられる。
【００６６】
いくつかの実施形態では、基礎タイトレーション調節モジュール２０４は、任意のブラウザ（電話、タブレット、ラップトップ／デスクトップ）内にアクセス可能である。いくつかの実施形態では、基礎タイトレーション調節モジュール２０４は、ネイティブデバイスフレームワーク上で実行され、ＡｎｄｒｏｉｄまたはｉＯＳなどのオペレーティングシステム２０２を実行する基礎タイトレーション調節デバイス２５０上にダウンロードすることが可能である。
【００６７】
いくつかの実装では、対象の規定のインスリンレジメンにおける持続型インスリン薬剤投与量を自律的に調節するための、基礎タイトレーション調節デバイス２５０の、上述の識別データ要素またはモジュールのうちの１つ以上が、先述の記憶デバイスのうちの１つ以上に記憶され、上述の機能を実施するための一組の命令に対応する。上述の識別されたデータ、モジュール、またはプログラム（例えば、一組の命令）は、別個のソフトウェアプログラム、手順、またはモジュールとして実装される必要はなく、これらのモジュールのさまざまなサブセットを、さまざまな実装で組み合わせるかまたはそうでなければ再配置してもよい。いくつかの実装では、メモリ１９２および／または２９０は、上述の識別されたモジュールのサブセットおよびデータ構造を任意選択的に記憶する。さらに、いくつかの実施形態では、メモリ１９２および／または２９０は、上述のものではない追加のモジュールおよびデータ構造を記憶する。
【００６８】
いくつかの実施形態では、対象の規定のインスリンレジメン２１２における持続型インスリン薬剤投与量２１６を自律的に調節するための基礎タイトレーション調節デバイス２５０は、スマートフォン（例えば、ｉＰＨＯＮＥ）、ノート型パソコン、タブレットコンピュータ、デスクトップコンピュータ、または他の形態の電子デバイス（例えば、ゲームコンソール）である。いくつかの実施形態では、基礎タイトレーション調節デバイス２５０は携帯型ではない。いくつかの実施形態では、基礎タイトレーション調節デバイス２５０は携帯型である。
【００６９】
図３Ａ、３Ｂ、３Ｃ、および３Ｄは、本開示で使用することができる基礎タイトレーション調節デバイス２５０の特定の実施形態のさらなる説明を提供する。図３Ａ〜３Ｄに図示されている基礎タイトレーション調節デバイス２５０は、１つ以上の処理ユニット（ＣＰＵ）２７４、周辺インターフェース３７０、メモリコントローラ３６８、ネットワークまたは他の通信インターフェース２８４、メモリ１９２（例えば、ランダムアクセスメモリ）、ユーザインターフェース２７８、ディスプレイ２８２および入力２８０（例えば、キーボード、キーパッド、タッチスクリーン）を含むユーザインターフェース２７８、任意選択的な加速度計３１７、任意選択的なＧＰＳ３１９、任意選択的なオーディオ回路３７２、任意選択的なスピーカ３６０、任意選択的なマイク３６２、基礎タイトレーション調節デバイス２５０との接続強度を検出するための１つ以上の任意選択的な強度センサ３６４（例えば基礎タイトレーション調節デバイス２５０のタッチセンシティブディスプレイシステム２８２などのタッチセンシティブ表面）、任意選択的な入力／出力（Ｉ／Ｏ）サブシステム３６６、１つ以上の任意選択的な光センサ３７３、前述の構成要素を相互接続するための１つ以上の通信バス２１３、前述の構成要素に電力供給するための電源２７６を有する。
【００７０】
いくつかの実施形態では、入力２８０は、タッチセンシティブ表面などのタッチセンシティブディスプレイである。いくつかの実施形態では、ユーザインターフェース２７８は、１つ以上のソフトキーボードの実施形態を含む。ソフトキーボードの実施形態は、表示されたアイコン上の標準的（ＱＷＥＲＴＹ）および／または非標準的な記号構成を含み得る。
【００７１】
図３に図示されている基礎タイトレーション調節デバイス２５０は、加速度計（複数可）３１７に加えて、任意選択的に、基礎タイトレーション調節デバイス２５０の位置および方向に関連する情報（例えば、ポートレイトまたは風景）を入手するための、ならびに／または対象の身体運動の量を決定するための、磁気計（図示せず）およびＧＰＳ３１９（またはＧＬＯＮＡＳＳ、もしくは他のグローバルナビゲーションシステム）受信機を含む。
【００７２】
図３に図示されている基礎タイトレーション調節デバイス２５０は、対象の規定のインスリンレジメンにおける持続型インスリン薬剤投与量（２１６）を自律的に調節するために使用され得る、多機能デバイスの一例であり、基礎タイトレーション調節デバイス２５０は、図示されているよりも任意選択的に多いかもしくは少ない構成要素を有するか、任意選択的に２つ以上の構成要素を組み合わせるか、または任意選択的に構成要素の異なる構成もしくは配置を有することが理解されるべきである。図３に示されている様々な構成要素は、１つ以上の信号処理および／または特定用途向け集積回路を含む、ハードウェア、ソフトウェア、ファームウェア、またはそれらの組み合わせに実装されている。
【００７３】
図３に図示されている基礎タイトレーション調節デバイス２５０のメモリ１９２は、任意選択的に高速ランダムアクセスメモリを含み、任意選択的に１つ以上の磁気ディスク記憶媒体デバイス、フラッシュメモリデバイス、または他の不揮発性ソリッドステートメモリデバイスなどの不揮発性メモリも含む。ＣＰＵ（複数可）２７４などの基礎タイトレーション調節デバイス２５０の他の構成要素によるメモリ１９２へのアクセスは、任意選択的に、メモリコントローラ３６８によって制御される。
【００７４】
いくつかの実施形態では、図３に図示されている基礎タイトレーション調節デバイス２５０のメモリ１９２は、任意選択的に、複数の生理学的測定値を含む第３のデータセット２４６を含み、各かかる生理学的測定値２４７は、測定値２４８を含む。いくつかの実施形態では、生理学的測定値２４７は、対象の体温である。いくつかの実施形態では、生理学的測定値２４７は、対象の活動性の測定値である。いくつかの実施形態では、これらの生理学的測定値は、追加的なグリセミックリスクの尺度として機能する。いくつかの実施形態では、基礎タイトレーション調節デバイス２５０の任意選択的な加速度計３１７、任意選択的なＧＰＳ３１９、および／または磁気計（図示せず）、または任意選択的に１つ以上のグルコースモニタ１０２および／または１つ以上のペン１０４内のかかる構成要素は、かかる生理学的測定値２４７を取得するために使用される。
【００７５】
周辺インターフェース３７０は、デバイスの入力および出力周辺部をＣＰＵ（複数可）２７４およびメモリ１９２に連結するために使用することができる。１つ以上のプロセッサ２７４は、インスリンレジメンモニタリングモジュール２０４などのメモリ１９２に記憶されている様々なソフトウェアプログラムおよび／または一連の命令を実行（ｒｕｎ）または実行（ｅｘｅｃｕｔｅ）して、基礎タイトレーション調節デバイス２５０の様々な機能を実施し、データを処理する。
【００７６】
いくつかの実施形態では、周辺インターフェース３７０、ＣＰＵ（複数可）２７４、およびメモリコントローラ３６８は、任意選択的に、単一のチップ上に実装される。いくつかの他の実施形態では、それらは、任意選択的に別個のチップ上に実装される。
【００７７】
ネットワークインターフェース２８４のＲＦ（無線周波数）回路は、電磁信号とも呼ばれるＲＦ信号を受信および送信する。いくつかの実施形態では、第１のデータ構造２１０、第１のデータセット２２８、任意選択的な第２のデータセット３２０は、対象と関連付けられているグルコースセンサ１０２、対象と関連付けられているインスリンペン１０４、および／またはデータ収集デバイス２００などの１つ以上のデバイスからのこのＲＦ回路を使用して受信される。いくつかの実施形態では、ＲＦ回路１０８は、電気信号と電磁信号とを変換し、通信ネットワーク、および他の通信デバイス、グルコースセンサ１０２、およびインスリンペン１０４、および／またはデータ収集デバイス２００と電磁信号を介して通信する。ＲＦ回路２８４は、限定されないが、アンテナシステム、ＲＦトランシーバ、１つ以上の増幅器、チューナ、１つ以上の振動器、デジタル信号プロセッサ、ＣＯＤＥＣチップセット、加入者識別モジュール（ＳＩＭ）カード、メモリなどを含む、これらの機能を実施するための周知の回路を任意選択的に含む。ＲＦ回路２８４は、任意選択的に、通信ネットワーク１０６と通信する。いくつかの実施形態では、回路２８４はＲＦ回路を含まず、実際には、１つ以上のハードワイヤ（例えば、光ケーブル、同軸ケーブルなど）を通じてネットワーク１０６に接続される。
【００７８】
いくつかの実施形態では、オーディオ回路３７２、任意選択的なスピーカ３６０、および任意選択的なマイク３６２は、対象と基礎タイトレーション調節デバイス２５０との間のオーディオインターフェースを提供する。オーディオ回路３７２は、周辺インターフェース３７０からオーディオデータを受信し、オーディオデータを電気信号に変換し、電気信号をスピーカ３６０に送信する。スピーカ３６０は、電気信号を人に聞こえる音波に変換する。オーディオ回路３７２はまた、マイク３６２によって音波から変換された電気信号を受信する。オーディオ回路３７２は、電気信号をオーディオデータに変換し、処理のために周辺インターフェース３７０にオーディオデータを送信する。オーディオデータは、任意選択的に、周辺インターフェース３７０によって、メモリ１９２および／またはＲＦ回路２８４から取得および／またはメモリ１９２および／またはＲＦ回路２８４へ送信される。
【００７９】
いくつかの実施形態では、電源２７６は、任意選択的に、電力管理システム、１つ以上の電源（例えば、電池、交流電流（ＡＣ））、再充電システム、電力障害検知回路、電力変換器またはインバータ、電力状態インジケータ（例えば、発光ダイオード（ＬＥＤ））、およびポータブルデバイスの電力の発電、管理、および分配に関連する任意の他の構成要素を含む。
【００８０】
いくつかの実施形態では、基礎タイトレーション調節デバイス２５０はまた、任意選択的に１つ以上の光センサ３７３を含む。光センサ（複数可）３７３としては、任意選択的に、電荷結合デバイス（ＣＣＤ）、または相補的金属酸化物半導体（ＣＭＯＳ）光トランジスタが挙げられる。光センサ（複数可）３７３は、１つ以上のレンズを通じて投影された光を環境から受け、画像を表すデータに光を変換する。光センサ（複数可）３７３は、任意選択的に、さらに静止画像および／またはビデオを捕捉する。いくつかの実施形態では、光センサは、基礎タイトレーション調節デバイス２５０の前面にあるディスプレイ２８２に対向して、基礎タイトレーション調節デバイス２５０の背面に位置するので、入力２８０は静止画像および／またはビデオ画像取得のためのファインダとしての使用を可能にする。いくつかの実施形態では、別の光センサ３７３は、基礎タイトレーション調節デバイス２５０の前面に位置するので、（例えば、対象の健康もしくは状態を検証するため、対象の身体活動レベルを決定するため、または対象の状態の遠隔での診断を助けるため、または対象の視覚的な生理学的測定値２４７を取得するためなど）対象の画像が入手される。
【００８１】
図３に図示されているように、基礎タイトレーション調節デバイス２５０は、様々な基本システムサービスを取り扱うための手順を含むオペレーティングシステム２０２を備えることが好ましい。オペレーティングシステム２０２（例えば、ｉＯＳ、ＤＡＲＷＩＮ、ＲＴＸＣ、ＬＩＮＵＸ、ＵＮＩＸ、ＯＳ  Ｘ、ＷＩＮＤＯＷＳ、またはＶｘＷｏｒｋｓなどの埋め込み式オペレーティングシステム）は、一般的なシステムタスク（例えば、メモリ管理、記憶媒体デバイス制御、電力管理など）を制御および管理するための様々なソフトウェア構成要素および／またはドライバを含み、さまざまなハードウェアとソフトウェア構成要素との間の通信を容易にする。
【００８２】
いくつかの実施形態では、基礎タイトレーション調節デバイス２５０はスマートフォンである。他の実施形態では、基礎タイトレーション調節デバイス２５０は、スマートフォンではないが、タブレットコンピュータ、デスクトップコンピュータ、緊急車両コンピュータ、または他の形態もしくは有線もしくはワイヤレスネットワークのデバイスである。いくつかの実施形態では、基礎タイトレーション調節デバイス２５０は、図２または図３に示されている基礎タイトレーション調節デバイス２５０に見られる回路、ハードウェア構成要素、およびソフトウェア構成要素のうちのいずれかまたはすべてを有する。簡潔性および明瞭性の観点では、基礎タイトレーション調節デバイス２５０に設置される追加のソフトウェアモジュールをよりよく強調するために、基礎タイトレーション調節デバイス２５０の可能性のある構成要素のうちのいくつかのみが示されている。
【００８３】
いくつかの実施形態では、図３Ａ〜３Ｄに図示されているように、対象の規定のインスリンレジメンにおける持続型インスリン薬剤投与量を自律的に調節するための基礎タイトレーション調節デバイス２５０のメモリ１９２はさらに、
・対象によって使用された１つ以上のインスリンペン１０４から入手して規定のインスリンレジメンを適用するための第２のデータセット３２０であって、第２のデータセットが時間経過にわたる複数のインスリン薬剤記録を含み、複数の薬剤記録の各インスリン薬剤記録３２１が、（ｉ）１つ以上のインスリンペン１０４のそれぞれのインスリンペンを使用して対象へのインスリン薬剤注入を表す、それぞれのインスリン薬剤注入イベント３２２、および（ｉｉ）それぞれのインスリン薬剤注入イベントの発生時にそれぞれのインスリンペンによって自動的に生成される、対応する電子タイムスタンプ３２３、を含む、第２のデータセット、ならびに
・それぞれの第１のグルコース尺度の中心傾向２４４では、評価期間を表す三次時間枠３３０と関連付けられ、
・複数の第２のグルコース尺度の中心傾向では、各それぞれの第２のグルコース尺度の中心傾向２６７は、それぞれの第２のグルコース尺度の中心傾向の評価時間を表す時間インジケータ３３１と関連付けられ、それにより評価期間を表す三次時間枠３３０を定義する複数の時間インジケータを入手するか、あるいは
・第３の評価モードの複数のグルコース尺度の変動では、各それぞれのグルコース尺度の変動２６７は、それぞれのグルコース尺度の変動の評価時間を表す時間インジケータ３３１と関連付けられ、それにより評価期間を表す三次時間枠３３０を定義する複数の時間インジケータを入手し、かつ
・タイトレーショングルコースレベル２４６が、三次時間枠３３０と関連付けられ、
・三次時間枠３３０に適用される第１の特徴解析３３５であって、第１の特徴解析３３５が、基礎レジメン適合および基礎レジメン不適合のうちの１つであり、    第２のデータセット３２０が一時的かつ定量的基準に基づいて、それぞれの三次時間枠３３０の間の規定の基礎インスリン薬剤投与量レジメン２１２との適合を確証する１つ以上の薬剤記録を含むと、三次時間枠３３０が基礎レジメン適合と見なされ、第２のデータセット３２０が一時的かつ定量的基準に基づいて、三次時間枠３３０の間の規定の基礎インスリン薬剤投与量レジメン２１２との適合を確証する１つ以上の薬剤記録を含み損なうと、三次時間枠が基礎レジメン不適合と見なされる、三次時間枠３３０に適用される第１の特徴解析３３５、を記憶する。
【００８４】
図１に開示のシステム４８はスタンドアローンで動作することができるが、いくつかの実施形態では、電子医療記録と連結して任意の方式で情報を交換することもできる。
【００８５】
ここで、対象の規定のインスリンレジメンにおける持続型インスリン薬剤投与量を自律的に調節するためのシステム４８の詳細が開示され、本開示の一実施形態によるシステムのプロセスおよび特色のフローチャートに従い、図４Ａ〜４Ｅを参照して詳細が開示される。いくつかの実施形態では、システムのかかるプロセスおよび特色は、図２および３に図示されている基礎タイトレーション調節モジュール２０４によって実行される。
【００８６】
ブロック４０２．ブロック４０２は、プロセスの開始を図示している。
【００８７】
ブロック４１０．図４Ａのブロック４１０を参照すると、１型糖尿病または２型糖尿病のいずれかを有する対象におけるインスリン療法の最終目標は、正常な生理的インスリン分泌に可能な限り近く一致させて、空腹時および食後血漿グルコースを制御することである。図２に図示されているように、基礎タイトレーション調節デバイス２５０は、１つ以上のプロセッサ２７４およびメモリ１９２／２９０を備える。メモリは、１つ以上のプロセッサによって実行されるとき、方法を実施する命令を記憶する。この方法では、第１のデータセット２２８が入手される。第１のデータセット２２８は、１つ以上のグルコースセンサ１０２からの対象のグルコース測定値２３０を含む。図２を図示する。各かかるグルコース測定値２３０は、それぞれの測定値が取られたときに、グルコース測定値タイムスタンプ２３２を用いてタイムスタンプされる。
【００８８】
いくつかの実施形態では、グルコース測定値２３０は、自律的に測定される。ＡＢＢＯＴＴ（「ＬＩＢＲＥ」）によるＦＲＥＥＳＴＹＬＥ  ＬＩＢＲＥ  ＣＧＭは、対象の自律的なグルコース測定を行うためにグルコースセンサ１０２として使用され得る、グルコースセンサの例である。ＬＩＢＲＥは、近づけると、近距離無線通信を介して最高８時間分のデータをリーダーデバイス（例えば、データ収集デバイス２００および／または基礎タイトレーション調節デバイス２５０）に送ることができる、皮膚上に装着するコインサイズのセンサを用いる較正不要のグルコース測定を可能にする。ＬＩＢＲＥは、全日常生活活動において１４日間着用することができる。ブロック４１０を参照すると、いくつかの実施形態では、グルコース測定値は、５分以下、３分以下、または１分以下の間隔で対象から取得される。いくつかの実施形態では、グルコース測定値は、５分以下、３分以下、または１分以下の間隔で、１日以上、２日以上、１週間以上、または２週以上の期間にわたり対象から取得される。いくつかの実施形態では、グルコース測定値は、（例えば、人の手間を取らせず、人の介入なしでなど）自律的に取得される。いくつかの実施形態では、グルコース測定値は、（例えば、人が手間をかけ、人が介入してなど）手動で取得される。
【００８９】
基礎タイトレーション調節デバイス２５０は、基礎インスリン薬剤投与量レジメン２１４を含む規定のインスリンレジメン２１２であって、基礎インスリン薬剤投与量レジメンが持続型インスリン薬剤投与量２１６の量を特定する、規定のインスリンレジメン２１２と、インスリン状態インジケータ２１１であって、インスリン状態インジケータ２１１が、一次時間枠内のグルコース測定値が速効型インスリン薬剤によって影響され得る速効型インスリンの影響状態、および一次時間枠内のグルコース測定値が持続型インスリン薬剤によって影響され得るが、グルコース測定値が速効型インスリン薬剤によって影響され得ない持続型インスリンのみの影響状態を示すことができる、インスリン状態インジケータ２１１と、を含む、第１のデータ構造２１０にアクセスするおよび／または第１のデータ構造を記憶する。
【００９０】
いくつかの実施形態では、持続型インスリン薬剤は、基礎インスリン薬剤投与量レジメン２１４によって特定され、１２〜２４時間である作用持続時間を有する単一インスリン薬剤、またはまとめて１２〜２４時間である作用持続時間を有するインスリン薬剤混合物からなる。かかる持続型インスリン薬剤の例としては、限定されないが、Ｉｎｓｕｌｉｎ  Ｄｅｇｌｕｄｅｃ（商品名Ｔｒｅｓｉｂａ、ＮＯＶＯ  ＮＯＲＤＩＳＫ開発）、ＮＰＨ（Ｓｃｈｍｉｄ，２００７，“Ｎｅｗ  ｏｐｔｉｏｎｓ  ｉｎ  ｉｎｓｕｌｉｎ  ｔｈｅｒａｐｙ．  Ｊ  Ｐｅｄｉａｔｒｉａ（Ｒｉｏ  Ｊ）．８３（Ｓｕｐｐｌ５）：Ｓ１４６−Ｓ１５５）、Ｇｌａｒｇｉｎｅ（ＬＡＮＴＵＳ，  Ｍａｒｃｈ  ２，２００７，インスリングラルギン［ｒＤＮＡ由来］注入物、［処方情報］、Ｂｒｉｄｇｅｗａｔｅｒ，  Ｎｅｗ  Ｊｅｒｓｅｙ：Ｓａｎｏｆｉ−Ａｖｅｎｔｉｓ）、およびＤｅｔｅｒｍｉｒ（Ｐｌａｎｋ  ｅｔ  ａｌ．，２００５，“Ａ  ｄｏｕｂｌｅ−ｂｌｉｎｄ，ｒａｎｄｏｍｉｚｅｄ，ｄｏｓｅ−ｒｅｓｐｏｎｓｅ  ｓｔｕｄｙ  ｉｎｖｅｓｔｉｇａｔｉｎｇ  ｔｈｅ  ｐｈａｒｍａｃｏｄｙｎａｍｉｃ  ａｎｄ  ｐｈａｒｍａｃｏｋｉｎｅｔｉｃ  ｐｒｏｐｅｒｔｉｅｓ  ｏｆ  ｔｈｅ  ｌｏｎｇ−ａｃｔｉｎｇ  ｉｎｓｕｌｉｎ  ａｎａｌｏｇ  ｄｅｔｅｍｉｒ，”Ｄｉａｂｅｔｅｓ  Ｃａｒｅ  ２８：１１０７−１１１２）が挙げられる。
【００９１】
いくつかの実施形態では、規定のレジメンはまた、速効型インスリン薬剤投与量の量を特定するボーラスインスリン薬剤投与量レジメンも含み得る。速効型インスリン薬剤は、ボーラスインスリン薬剤投与量レジメンによって特定され、３〜８時間である作用持続時間を有する単一インスリン薬剤、またはまとめて３〜８時間である作用持続時間を有するインスリン薬剤混合物を含む。かかる速効型インスリン薬剤の例としては、限定されないが、Ｌｉｓｐｒｏ  （ＨＵＭＡＬＯＧ，Ｍａｙ  １８，２００１，インスリンリスプロ［ｒＤＮＡ由来］注入物、［処方情報］、Ｉｎｄｉａｎａｐｏｌｉｓ，Ｉｎｄｉａｎａ：Ｅｌｉ  Ｌｉｌｌｙ  ａｎｄ  Ｃｏｍｐａｎｙ）、Ａｓｐａｒｔ（ＮＯＶＯＬＯＧ，Ｊｕｌｙ  ２０１１，インスリンアスパルト［ｒＤＮＡ由来］注入物、［処方情報］、Ｐｒｉｎｃｅｔｏｎ，Ｎｅｗ  Ｊｅｒｓｅｙ，ＮＯＶＯ  ＮＯＲＤＩＳＫ  Ｉｎｃ．，Ｊｕｌｙ，２０１１）、Ｇｌｕｌｉｓｉｎｅ（Ｈｅｌｍｓ  Ｋｅｌｌｅｙ，２００９，“Ｉｎｓｕｌｉｎ  ｇｌｕｌｉｓｉｎｅ：ａｎ  ｅｖａｌｕａｔｉｏｎ  ｏｆ  ｉｔｓ  ｐｈａｒｍａｃｏｄｙｎａｍｉｃ  ｐｒｏｐｅｒｔｉｅｓ  ａｎｄ  ｃｌｉｎｉｃａｌ  ａｐｐｌｉｃａｔｉｏｎ，”Ａｎｎ  Ｐｈａｒｍａｃｏｔｈｅｒ  ４３：６５８−６６８）、およびＲｅｇｕｌａｒ（Ｇｅｒｉｃｈ，２００２，“Ｎｏｖｅｌ  ｉｎｓｕｌｉｎｓ：ｅｘｐａｎｄｉｎｇ  ｏｐｔｉｏｎｓ  ｉｎ  ｄｉａｂｅｔｅｓ  ｍａｎａｇｅｍｅｎｔ，”Ａｍ  Ｊ  Ｍｅｄ．１１３：３０８−３１６）が挙げられる。
【００９２】
ブロック４２０．図４Ａのブロック４１０を参照すると、方法は、小さいグルコース測定値およびインスリン状態インジケータ２１１の状態に基づいて、タイトレーショングルコースレベル２４６を入手するプロセスステップ（ｂ）へと続く。
【００９３】
ブロック４２２．図４Ａのブロック４２２を参照すると、方法は、（ｉ）タイトレーショングルコースレベルを識別するために使用される第１のデータセットにおけるグルコース測定値２３６を含む期間を定義する、時間経過内の一次時間枠２３３を入手することへと続く。
【００９４】
ブロック４２４．図４Ａのブロック４２４を参照すると、方法は、（ｉｉ）一次時間枠２３３内の小さいグルコース測定値のサブセットとして識別された小さいグルコース測定値のタイトレーションサブセット２４０、２６９、２７３を識別することへと続く。
【００９５】
ブロック４２６．図４Ａのブロック４２６を参照すると、方法は、（ｉｉｉ）小さいグルコース測定値のタイトレーションサブセット２４０、２６９、２７３の尺度の中心傾向２４４、２６８、２７４として算出された、タイトレーショングルコースレベル２４６を入手することへと続き、尺度の中心傾向が、一次時間枠の小さいグルコース測定値の尺度を表す。
【００９６】
ブロック４２８．図４Ａのブロック４２８を参照すると、方法は、（ｉｖ）タイトレーショングルコースレベル２４６を尺度の中心傾向２４４、２６８、２７４と関連付け、それによりタイトレーショングルコースレベルを入手するプロセスステップ（ｂ）を完了することへと続く。
【００９７】
ブロック４４０．図４Ａのブロック４４０を参照すると、方法は、入手されたタイトレーショングルコースレベル２４６に基づいて、持続型インスリン薬剤投与量２１６を調節または維持するプロセスステップ（Ｃ）へと続く。
【００９８】
ブロック４０4．ブロック４０４は、プロセスの終了を図示している。
【００９９】
図４Ａから明らかなように、方法は、グルコース測定値が入手されるステップＡ、タイトレーショングルコースレベルが入手されるステップＢ、および持続型インスリンがグルコースタイトレーションレベルに基づいて調節されるステップＣ、の全体的なステップに分割することができる。
【０１００】
図４Ｂを参照すると、本開示によるいくつかの実施形態では、ステップＢでは、タイトレーショングルコースレベル２４６を入手することは、インスリン状態インジケータの状態に基づいて、次の評価モード：サブプロセスＢ１によって示されている第１の評価モード、サブプロセスＢ２によって図示されている第２の評価モード、およびサブプロセスＢ３によって図示されている第３の評価モードのうちの１つを選択することをさらに含む。
【０１０１】
ブロック４５０．図４Ｃのブロック４５０を参照すると、方法は、サブプロセスＢ１を用いて第１の評価モードへと続くことができ、方法が、一次時間枠では、（ｉ）小さいグルコース測定値のタイトレーションサブセット２４０に対して選択されるグルコース測定回数を定義する整数２３４を入手することをさらに含む。
【０１０２】
ブロック４５２．図４Ｃのブロック４５２を参照すると、方法は、（ｉｉ）一次時間枠２３３内の最も小さいグルコース測定値を識別および選択すること、ならびに小さいグルコース測定値のタイトレーションサブセット２４０内の測定回数が入手した整数２３４と等しいことを確認することによって、最も小さいグルコース測定値のサブセットとして小さいグルコース測定値のタイトレーションサブセット２４０を識別および選択することへと続く。
【０１０３】
ブロック４５４．図４Ｃのブロック４５４を参照すると、方法は、（ｉｉｉ）第１のグルコース尺度の中心傾向２４４を入手し、かつ小さいグルコース測定値のタイトレーションサブセット２４０内のグルコース測定値の尺度の中心傾向として算出することへと続く。
【０１０４】
ブロック４５６．図４Ｃのブロック４５６を参照すると、方法は、タイトレーショングルコースレベル２４６を第１のグルコース尺度の中心傾向２４４と関連付けることへと続き、それにより、図４Ｂに図示されているようにタイトレーショングルコースレベル２４６を方法ステップＣに供給することができる。
【０１０５】
第１の評価モードによるタイトレーショングルコースレベルを入手するプロセスも、図６Ｂに概略的に図示されている。整数２３４が入手され、小さいグルコース測定値のタイトレーションサブセット２４０が入手され、第１のグルコース尺度の中心傾向が評価され得、タイトレーショングルコースレベル２４６が入手される。
【０１０６】
ブロック４６０．図４Ｃのブロック４６０を参照すると、方法は、サブプロセスＢ２を用いる第２の評価モードへと続き得、方法が、一次時間枠２３３では、一次時間枠２３３内の同時に重複する複数の二次時間枠２６０を入手することをさらに含み、各二次時間枠２６２が、一次時間枠２３３のグルコース測定値のサブセット２３６である重複するグルコース測定値のサブセット２６４を含む。
【０１０７】
ブロック４６２．図４Ｃのブロック４６２を参照すると、方法は、複数の二次時間枠２６０内の各二次時間枠２６２の、対応する第２のグルコース尺度の中心傾向２６７を算出することへと続き、それにより複数の第２のグルコース尺度の中心傾向を入手し、各それぞれの第２のグルコース尺度の中心傾向２６７が、対応する二次時間枠２６２内のグルコース測定値の尺度の中心傾向として算出される。ここでは、一次時間枠におけるグルコース測定値にわたる、尺度の中心傾向の移動期間を入手する。
【０１０８】
ブロック４６４．図４Ｃのブロック４６４を参照すると、方法は、複数の第２のグルコース尺度の中心傾向では、最も小さい第２のグルコース尺度の中心傾向２６８を複数の第２のグルコース尺度の中心傾向内の最も小さい第２のグルコース尺度の中心傾向として識別することへと続き、それにより、小さいグルコース測定値のタイトレーションサブセット２６９が、最も小さい第２のグルコース尺度の中心傾向２６８に対応する二次時間枠２６２内のグルコース測定値を含むサブセットとして識別される。
【０１０９】
ブロック４６６．図４Ｃのブロック４６６を参照すると、方法は、タイトレーショングルコースレベル２４６を最も小さい第２のグルコース尺度の中心傾向２６８と関連付けることへと続き、それにより、図４Ｂに図示されているようにタイトレーショングルコースレベル２４６を方法ステップＣに供給することができる。
【０１１０】
第２の評価モードによるタイトレーショングルコースレベルを入手するプロセスも、図６Ｃに概略的に図示されている。複数の二次時間枠が入手され、第２のグルコース尺度の中心傾向２６７が二次時間枠の各々と関連付けられ、それにより複数の第２のグルコース尺度の中心傾向が作成される。次に、最も小さい第２のグルコース尺度の中心傾向は、第２のグルコース尺度の中心傾向２６７−２の図示されている例では、複数の第２のグルコース尺度の中心傾向の中で最も小さい第２のグルコース尺度の中心傾向２６８として識別され、対応する二次時間枠２６２−２は、小さいグルコース測定値のタイトレーションサブセット２６９として識別され、最も小さい第２のグルコース尺度の中心傾向２６８は、タイトレーショングルコースレベル２４６と関連付けられることができ、それによりタイトレーショングルコースレベルが入手され、持続型インスリン薬剤の用量の調節に使用することができる。
【０１１１】
ブロック４７０．図４Ｄのブロック４７０を参照すると、方法は、サブプロセスＢ３を用いる第３の評価モードへと続き得、方法が、一次時間枠２３３では、一次時間枠２３３内の同時に重複する複数の二次時間枠２６０を入手することをさらに含み、各二次時間枠２６２が、一次時間枠２３３のグルコース測定値のサブセット２３６である重複するグルコース測定値のサブセット２６４を含む。
【０１１２】
ブロック４７２．図４Ｄのブロック４７２を参照すると、方法は、複数の二次時間枠２６０内の各二次時間枠２６２では、対応するグルコース尺度の変動２７１を算出することへと続き、それにより複数のグルコース尺度の変動を入手し、各それぞれのグルコース尺度の変動２７１が、対応する二次時間枠２６２内のグルコース測定値の尺度の変動として算出され、それにより一次時間枠でのグルコース測定値にわたる尺度の変動の移動期間を入手する。
【０１１３】
ブロック４７４．図４Ｄのブロック４７４を参照すると、方法は、複数のグルコース尺度の変動では、最も小さいグルコース尺度の変動２７２を複数のグルコース尺度の変動内の最も小さいグルコース尺度の変動として識別することへと続き、それにより、小さいグルコース測定値のタイトレーションサブセット２７３が、最も小さいグルコース尺度の変動２７２に対応する二次時間枠２６２内のグルコース測定値を含むサブセットとして識別される。
【０１１４】
ブロック４７６．図４Ｄのブロック４７６を参照すると、方法は、最も小さい第３のグルコース尺度の中心傾向２７４を小さいグルコース測定値のタイトレーションサブセット２７３の尺度の中心傾向として算出することへと続く。
【０１１５】
ブロック４７８．図４Ｄのブロック４７８を参照すると、方法は、タイトレーショングルコースレベル２４６を、最も小さい第３のグルコース尺度の中心傾向２７４と関連付けることへと続く。
【０１１６】
第３の評価モードによるタイトレーショングルコースレベルを入手するプロセスも、図６Ｄに概略的に図示されている。複数の二次時間枠が入手され、グルコース尺度の変動２７１が二次時間枠の各々と関連付けられ、それにより複数のグルコース尺度の変動が作成される。次に、最も小さいグルコース尺度の変動は、二次時間枠２６２−２である、図示されている例では、複数のグルコース尺度の変動の中で最も小さいグルコース尺度の変動２７２として識別され、対応する二次時間枠２６２−２は、小さいグルコース測定値のタイトレーションサブセット２７３として識別され、第３のグルコース尺度の中心傾向２７４は、小さいグルコース測定値のタイトレーションサブセット２７３に基づいて評価され、タイトレーショングルコースレベル２４６と関連付けられ、それによりタイトレーショングルコースレベルが入手され、持続型インスリン薬剤の用量の調節に使用することができる。
【０１１７】
ブロック４３０．図４Ｃのブロック４３０を参照すると、本開示によるいくつかの実施形態では、方法は、インスリン状態インジケータ２１１の状態を識別することに応じて、インスリン状態インジケータの状態が持続型インスリンのみの影響状態として識別されると、第１または第２の評価モードを選択し、それにより速効型インスリン薬剤がグルコース測定値２３６に影響していないことが確認されると、持続型インスリン薬剤を用いるタイトレーションに好ましいタイトレーショングルコースレベル２４６を入手するための好ましい方法を使用することをさらに含む。
【０１１８】
ブロック４３０．図４Ｃのブロック４３０を参照すると、本開示によるいくつかの実施形態では、方法は、インスリン状態インジケータ３１０の状態を識別することに応じて、インスリン状態インジケータの状態が速効型インスリンの影響状態として識別されると、第３の評価モードを選択し、それにより速効型インスリン薬剤がグルコース測定値２３６に影響していることが識別されると、持続型インスリン薬剤を用いるタイトレーションに好ましいタイトレーショングルコースレベル２４６を入手するための好ましい方法を使用することをさらに含む。
【０１１９】
ブロック４３２．図４Ｃのブロック４３２を参照すると、本開示によるいくつかの実施形態では、第１のデータ構造は、低血糖リスク状態インジケータをさらに含み、低血糖リスク状態インジケータが、対象が高い低血糖リスクを有し得るか、または複数のグルコース測定値にわたる高い変動が観察され得る高い低血糖リスク状態、および対象の高くない低血糖リスクを有し得るか、または複数のグルコース測定値にわたる低い変動が観察され得る高くない低血糖リスク状態を示すことができ、ならびに方法は、低血糖リスク状態インジケータの状態を識別することに応じて、低血糖リスク状態インジケータの状態が、高い低血糖リスク状態として識別されることに応じて、第１の評価モードを選択し、それにより低グルコース値およびノイズとの状況で有益であり得るタイトレーショングルコースレベル２４６を入手するための方法を使用することを、さらに含む。
【０１２０】
ブロック４３２．図４Ｃのブロック４３２を参照すると、本開示によるいくつかの実施形態では、第１のデータ構造は、低血糖リスク状態インジケータをさらに含み、低血糖リスク状態インジケータが、対象が高い低血糖リスクを有し得るか、または複数のグルコース測定値にわたる高い変動が観察され得る高い低血糖リスク状態、および対象が高くない低血糖リスクを有し得るか、または複数のグルコース測定値にわたる低い変動が観察され得る高くない低血糖リスク状態を示すことができ、ならびに方法は、低血糖リスク状態インジケータの状態を識別することに応じて、低血糖リスク状態インジケータの状態が、高くない血糖リスク状態として識別されると、第２の評価モードを選択し、それによりこれらの状況下で有益であり得るタイトレーショングルコースレベル２４６を入手するための方法を使用することを、さらに含む。
【０１２１】
本開示のいくつかの実施形態では、尺度の変動２７１は、分散である。例えば、いくつかの実施形態では、移動する尺度の変動は、グルコース測定値にわたる分散の移動期間
2020524844.tif 000003
であり、
2020524844.tif 000004
式中、Ｇｉが複数のグルコース測定値の部分ｋにおけるｉ番目のグルコース測定値であると見なされ、Ｍが複数のグルコース測定値におけるグルコース測定回数であり、連続する所定時間スパン、すなわち二次時間枠を表し、
2020524844.tif 000005
が、第１のデータセット２２８の複数のグルコース測定値から選択されるＭグルコース測定値の平均であり、ｋが、第１の時間枠内である。
【０１２２】
本開示のいくつかの実施形態では、尺度の中心傾向２４４、２６８、２７４は、平均値である。例えば、いくつかの実施形態では、移動する中心傾向の尺度は、グルコース測定値にわたる移動平均（ｍｏｖｉｎｇ  ｍｅａｎ）、すなわち移動平均（ｍｏｖｉｎｇ  ａｖｅｒａｇｅ）μｋであり、
2020524844.tif 000006
式中、Ｇｉが複数のグルコース測定値の部分ｋにおけるｉ番目のグルコース測定値であると見なされ、Ｍが複数のグルコース測定値におけるグルコース測定回数であり、連続する所定時間スパン、すなわち二次時間枠を表し、ｋが、第１の時間期間内である。
【０１２３】
本開示のいくつかの実施形態では、方法は、繰り返すことに基づいて繰り返される。例えば、持続型インスリン薬剤の用量を調節するかどうか、およびどの程度調整するかは、毎日要求され得、これは毎日タイトレーショングルコースレベルが評価されることを意味する。
【０１２４】
本開示のいくつかの実施形態では、方法は、図３Ａ〜３Ｄに図示されているように、対象によって使用された１つ以上のインスリンペン１０４からの第２のデータセット３２０を入手して、規定のインスリンレジメンを適用することをさらに含み、第２のデータセットが時間経過にわたる複数のインスリン薬剤記録を含み、複数の薬剤記録の各インスリン薬剤記録３２１は、（ｉ）１つ以上のインスリンペン１０４のそれぞれのインスリンペンを使用して対象へのインスリン薬剤注入を表す、それぞれのインスリン薬剤注入イベント３２２、および（ｉｉ）それぞれのインスリン薬剤注入イベントの発生時にそれぞれのインスリンペンによって自動的に生成される、対応する電子タイムスタンプ３２３を含む。第１の評価モードでの第１のグルコース尺度の中心傾向２４４では、第１のグルコース尺度の中心傾向を評価期間を表す三次時間枠３３０と関連付け、三次時間枠の最近の終点６１４が、一次時間枠２３３の最近の終点６１２と同期され、図６Ａのマークを付けた領域６０４に図示されているように、一次枠および三次枠が同じ長さである。あるいは、第２の評価モードでの複数の第２のグルコース尺度の中心傾向では、各それぞれの第２のグルコース尺度の中心傾向２６７を、それぞれの第２のグルコース尺度の中心傾向の評価の時間を表す時間インジケータ３３１と関連付け、それにより評価期間を表す三次時間枠３３０を定義する複数の時間インジケータを入手し、三次時間枠の最近の終点６１４が、一次時間枠の最近の終点６１２と同期され、図６Ａのマークを付けた領域６０２に図示されているように、三次時間枠３３０の長さ６１５が、一次時間枠２３３の長さ６１３よりも短い。あるいは、第３の評価モードでの複数のグルコース尺度の変動では、各それぞれのグルコース尺度の変動２６７を、それぞれのグルコース尺度の変動の評価の時間を表す時間インジケータ３３１と関連付け、それにより評価期間を表す三次時間枠３３０を定義する複数の時間インジケータを入手し、三次時間枠の最近の終点６１４が、一次時間枠の最近の終点（６１２）と同期され、三次時間枠３３０の長さ６１５が、一次時間枠２３３の長さ６１３よりも短い。これはまた、図６Ａのマークを付けた領域６０４に図示されている。方法は、図６Ｅおよび６Ｆに図示されているように、タイトレーショングルコースレベル２４６を三次時間枠３３０と関連付けること、および第１の特徴解析３３５を三次時間枠３３０に適用すること（図示せず）によって続き、第１の特徴解析３３５が、基礎レジメン適合および基礎レジメン不適合のうちの１つであり、第２のデータセット３２０が一時的かつ定量的基準に基づいて、それぞれの三次時間枠３３０の間の規定の基礎インスリン薬剤投与量レジメン２１２と適合を確証する１つ以上の薬剤記録を含むと、三次時間枠３３０が基礎レジメン適合と見なされ、第２のデータセット３２０が一時的かつ定量的基準に基づいて、三次時間枠３３０の間の規定の基礎インスリン薬剤投与量レジメン２１２との適合を確証する１つ以上の薬剤記録を含み損なうと、三次時間枠は基礎レジメン不適合と見なされる。以下、方法は、対象の基礎インスリン薬剤投与量レジメン２１４における持続型インスリン薬剤投与量２１６を、基礎レジメン適合と見なされる三次時間枠３３０によって表されるタイトレーショングルコースレベル２４４に基づいて、かつ基礎レジメン不適合と見なされる三次時間枠３３０によって表されるタイトレーショングルコースレベル２４４を除外することによって、調節することへと続き得る。
【０１２５】
図２Ａおよび図６Ａに図示されているように、いくつかの実施形態では、第１のデータ構造２１０は、複数の連続するエポックを含み、各それぞれのエポック２１８が、それぞれのエポック２１８内で基礎インスリン薬剤が注入されるとき、および基礎インスリン薬剤の注入される量を示す基礎インスリン薬剤投与量２１６と関連付けられている。それにより、第１のデータ構造２１０は、第１の特徴解析に対する一時的かつ定量的基準を提供する。いくつかの実施形態では、三次枠３３０の長さ６１５は、エポック２１８の各々の長さ６１９よりも長いか、または同じである。いくつかの実施形態では、三次時間枠の終点６１４は、現在のエポックの終点６１８と同期され、現在のエポックが複数のエポック内の最近完了したエポックである。
【０１２６】
図６Ｅおよび６Ｆに図示されているように、いくつかの実施形態では、複数のエポックの各それぞれのエポック２１８は三次時間枠３３０と関連付けられ、それにより各三次時間枠が評価期間を表し、各三次枠が一時的基準に基づくそれぞれのエポックにアラインされ、各三次時間枠３３０がタイトレーショングルコースレベル２４６と関連付けられている、複数の三次時間枠を入手する。
【０１２７】
いくつかの実施形態では、第１のデータ構造は、複数のエポック内のエポック２１８の各々の、持続型インスリン薬剤の投与の一時的かつ定量的基準の特定を含む。いくつかの実施形態では、持続型インスリン薬剤の定量的基準は、タイトレーショングルコースレベルに相関する。いくつかの実施形態では、一時的基準は、複数のエポック内の各エポック２１８の１回の注入として特定される。いくつかの実施形態では、図６Ｅおよび６Ｆに図示されているように、複数のエポックの各エポック２１８は、暦日または暦週である。
【０１２８】
いくつかの実施形態では、複数のグルコース測定値の連続する測定値は、５分以下、３分以下、または１分以下の間隔で自律的に対象から取得される。いくつかの実施形態では、デバイスは、さらにワイヤレス受信機２８４を備え、第１のデータセットが、対象に取り付けられたグルコースセンサ１０２からワイヤレスで入手され、かつ／あるいは第２のデータセットが、１つ以上のインスリンペン１０４からワイヤレスで入手される。
【０１２９】
いくつかの実施形態では、第１のデータ構造は、低血糖リスク状態インジケータ３１１をさらに含み、低血糖リスク状態インジケータ３１１は、対象が高い低血糖リスクを有し得るか、あるいは複数のグルコース測定値にわたる高い変動が観察され得る高い低血糖リスク状態、および対象が高くない低血糖リスクを有し得るか、あるいは複数のグルコース測定値にわたる低い変動が観察され得る高くない低血糖リスク状態を示すことができる。図４Ｂのブロック４３２を参照すると、低血糖リスク状態インジケータの状態を識別することに応じて、方法は、低血糖リスク状態インジケータの状態が、高い低血糖リスク状態として識別されると、第１の評価モードを選択することをさらに含み、それにより低グルコース値およびノイズの場合により有益なタイトレーショングルコースレベル２４６を入手するための方法を使用することを、さらに含む。
【０１３０】
いくつかの実施形態では、二次時間枠は、５０分〜７０分、６０分〜１２０分、１２０分〜１８０分、または１８０分〜３００分である。いくつかの実施形態では、複数のグルコース測定値の連続する測定値は、４分〜６分の間隔で自律的に対象から取得され、二次時間枠は、５０分〜７０分である。いくつかの実施形態では、複数のグルコース測定値の連続する測定値は、４０分〜８０分の間隔で自律的に対象から取得され、二次時間枠は、１８０分〜３１０分である。
【０１３１】
第１、第２および第３の評価モードを適用するサブプロセスＢ１、Ｂ２、およびＢ２のフローチャートは、図４Ｂ〜４Ｄにそれぞれ図示されており、図７Ａ〜図７Ｆは、タイトレーショングルコースレベルを入手するために小さいグルコース測定値のタイトレーションサブセットがどのように入手されるかの例をさらに図示している。
【０１３２】
図７Ａ、７Ｃ、および７Ｅは、患者が基礎インスリンのみを受けており、したがって低グルコース値が基礎インスリン注入または内因性インスリン、または他の自然な原因によってのみ生じ得る、第１のケースを図示している。図７Ｂ、７Ｄ、および７Ｆに図示されている第２のケースでは、患者は、速効型インスリンを用いる注入に関連する頻回注入（ＭＤＩ）治療を受けており、したがって、小さなグルコース値は基礎インスリン注入または内因性インスリン産生に関係している必要はないが、食事中に摂取された炭水化物で構成されているか、または食後の高グルコースレベルを修正するために使用される（補正ボーラス）速効型インスリンによっても生じ得る。図７Ａ〜７Ｆの例は、２４時間の時間経過中に入手されたグルコースデータを図示しており、暦時間は、長方形７１０によって図示されている。ユーザがタイトレーショングルコースレベルの計算を要求する、一次時間枠２３３、三次時間枠３３０、エポック２１８、および要求時間６１０も、図に示されている。模様付き長方形７０２は、血糖レベルの望ましい範囲を定義する上限および下限を示している。
【０１３３】
図７Ａおよび７Ｂを参照すると、上部パネル７０４は、時間経過内の複数のグルコース測定値から入手された、時間と相関するグルコースレベルを図示している。上部からの２番目のパネル７０６、上部から３番目のパネル７０８、および上部から４番目のパネル７１２はそれぞれ、５時間、３時間、および１時間のサンプリングに対応する最も低いグルコース値を示し、サンプリング速度は、５分ごとに１回のサンプルまたは測定値である、すなわち１時間当たり１２回の測定値である。したがって、５時間のサンプリングは６０回の測定値に対応し、上部から２番目のパネルは６０回の最も小さいまたは最も低い測定値を示し、３時間のサンプリングは３６回の測定値に対応し、上部から３番目のパネルは３６回の最も小さい測定値を示し、１時間は１２回の測定値に対応し、上部から４番目（下部パネル）は１２回の最も小さい測定値を示している。多数の最も小さいグルコース測定値を含有するセットの各々は、小さいグルコース測定値のタイトレーションサブセット２６９として使用することができ、タイトレーショングルコースレベル２４６を評価するために使用することができる。小さいグルコース測定値のタイトレーションサブセットでの測定回数を定義するために使用される整数２３４は、本明細書ではサンプリング速度と時間枠との成果物として入手され、例えば１時間の間の、１時間当たり１２回の測定値は、１２回の測定値である。整数は、一次時間枠内の合計測定回数の一部の最も近い整数としても特定され得る。図７Ａに図示されているグルコースデータでは、患者は、基礎インスリンのみを受けており、そのため低グルコース値は、内因性インスリンおよび持続型インスリンにのみ関係する。ここでは、１月２０日９：００頃に最も低い平均値が見られる。図７Ｂに図示されているグルコースデータでは、患者は、夕食後に補正ボーラスを摂取し、これにより２０：００頃グルコースの減少が生じている。ここでは、１月１９日２０：００頃に最も低い平均値が見られる。
【０１３４】
図７Ｃおよび７Ｄを参照すると、上部パネル７１４は、時間経過内の複数のグルコース測定値から入手された、時間と相関するグルコースレベルを図示している。第２のパネル７１６は、それぞれ５時間、３時間、および１時間の異なる枠サイズの移動平均グルコースを示している。最も低い評価平均は、タイトレーショングルコースレベルとして使用することができる。図示されている三次枠３３０は、５時間枠（二次時間枠は５時間である）を使用する移動平均に対応する。図７Ｃに図示されているグルコースデータでは、患者は、基礎インスリンのみを受けており、そのため低グルコース値は、内因性インスリンおよび持続型インスリンにのみ関係する。ここでは、１月２０日９：００頃に、１時間枠の最も小さい平均値７３０が見られる。９：３０頃に、３時間枠の最も小さい平均値７３１が見られる。１０：００頃に、５時間枠の最も小さい平均値７３２が見られる。図７Ｄに図示されているグルコースデータでは、患者は、夕食後に補正ボーラスを摂取し、これにより２０：３０頃グルコースの減少が生じている。ここでは、１月１９日２０：３０頃に、１時間枠の最も小さい平均値７３３が見られる。１７：００頃に、３時間枠の最も小さい平均値７３４が見られる（３時間枠での三次期間の開始）。１９：００頃に、５時間枠の最も小さい平均値７３５が見られる（５時間枠での三次期間３３０の開始）。
【０１３５】
図７Ｅおよび７Ｆを参照すると、上部パネル７１８は、時間経過内の複数のグルコース測定値から入手された、時間と相関するグルコースレベルを図示している。第２のパネル７２０は、それぞれ５時間、３時間、および１時間の異なる枠サイズのグルコース測定値の移動分散を示している。最も小さい評価された分散を使用して、小さいグルコース値のタイトレーションサブセットを識別することができ、これはタイトレーショングルコースレベルを評価するために使用することができる。図示されている三次枠３３０は、５時間枠（二次時間枠は５時間である）を使用する移動平均に対応する。図７Ｅに図示されているグルコースデータでは、患者は、基礎インスリンのみを受けており、そのため低グルコース値は、内因性インスリンおよび持続型インスリンにのみ関係する。この場合、基礎インスリンまたは内因性インスリンによって最も低い値が生じることがわかっているため、低い分散ではなく最も低いグルコース値に注目する。３：３０頃に、１時間枠の最も低い移動分散７３６が見られる。３時間枠では、４：４５頃に３時間枠の最も小さい移動分散７３７が見られる。５時間枠では、５：１５頃に５時間枠の最も低い移動分散７３８が見られる。図７Ｆに図示されているグルコースデータでは、患者は、基礎およびボーラスインスリンを受けている。患者は、夕食後に補正ボーラスを摂取し、これにより２０：００頃グルコースの減少が生じている。この場合、最も低いグルコース値は、基礎インスリンではなくボーラスによって生じているため、注目しない。１３：００頃に、１時間枠の最も低い移動分散７３９が見られる。３時間枠では、３：２０頃に３時間枠の最も小さい移動分散７４０が見られる。３時間枠はまた、０１：００頃に０３：２０頃の一時的な低下とほぼ同じ低さの一時的な低下を有する。５時間枠では、０３：４０頃に、５時間枠の最も低い移動分散７４１が見られる。
【０１３６】
2020524844.tif 000007
【０１３７】
移動平均が使用されている図７Ｃを移動分散が使用されている図７Ｅと比較すると、最も小さい分散が時間枠に応じて４：００頃見られる一方で、最も小さい平均値はまた、時間枠にも応じて９〜１０時の間で見られる。この場合、基礎インスリンまたは内因性インスリンによって最も低い値が生じることがわかっているため、低い分散ではなく最も低い値に注目する。
【０１３８】
移動平均が使用されている図７Ｄを移動分散が使用されている図７Ｆと比較すると、最も小さい分散が夜間３：３０頃見られる（３〜５時間のフレームサイズ、タイミングはフレームサイズに実際に応じる）一方で、最も小さい移動平均は、枠またはフレームサイズにも応じて１７：００頃および１９〜２０：３０頃見られる。この場合、最も低いグルコース値は、基礎インスリンではなくボーラスによって生じているため、注目しない。
【０１３９】
用量ガイダンスの前の持続型インスリンのアルゴリズムは、例えば、空腹時グルコース測定値としてグルコース測定値がタグ付けされている、空腹時グルコースレベルに基づいて計算される。図７Ｅおよび７Ｆに開示の実施形態では、第３の評価モードを使用して、グルコースの低い分散期間に基づいて、空腹期間の期間を決定する。このようにしてタイトレーショングルコースレベルを識別するための論点は、空腹中よりも、外部グルコースが体内に入る期間の間にグルコース分散が典型的にはより高いことである。グルコースレベルが、例えば外部速効型インスリンによって影響を受けているという情報をアルゴリズムが利用または識別することができるこのアプローチが、ＭＤＩ治療を念頭において作成されている。したがって、持続型インスリンの用量ガイダンスアルゴリズムのためのタイトレーショングルコースレベルが低グルコース値を使用して決定される第２の評価モードを使用する、図７Ａおよび７Ｂに開示の実施形態による異なるアプローチが提示される。タイトレーショングルコースレベルの定義は、空腹時グルコース値である必要はなく、用量計算が低いグルコース値に基づくグルコースタイトレーションレベルであることを強調するために使用される。グルコースの低い分散の期間を使用する代わりに、グルコースが速効型インスリンによる影響を受けていないという情報を使用し、特定の時間枠内の低い平均グルコースの期間を使用する。例えば、３時間の移動平均枠を使用し、タイトレーショングルコースレベルとして最も低い値を有する枠を選択する。最も低い値を生じる速効型インスリンがないこと、すなわち、すべての低下したグルコース値が持続型インスリンまたは生理学的変化に起因することが確実であるため、これは持続型インスリン治療において有用である。
【０１４０】
所定の時間間隔の間のグルコースレベルの最も低い平均を選択する（すなわち、所定の時間間隔が６０分、測定頻度が５分である場合、１２回の連続する測定値の最も小さい値２８８を選択する）ことによって、タイトレーショングルコースレベルを検出する。
【０１４１】
このアプローチは、Ｎ回の連続する測定値の移動平均（ＭＡ）を計算し、
2020524844.tif 000008
式中、Ｇがグルコース測定値であり、下付き文字ｉが特定の時点でのサンプルであり、Ｎが各平均のサンプル数であり、期間のタイトレーショングルコースレベルが下式によって決定される。
2020524844.tif 000009
【０１４２】
所定の時間に空腹になると仮定する方法とは反対に、このアプローチは、不規則な日課を有する人々（シフト作業員など）および日課が通常の慣習から逸脱する人々（例えば、朝食をとらない）の負担を軽減する（図７Ａを参照）。連続するグルコース測定値の頻度は変動し得、例えば、ほぼ連続〜最大１時間の信号の範囲であり得る。
【実施例１】
【０１４３】
第１の評価モード−最も低い測定値のサブセット
この方法は、低いグルコースレベルを標的とする移動平均と同様である。したがって、基礎インスリン治療に関連する。この方法は、移動平均よりも低い値およびノイズにより感度が高く、例えば高い低血糖および高いグルコース変動を有する患者を対象にする場合、有益であり得る。先述のように、実施形態の例は、図７Ａおよび７Ｂに見ることができる。
【実施例２】
【０１４４】
第２の評価モード−移動平均（ｒｕｎｎｉｎｇ  ａｖｅｒａｇｅ）または移動平均（ｍｏｖｉｎｇ  ａｖｅｒａｇｅ）
基礎インスリンタイトレーションでは、典型的には、過去３日間からの空腹時グルコースレベルを使用して、次の用量サイズを決定する。この実施形態では、ＤｅｘＣｏｍ  Ｇ５を例として使用する。ＣＧＭは、過去５分の平均グルコースレベルを表す、５分ごとのグルコースレベルを出力する。過去０〜２４、２４〜４８、および４８〜７２時間にわたる最も低い平均グルコースレベルを選択することによってＴＧＬを検出して、過去３日間のＴＧＬを入手する。各２４時間の長い時間間隔では、６０分の枠または１２回の連続するＣＧＭ測定は、グルコースデータを通して実行され、各枠の平均が計算される。
【０１４５】
このアプローチは、次の等式を使用して５分間隔の１２回の連続する測定値の移動平均（ＭＡ）を計算し、
2020524844.tif 000010
式中、Ｇがグルコース測定値であり、下付き文字ｉが現在のサンプルを指し、時間間隔０〜２４時間の空腹時グルコースが下式によって決定される。
【０１４６】
2020524844.tif 000011
先述のように、１、３、５時間の時間フレームの結果のうちの２つの例が、図７Ｃおよび７Ｄに示されている。
【０１４７】
第１のケースでは、患者が基礎インスリンのみを受けており、したがって低グルコース値が基礎インスリン注入または内因性インスリン（または他の自然な原因）によってのみ生じ得る。第２のケースでは、患者は、ＭＤＩ治療を受けており、したがって低グルコース値は必ずしも基礎注入または内因性産生に関係しないが、食事または補正ボーラスによっても生じ得る。
【実施例３】
【０１４８】
第３の評価モード−移動分散
持続型および速効型インスリンを含むＭＤＩ治療用の用量ガイダンスアルゴリズムは、空腹時グルコースならびに食前グルコースレベルに基づいて計算される。タイトレーショングルコースレベルとして使用される空腹期間を決定する目的で、グルコースの低い分散期間を検出する。これは、グルコース分散が、典型的には、空腹時よりも、外部グルコースが体内に入る期間中に高いためである。この方法は、移動平均と同様で、時間フレーム内の平均値を計算する代わりに、時間フレーム内の分散を計算する。先述のように、実施形態の例は、図７Ｅおよび７Ｆに見ることができる。
【０１４９】
実施形態リスト
実施形態の第１のリストでは、持続型インスリンレジメンを調節するために適合された基礎タイトレーション調節デバイスが提供され、デバイスは、小さいグルコース測定値およびインスリン状態インジケータの状態に基づいて、タイトレーショングルコースレベルを入手するために適合されている。
【０１５０】
１．対象の規定のインスリンレジメンにおける持続型インスリン薬剤投与量を自律的に調節するための基礎タイトレーション調節デバイス２５０であって、デバイスが、１つ以上のプロセッサ２７４およびメモリ１９２／２９０を備え、メモリが、
基礎インスリン薬剤投与量レジメン２１４を含む規定のインスリンレジメン２１２であって、基礎インスリン薬剤投与量レジメンが持続型インスリン薬剤投与量２１６を特定する、規定のインスリンレジメン２１２と、インスリン状態インジケータ２１１であって、インスリン状態インジケータ２１１が、一次時間枠内のグルコース測定値が速効型インスリン薬剤によって影響され得る速効型インスリンの影響状態、および一次時間枠内のグルコース測定値が持続型インスリン薬剤によって影響され得るが、測定値が速効型インスリン薬剤によって影響され得ない持続型インスリンのみの影響状態を示すことができる、インスリン状態インジケータ２１１と、命令と、を含む、第１のデータ構造２１０を含み、命令が、１つ以上のプロセッサによって実行されるとき、
（Ａ）第１のデータセット２２８を入手することであって、第１のデータセットが、時間経過にわたって取得された対象の複数のグルコース測定値、および複数のグルコース測定値の各それぞれのグルコース測定値２３０に対する、時間経過中でそれぞれのグルコース測定値がいつ取られたかを表す対応するタイムスタンプ２３２を含む、第１のデータセット２２８を入手することと、
（Ｂ）小さいグルコース測定値およびインスリン状態インジケータ２１１の状態に基づいて、タイトレーショングルコースレベル２４６を入手することであって、
（ｉ）タイトレーショングルコースレベルを識別するために使用される第１のデータセットにおけるグルコース測定値２３６を含む期間を定義する、時間経過内の一次時間枠２３３を入手すること、
（ｉｉ）一次時間枠２３３内の小さいグルコース測定値のサブセットとして識別される、小さいグルコース測定値のタイトレーションサブセット２４０、２６９、２７３を識別すること、
（ｉｉｉ）小さいグルコース測定値のタイトレーションサブセット２４０、２６９、２７３の尺度の中心傾向２４４、２６８、２７４として算出された、タイトレーショングルコースレベル２４６を入手することであって、尺度の中心傾向が、一次時間枠の小さいグルコース測定値の尺度を表す、タイトレーショングルコースレベル２４６を入手すること、および
（ｉｖ）タイトレーショングルコースレベル２４６を尺度の中心傾向２４４、２６８、２７４と関連付けること、によってタイトレーショングルコースレベル２４６を入手することと、
（Ｃ）入手されたタイトレーショングルコースレベル２４６に基づいて、持続型インスリン薬剤投与量２１６を調節または維持すること、の方法を実施する、デバイス。
【０１５１】
２．ステップＢでのタイトレーショングルコースレベル２４６を入手することが、
インスリン状態インジケータの状態に基づいて、次の評価モード：
（Ｂ１）第１の評価モードでの一次時間枠では、（ｉ）小さいグルコース測定値のタイトレーションサブセット２４０用に選択されるグルコース測定回数を定義する整数２３４を入手し、（ｉｉ）最も小さいグルコース測定値のサブセットとして、一次時間枠２３３内の最も小さいグルコース測定値を識別および選択することによって、小さいグルコース測定値のタイトレーションサブセット２４０を識別および選択し、小さいグルコース測定値のタイトレーションサブセット２４０内の測定回数が、入手した整数２３４と等しいことを確認し、（ｉｉｉ）第１のグルコース尺度の中心傾向２４４として、かつ小さいグルコース測定値のサブセット２４０内のグルコース測定値の尺度の中心傾向として算出された尺度の中心傾向を入手し、
タイトレーショングルコースレベル２４６を第１のグルコース尺度の中心傾向２４４と関連付けるモード、
（Ｂ２）第２の評価モードの一次時間枠２３３では、一次時間枠２３３内の複数の同時に重複する二次時間枠２６０を入手し、各二次時間枠２６２が、一次時間枠２３３でのグルコース測定値のサブセット２３６である、重複するグルコース測定値のサブセット２６４を含み、
複数の二次時間枠２６０内の各二次時間枠２６２では、対応する第２のグルコース尺度の中心傾向２６７を算出し、それにより複数の第２のグルコース尺度の中心傾向２６７を入手し、各それぞれの第２のグルコース尺度の中心傾向が、対応する二次時間枠２６２内のグルコース測定値の尺度の中心傾向として算出され、それにより一次時間枠でのグルコース測定値にわたる尺度の中心傾向の移動期間を入手し、
複数の第２のグルコース尺度の中心傾向では、最も小さい第２のグルコース尺度の中心傾向２６８を複数の第２のグルコース尺度の中心傾向内の最も小さい第２のグルコース尺度の中心傾向として識別し、それにより、小さいグルコース測定値のタイトレーションサブセット２６９が、最も小さい第２のグルコース尺度の中心傾向２６８に対応する二次時間枠２６２内のグルコース測定値を含むサブセットとして識別され、
タイトレーショングルコースレベル２４６を最も小さい第２のグルコース尺度の中心傾向２６８と関連付けるモード、または
（Ｂ３）第３の評価モードの一次時間枠２３３では、一次時間枠２３３内の複数の同時に重複する二次時間枠２６０を入手し、各二次時間枠２６２が、一次時間枠２３３でのグルコース測定値のサブセット２３６である、重複するグルコース測定値のサブセット２６４を含み、
複数の二次時間枠２６０内の各二次時間枠２６２では、対応するグルコース尺度の変動２７１を算出し、それにより複数のグルコース尺度の変動を入手し、各それぞれのグルコース尺度の変動２７１が、対応する二次時間枠２６２内のグルコース測定値の尺度の変動として算出され、それにより一次時間枠でのグルコース測定値にわたる尺度の変動の移動期間を入手し、
複数のグルコース尺度の変動では、最も小さいグルコース尺度の変動２７２を複数のグルコース尺度の変動内の最も小さいグルコース尺度の変動として識別し、それにより、小さいグルコース測定値のタイトレーションサブセット２７３が、最も小さいグルコース尺度の変動２７２に対応する二次時間枠２６２内のグルコース測定値を含むサブセットとして識別され、
最も小さい第３のグルコース尺度の中心傾向２７４を、小さいグルコース測定値のタイトレーションサブセット２７３の尺度の中心傾向として算出し、
タイトレーショングルコースレベル２４６を最も小さい第３のグルコース尺度の中心傾向２７４と関連付けるモード、のうちの１つを選択することをさらに含む、実施形態１に記載のデバイス。
【０１５２】
３．方法が、
インスリン状態インジケータ２１１の状態を識別することに応じて、インスリン状態インジケータの状態が持続型インスリンのみの影響状態として識別されると、第１または第２の評価モードを選択し、それにより速効型インスリン薬剤がグルコース測定値２３６に影響していないことが確認されると、持続型インスリン薬剤を用いるタイトレーションに好ましいタイトレーショングルコースレベル２４６を入手するための好ましい方法を使用することをさらに含む、実施形態１または２のいずれかに記載のデバイス。
【０１５３】
４．方法が、
インスリン状態インジケータ３１０の状態を識別することに応じて、
インスリン状態インジケータの状態が速効型インスリンの影響状態として識別されると、第３の評価モードを選択し、それにより速効型インスリン薬剤がグルコース測定値２３６に影響し得ることが識別されると、持続型インスリン薬剤を用いるタイトレーションに好ましいタイトレーショングルコースレベル２４６を入手するための好ましい方法を使用することをさらに含む、実施形態１または２のいずれかに記載のデバイス。
【０１５４】
５．尺度の変動２７１が、分散である、実施形態２〜４のいずれか１つに記載のデバイス。
【０１５５】
６．尺度の中心傾向２４４、２６８、２７４が平均値である、実施形態１〜５のいずれか１つに記載のデバイス。
【０１５６】
７．方法が、繰り返し基準で繰り返される、実施形態１〜６のいずれか１つに記載のデバイス。
【０１５７】
８．方法が、
対象によって使用された１つ以上のインスリンペン１０４から規定のインスリンレジメンを適用するための第２のデータセット３２０を入手することであって、第２のデータセットが時間経過にわたる複数のインスリン薬剤記録を含み、複数の薬剤記録の各インスリン薬剤記録３２１が、（ｉ）１つ以上のインスリンペン１０４のそれぞれのインスリンペンを使用して対象へのインスリン薬剤注入を表す、それぞれのインスリン薬剤注入イベント３２２、および（ｉｉ）それぞれのインスリン薬剤注入イベントの発生時にそれぞれのインスリンペンによって自動的に生成される、対応する電子タイムスタンプ３２３、を含む、第２のデータセットを入手すること、
第１の評価モードでの第１のグルコース尺度の中心傾向２４４では、第１のグルコース尺度の中心傾向を評価期間を表す三次時間枠３３０と関連付けることであって、三次時間枠の最近の終点６１４が、一次時間枠２３３の最近の終点６１２と同期され、一次枠および三次枠が同じ長さである、第１のグルコース尺度の中心傾向を評価期間を表す三次時間枠と関連付けること、
第２の評価モードでの複数の第２のグルコース尺度の中心傾向では、各それぞれの第２のグルコース尺度の中心傾向２６７を、それぞれの第２のグルコース尺度の中心傾向の評価の時間を表す時間インジケータ３３１と関連付けることであって、それにより評価期間を表す三次時間枠３３０を定義する複数の時間インジケータを入手し、三次時間枠の最近の終点６１４が、一次時間枠の最近の終点６１２と同期され、三次時間枠３３０の長さ６１５が、一次時間枠２３３の長さ６１３よりも短い、それぞれの第２のグルコース尺度の中心傾向の評価の時間を表す時間インジケータ３３１と関連付けること、または
第３の評価モードでの複数のグルコース尺度の変動では、各それぞれのグルコース尺度の変動２６７を、それぞれのグルコース尺度の変動の評価の時間を表す時間インジケータ３３１と関連付けることであって、それにより評価期間を表す三次時間枠３３０を定義する複数の時間インジケータを入手し、三次時間枠の最近の終点６１４が、一次時間枠の最近の終点６１２と同期され、三次時間枠３３０の長さ６１５が、一次時間枠２３３の長さ６１３よりも短い、それぞれのグルコース尺度の変動の評価の時間を表す時間インジケータ３３１と関連付けること、ならびに
タイトレーショングルコースレベル２４６を、三次時間枠３３０と関連付けること、
三次時間枠３３０に第１の特徴解析３３５を適用することであって、
第１の特徴解析３３５が、基礎レジメン適合および基礎レジメン不適合のうちの１つであり、
第２のデータセット３２０が、一時的かつ定量的基準に基づいて、それぞれの三次時間枠３３０の間の規定の基礎インスリン薬剤投与量レジメン２１２との適合を確証する１つ以上の薬剤記録を含むと、三次時間枠３３０が基礎レジメン適合と見なされ、
第２のデータセット３２０が、一時的かつ定量的基準に基づいて、三次時間枠３３０の間の規定の基礎インスリン薬剤投与量レジメン２１２との適合を確証する１つ以上の薬剤記録を含み損なうと、三次時間枠が基礎レジメン不適合と見なされ、
対象の基礎インスリン薬剤投与量レジメン２１４における持続型インスリン薬剤投与量２１６を調節することが、基礎レジメン適合と見なされる三次時間枠３３０によって表されるタイトレーショングルコースレベル２４４に基づき、かつ基礎レジメン不適合と見なされる三次時間枠３３０によって表されるタイトレーショングルコースレベル２４４を除外することによる、第１の特徴解析を適用することと、をさらに含む、実施形態２〜７のいずれか１つに記載のデバイス。
【０１５８】
９．第１のデータ構造が、複数の連続するエポックを含み、各それぞれのエポック２１８が、それぞれのエポック２１８内で基礎インスリン薬剤が注入されるとき、および基礎インスリン薬剤が注入される量を示す基礎インスリン薬剤投与量２１６と関連付けられ、それにより第１の特徴解析の一時的かつ定量的基準を提供する、実施形態１〜８のいずれかに記載のデバイス。
【０１５９】
１０．三次枠３３０の長さ６１５が、エポック２１８の各々の長さ６１９よりも長いか、または同じである、実施形態８および９に記載のデバイス。
【０１６０】
１１．三次時間枠の終点６１４が、現在のエポックの終点６１８と同期され、現在のエポックが複数のエポック内の最近完了したエポックである、実施形態８〜１０のいずれかに記載のデバイス。
【０１６１】
１２．複数のエポックの各それぞれのエポック２１８が、三次時間枠３３０と関連付けられ、それにより各三次時間枠が評価期間を表し、各三次枠が一時的基準に基づくそれぞれのエポックにアラインされ、各三次時間枠３３０がタイトレーショングルコースレベル２４６と関連付けられている、複数の三次時間枠を入手する、実施形態９に記載のデバイス。
【０１６２】
１３．第１のデータ構造が、複数のエポック内のエポック２１８の各々の、持続型インスリン薬剤の投与の一時的かつ定量的基準の特定を含む、実施形態１〜１２のいずれかに記載のデバイス。
【０１６３】
１４．持続型インスリン薬剤の定量的基準が、タイトレーショングルコースレベルに相関する、実施形態８〜１３のいずれかに記載のデバイス。
【０１６４】
１５．一時的基準が、複数のエポック内の各エポック２１８の１回の注入として特定される、実施形態９〜１４のいずれかに記載のデバイス。
【０１６５】
１６．複数のエポックの各エポック２１８が、暦日または暦週である、実施形態９〜１５のいずれかに記載のデバイス。
【０１６６】
１７．複数のグルコース測定値の連続する測定値が、５分以下、３分以下、または１分以下の間隔で自律的に対象から取得される、実施形態１〜１６のいずれかに記載のデバイス。
【０１６７】
１８．デバイスが、さらにワイヤレス受信機２８４を備え、第１のデータセットが、対象に取り付けられたグルコースセンサ１０２からワイヤレスで入手され、かつ／あるいは第２のデータセットが、１つ以上のインスリンペン１０４からワイヤレスで入手される、実施形態１〜１７のいずれかに記載のデバイス。
【０１６８】
１９．第１のデータ構造が、低血糖リスク状態インジケータであって、低血糖リスク状態インジケータが、対象が高い低血糖リスクを有し得るか、あるいは複数のグルコース測定値にわたる高い変動が観察され得る高い低血糖リスク状態、および対象が高くない低血糖リスクを有し得るか、あるいは複数のグルコース測定値にわたる低い変動が観察され得る高くない低血糖リスク状態を示すことができる、低血糖リスク状態インジケータをさらに含み、方法が、
低血糖リスク状態インジケータの状態を識別することに応じて、
低血糖リスク状態インジケータの状態が、高い低血糖リスク状態として識別されると、第１の評価モードを選択し、それにより低グルコース値およびノイズにより感受性の高いタイトレーショングルコースレベル２４６を入手するための方法を使用することを、さらに含む、実施形態１〜１８のいずれかに記載のデバイス。
【０１６９】
２０．二次時間枠が、５０分〜７０分、６０分〜１２０分、１２０分〜１８０分、１８０分〜３００分、または３００〜５００分である、実施形態２〜１９のいずれかに記載のデバイス。
【０１７０】
２１．複数のグルコース測定値の連続する測定値が、４分〜６分の間隔で自律的に対象から取得される、実施形態２〜２０のいずれかに記載のデバイス。
【０１７１】
２２．複数のグルコース測定値の連続する測定値が、４分〜６分の間隔で対象から自律的に取得され、二次時間枠が、５０分〜７０分である、実施形態２〜１９のいずれかに記載のデバイス。
【０１７２】
２３．複数のグルコース測定値の連続する測定値が、４分〜６分の間隔で対象から自律的に取得され、二次時間枠が、１８０分〜３００分である、実施形態２〜１９のいずれかに記載のデバイス。
【０１７３】
２４．複数のグルコース測定値の連続する測定値が、４０分〜８０分の間隔で対象から自律的に取得され、二次時間枠が、１８０分〜３１０分である、実施形態２〜１９のいずれかに記載のデバイス。
【０１７４】
２５．方法が、
対象によって使用された１つ以上のインスリンペン（１０４）からの第２のデータセット（３２０）を入手して、規定のインスリンレジメンを適用することであって、第２のデータセットが時間経過にわたる複数のインスリン薬剤記録を含み、複数の薬剤記録の各インスリン薬剤記録（３２１）が、（ｉ）１つ以上のインスリンペン（１０４）のそれぞれのインスリンペンを使用して対象へのインスリン薬剤注入を表す、それぞれのインスリン薬剤注入イベント（３２２）、および（ｉｉ）それぞれのインスリン薬剤注入イベントの発生時にそれぞれのインスリンペンによって自動的に生成される、対応する電子タイムスタンプ（３２３）、（ｉｉｉ）注入されたインスリン薬剤が速効型インスリン薬剤の種類か、または持続型インスリン薬剤の種類かを示す、インスリン薬剤の種類、を含む、規定のインスリンレジメンを適用することをさらに含む、実施形態１〜２４のいずれか１つに記載のデバイス。
【０１７５】
２６．規定のインスリンレジメンが、ボーラスインスリン薬剤投与量レジメンをさらに含み、ボーラスインスリン薬剤投与量レジメンが、速効型インスリン投与量〔の量〕を特定する、実施形態１〜２５のいずれかに記載のデバイス。
【０１７６】
２７．規定のインスリンレジメン２１２が、速効型インスリン薬剤の作用持続時間をさらに含み、薬剤の作用持続時間が測定可能な薬剤効果が維持される持続時間を特定し、それによりグルコースレベルに影響を与える、実施形態２５または２６のいずれかに記載のデバイス。
【０１７７】
２８．規定のインスリンレジメン２１２が、持続型インスリン薬剤の作用持続時間を含み、薬剤の作用持続時間が測定可能な薬剤効果が維持される持続時間を特定し、それによりグルコースレベルに影響を与える、実施形態２５〜２７のいずれかに記載のデバイス。
【０１７８】
２９．インスリン状態インジケータ２１１が、第２のデータセットおよび速効型インスリン薬剤の作用持続時間に基づいて、速効型インスリンの影響状態を示す、実施形態２５〜２７のいずれかに記載のデバイス。
【０１７９】
３０．インスリン状態インジケータ２１１が、第２のデータセットおよび速効型インスリン薬剤の作用持続時間に基づいて、持続型インスリンのみの影響状態を示す、実施形態２５〜２９のいずれかに記載のデバイス。
【０１８０】
３１．インスリン状態インジケータ２１１が、第２のデータセットおよび持続型インスリン薬剤の作用持続時間に基づいて、持続型インスリンのみの影響状態を示す、実施形態２５〜３０のいずれかに記載のデバイス。
【０１８１】
３２．タイトレーショングルコースレベルに第１の尺度の中心傾向の値を割り当てることによって、タイトレーショングルコースレベル２４６を第１のグルコース尺度の中心傾向２４４と関連付ける、実施形態１〜３１のいずれかに記載のデバイス。
【０１８２】
３３．複数のグルコース測定値中の測定値が、連続グルコースモニタによって自律的に入手される、実施形態１〜３２のいずれかに記載のデバイス。
【０１８３】
３４．    タイトレーショングルコースレベル２４６が、持続型インスリン薬剤投与量２１６を維持または調節するためのアルゴリズムへの入力として使用されるグルコースレベルである、実施形態１〜３３のいずれかに記載のデバイス。
【０１８４】
３５．タイトレーショングルコースレベルを識別するために使用される第１のデータセットのグルコース測定値２３６が、小さいグルコース測定値のタイトレーションサブセット２４０、２６９、２７３を含む、実施形態１〜３４のいずれかに記載のデバイス。
【０１８５】
３６．小さいグルコース測定値のタイトレーションサブセット２４０、２６９、２７３に含まれるグルコース測定値が、グルコース測定値２３６の下位パーセンタイルよりも小さい値を有し、下位パーセンタイルが、０．１パーセンタイル〜イ５０パーセンタイルの範囲であり、Ｐパーセンタイルが、一次時間枠２３３内のタイトレーションサブセット２４０、２６９、２７３を識別するために使用される第１のデータセットにおけるグルコース測定値２３６のＰ％よりも大きい、最も低いグルコース測定値として定義される、実施形態１〜３５のいずれかに記載のデバイス。
（ｉｉｉ）小さいグルコース測定値のタイトレーションサブセット２４０、２６９、２７３の尺度の中心傾向２４４、２６８、２７４として算出された、タイトレーショングルコースレベル２４６を入手することであって、尺度の中心傾向が、一次時間枠の小さいグルコース測定値の尺度を表す、タイトレーショングルコースレベル２４６を入手すること、および
（ｉｖ）タイトレーショングルコースレベル２４６を尺度の中心傾向２４４、２６８、２７４と関連付けること、
【０１８６】
３７．ステップＢでのタイトレーショングルコースレベル２４６を入手することが、
小さいグルコース測定値のタイトレーションサブセット２４０、２６９、２７３に含まれるグルコース測定値の値が、グルコース測定２３６の下位パーセンタイルよりも小さいことを検証することをさらに含む、実施形態１〜３６のいずれかに記載のデバイス。
【０１８７】
３８．下位パーセンタイルが、５パーセンタイルであり、５パーセンタイルが、タイトレーションサブセット２４０、２６９、２７３を識別するために使用される第１のデータセットのグルコース測定値２３６の５％よりも大きい、最も低いグルコース測定値として定義される、実施形態３６または３７のいずれかに記載のデバイス。
【０１８８】
３９．１つ以上のプロセッサおよびメモリを備えるコンピュータで、対象の規定のインスリンレジメンにおける持続型インスリン薬剤投与量を自律的に調節するための方法であって、
メモリが、
基礎インスリン薬剤投与量レジメン２１４を含む規定のインスリンレジメン２１２であって、基礎インスリン薬剤投与量レジメンが持続型インスリン薬剤投与量２１６の量を特定する、規定のインスリンレジメン２１２と、インスリン状態インジケータ２１１であって、インスリン状態インジケータ２１１が、一次時間枠内のグルコース測定値が速効型インスリン薬剤によって影響され得る速効型インスリンの影響状態、および一次時間枠内のグルコース測定値が持続型インスリン薬剤によって影響され得るが、測定値が速効型インスリン薬剤によって影響され得ない持続型インスリンのみの影響状態を示すことができる、インスリン状態インジケータ２１１と、メモリを含む、第１のデータ構造２１０を記憶し、メモリがさらに命令を記憶し、命令が、１つ以上のプロセッサによって実行されるとき、  
（Ａ）第１のデータセット２２８を入手することであって、第１のデータセットが、時間経過にわたって取得された対象の複数のグルコース測定値、および複数のグルコース測定値の各それぞれのグルコース測定値２３０に対する、時間経過中でそれぞれのグルコース測定値がいつ取られたかを表す対応するタイムスタンプ２３２を含む、第１のデータセット２２８を入手することと、
（Ｂ）小さいグルコース測定値およびインスリン状態インジケータ２１１の状態に基づいて、タイトレーショングルコースレベル２４６を入手することであって、
（ｉ）タイトレーショングルコースレベルを識別するために使用される第１のデータセットにおけるグルコース測定値２３６を含む期間を定義する、時間経過内の一次時間枠２３３を入手すること、
（ｉｉ）一次時間枠（２３３）内の小さいグルコース測定値のサブセットとして識別される、小さいグルコース測定値のタイトレーションサブセット２４０、２６９、２７３を識別すること、
（ｉｉｉ）小さいグルコース測定値のタイトレーションサブセット２４０、２６９、２７３の尺度の中心傾向２４４、２６８、２７４として算出された、タイトレーショングルコースレベル２４６を入手することであって、尺度の中心傾向が、一次時間枠の小さいグルコース測定値の尺度を表す、タイトレーショングルコースレベル２４６を入手すること、および
（ｉｖ）タイトレーショングルコースレベル２４６を尺度の中心傾向２４４、２６８、２７４と関連付けることによって、タイトレーショングルコースレベル２４６を入手することと、
（Ｃ）入手されたタイトレーショングルコースレベル２４６に基づいて、持続型インスリン薬剤投与量２１６を調節または維持すること、の方法を実施する、対象の規定のインスリンレジメンにおける持続型インスリン薬剤投与量を自律的に調節するための方法。
【０１８９】
４０．１つ以上のプロセッサおよびメモリを有するコンピュータによって実行されるとき、実施形態３９の方法を実施する命令を含む、コンピュータプログラム。
【０１９０】
４１．実施形態３９に記載のコンピュータプログラム上に記憶されている、コンピュータ可読データ担体。
【０１９１】
実施形態の第２のリストでは、持続型インスリンレジメンを調節するために適合された基礎タイトレーション調節デバイスが提供され、デバイスは、小さいグルコース測定値に基づいて、タイトレーショングルコースレベルを入手するために適合されている。
【０１９２】
１．対象の規定のインスリンレジメンにおける持続型インスリン薬剤投与量を自律的に調節するための基礎タイトレーション調節デバイス２５０であって、デバイスが、１つ以上のプロセッサ２７４およびメモリ１９２／２９０を備え、メモリが、
基礎インスリン薬剤投与量レジメン２１４を含む規定のインスリンレジメン２１２であって、基礎インスリン薬剤投与量レジメンが、持続型インスリン薬剤投与量２１６の量を特定する、規定のインスリンレジメン２１２と、命令と、を含む、第１のデータ構造２１０を含み、命令が、１つ以上のプロセッサによって実行されるとき、    
（Ａ）第１のデータセット２２８を入手することであって、第１のデータセットが、時間経過にわたって取得された対象の複数のグルコース測定値、および複数のグルコース測定値の各それぞれのグルコース測定値２３０に対する、時間経過中でそれぞれのグルコース測定値がいつ取られたかを表す対応するタイムスタンプ２３２を含む、第１のデータセット２２８を入手することと、
（Ｂ）タイトレーショングルコースレベル２４６を入手することであって、
（ｉ）タイトレーショングルコースレベルを識別するために使用される第１のデータセットにおけるグルコース測定値２３６を含む期間を定義する、時間経過内の一次時間枠２３３を入手すること、
（ｉｉ）一次時間枠２３３内の小さいグルコース測定値のサブセットとして識別される、小さいグルコース測定値のタイトレーションサブセット２４０、２６９、２７３を識別すること、
（ｉｉｉ）小さいグルコース測定値のタイトレーションサブセット２４０、２６９、２７３の尺度の中心傾向２４４、２６８、２７４として算出された、タイトレーショングルコースレベル２４６を入手することであって、尺度の中心傾向が、一次時間枠の小さいグルコース測定値の尺度を表す、タイトレーショングルコースレベル２４６を入手すること、および
（ｉｖ）タイトレーショングルコースレベル２４６を尺度の中心傾向２４４、２６８、２７４と関連付けること、によってタイトレーショングルコースレベル２４６を入手することによって、タイトレーショングルコースレベル２４６を入手することと、
（Ｃ）入手されたタイトレーショングルコースレベル２４６に基づいて、持続型インスリン薬剤投与量２１６を調節または維持すること、の方法を実施する、デバイス。
【０１９３】
２．ステップＢでのタイトレーショングルコースレベル（２４６）を入手することが、
次の評価モード：
（Ｂ１）第１の評価モードでの一次時間枠では、（ｉ）グルコース測定値のサブセット２４０用に選択されるグルコース測定回数を定義する整数２３４を入手し、（ｉｉ）一次時間枠２３３内の最も小さいグルコース測定値を識別および選択することによって、最も小さいグルコース測定値のサブセットとして小さいグルコース測定値のタイトレーションサブセット２４０を識別および選択し、小さいグルコース測定値のタイトレーションサブセット２４０内の測定回数が、入手した整数２３４と等しいことを確認し、（ｉｉｉ）第１のグルコース尺度の中心傾向２４４として、かつ小さいグルコース測定値のサブセット２４０内のグルコース測定値の尺度の中心傾向として算出された尺度の中心傾向を入手し、
タイトレーショングルコースレベル２４６を第１のグルコース尺度の中心傾向２４４と関連付けるモード、
（Ｂ２）第２の評価モードの一次時間枠２３３では、一次時間枠（２３３）内の複数の同時に重複する二次時間枠２６０を入手し、各二次時間枠２６２が、一次時間枠２３３でのグルコース測定値のサブセット２３６である、重複するグルコース測定値のサブセット２６４を含み、
複数の二次時間枠２６０内の各二次時間枠２６２では、対応する第２のグルコース尺度の中心傾向２６７を算出し、それにより複数の第２のグルコース尺度の中心傾向２６７を入手し、各それぞれの第２のグルコース尺度の中心傾向が、対応する二次時間枠２６２内のグルコース測定値の尺度の中心傾向として算出され、それにより一次時間枠でのグルコース測定値にわたる尺度の中心傾向の移動期間を入手し、
複数の第２のグルコース尺度の中心傾向では、最も小さい第２のグルコース尺度の中心傾向２６８を複数の第２のグルコース尺度の中心傾向内の最も小さい第２のグルコース尺度の中心傾向として識別し、それにより、小さいグルコース測定値のタイトレーションサブセット２６９が、最も小さい第２のグルコース尺度の中心傾向２６８に対応する二次時間枠２６２内のグルコース測定値を含むサブセットとして識別され、
タイトレーショングルコースレベル２４６を最も小さい第２のグルコース尺度の中心傾向２６８と関連付けるモード、または
（Ｂ３）第３の評価モードの一次時間枠２３３では、一次時間枠２３３内の複数の同時に重複する二次時間枠２６０を入手し、各二次時間枠２６２が、一次時間枠２３３でのグルコース測定値のサブセット（２３６）である、重複するグルコース測定値のサブセット２６４を含み、
複数の二次時間枠２６０内の各二次時間枠２６２では、対応するグルコース尺度の変動２７１を算出し、それにより複数のグルコース尺度の変動を入手し、各それぞれのグルコース尺度の変動２７２が、対応する二次時間枠２６２内のグルコース測定値の尺度の変動として算出され、それにより一次時間枠でのグルコース測定値にわたる尺度の変動の移動期間を入手し、
複数のグルコース尺度の変動では、最も小さいグルコース尺度の変動２７２を複数のグルコース尺度の変動内の最も小さいグルコース尺度の変動として識別し、それにより、小さいグルコース測定値のタイトレーションサブセット２７３が、最も小さいグルコース尺度の変動２７２に対応する二次時間枠２６２内のグルコース測定値を含むサブセットとして識別され、
最も小さい第３のグルコース尺度の中心傾向２７４を、小さいグルコース測定値のタイトレーションサブセット２７３の尺度の中心傾向として算出し、
タイトレーショングルコースレベル２４６を最も小さい第３のグルコース尺度の中心傾向２７４と関連付けるモード、のうちの１つを選択することをさらに含む、実施形態１に記載のデバイス。
【０１９４】
実施形態の第３のリストでは、持続型インスリンレジメンを調節するために適合された基礎タイトレーション調節デバイスが提供され、デバイスは、小さいグルコース測定値に基づいて、タイトレーショングルコースレベルを入手するために適合されている。
【０１９５】
１．対象の規定の基礎インスリンレジメンにおける持続型インスリン薬剤投与量を自律的に調節するための基礎タイトレーション調節デバイス２５０であって、デバイスが、１つ以上のプロセッサ２７４およびメモリ１９２／２９０を備え、メモリが、
基礎インスリン薬剤投与量レジメン２１４を含む規定のインスリンレジメン２１２であって、基礎インスリン薬剤投与量レジメンが、持続型インスリン薬剤投与量２１６の量を特定する、規定のインスリンレジメン２１２と、命令と、を含み、命令が、１つ以上のプロセッサによって実行されるとき、
（Ａ）第１のデータセット２２８を入手することであって、第１のデータセットが、時間経過にわたって取得された対象の複数のグルコース測定値、および複数のグルコース測定値の各それぞれのグルコース測定値２３０に対する、時間経過中でそれぞれのグルコース測定値がいつ取られたかを表す対応するタイムスタンプ２３２を含む、第１のデータセット２２８を入手することと、
（Ｂ）持続型インスリン薬剤投与量を維持または調節するためのアルゴリズムへの入力値として使用されるグルコースレベルであるタイトレーショングルコースレベル２４６を入手することであって、タイトレーショングルコースレベルが、小さいグルコース測定値のタイトレーションサブセットに基づき、
（ｉ）小さいグルコース測定値のタイトレーションサブセット２４０、２６９、２７３を識別するため、かつ一次時間枠２３３のタイトレーショングルコースレベルを入手するために使用される、第１のデータセットのグルコース測定値２３６を含む期間を定義する時間経過内の一次時間枠２３３を入手することであって、グルコース測定値２３６の各々が、一次時間枠２３３内のタイムスタンプ２３２を有する、時間経過内の一次時間枠を入手すること、
（ｉｉ）一次時間枠２３３内の小さいグルコース測定値のサブセットとして識別される、小さいグルコース測定値のタイトレーションサブセット２４０、２６９、２７３を識別すること、
（ｉｉｉ）小さいグルコース測定値のタイトレーションサブセット２４０、２６９、２７３の尺度の中心傾向２４４、２６８、２７４として算出された、タイトレーショングルコースレベル２４６を入手することであって、尺度の中心傾向が、一次時間枠の小さいグルコース測定値の尺度を表す、タイトレーショングルコースレベル２４６を入手すること、および
（ｉｖ）タイトレーショングルコースレベルに尺度の中心傾向の値を割り当てることによって、タイトレーショングルコースレベル２４６を尺度の中心傾向２４４、２６８、２７４と関連付けること、によってタイトレーショングルコースレベル２４６を入手することと、
（Ｃ）入手されたタイトレーショングルコースレベル２４６に基づいて、持続型インスリン薬剤投与量２１６を調節または維持すること、の方法を実施する、デバイス。
【０１９６】
２．ステップＢでのタイトレーショングルコースレベル（２４６）を入手することが、
次の評価モード：
（Ｂ１）第１の評価モードでの一次時間枠では、（ｉ）グルコース測定値のサブセット２４０用に選択されるグルコース測定回数を定義する整数２３４を入手し、（ｉｉ）一次時間枠２３３内の最も小さいグルコース測定値を識別および選択することによって、最も小さいグルコース測定値のサブセットとして小さいグルコース測定値のタイトレーションサブセット２４０を識別および選択し、小さいグルコース測定値のタイトレーションサブセット２４０内の測定回数が、入手した整数２３４と等しいことを確認し、（ｉｉｉ）第１のグルコース尺度の中心傾向２４４として、かつ小さいグルコース測定値のサブセット２４０内のグルコース測定値の尺度の中心傾向として算出された尺度の中心傾向を入手し、
タイトレーショングルコースレベル２４６を第１のグルコース尺度の中心傾向２４４と関連付けるモード、のうちの１つを選択することをさらに含む、実施形態１に記載のデバイス。
【０１９７】
３．ステップＢでのタイトレーショングルコースレベル（２４６）を入手することが、
（Ｂ２）第２の評価モードの一次時間枠２３３では、一次時間枠（２３３）内の複数の同時に重複する二次時間枠２６０を入手し、各二次時間枠２６２が、一次時間枠２３３でのグルコース測定値のサブセット２３６である、重複するグルコース測定値のサブセット２６４を含み、
複数の二次時間枠２６０内の各二次時間枠２６２では、対応する第２のグルコース尺度の中心傾向２６７を算出し、それにより複数の第２のグルコース尺度の中心傾向２６７を入手し、各それぞれの第２のグルコース尺度の中心傾向が、対応する二次時間枠２６２内のグルコース測定値の尺度の中心傾向として算出され、それにより一次時間枠でのグルコース測定値にわたる尺度の中心傾向の移動期間を入手し、
複数の第２のグルコース尺度の中心傾向では、最も小さい第２のグルコース尺度の中心傾向２６８を複数の第２のグルコース尺度の中心傾向内の最も小さい第２のグルコース尺度の中心傾向として識別し、それにより、小さいグルコース測定値のタイトレーションサブセット２６９が、最も小さい第２のグルコース尺度の中心傾向２６８に対応する二次時間枠２６２内のグルコース測定値を含むサブセットとして識別され、
タイトレーショングルコースレベル２４６を最も小さい第２のグルコース尺度の中心傾向２６８と関連付けること、をさらに含む、実施形態１に記載のデバイス。
【０１９８】
４．ステップＢでのタイトレーショングルコースレベル（２４６）を入手することが、
小さいグルコース測定値のタイトレーションサブセット用に選択されるグルコース測定回数を定義するタイトレーションパーセンタイルを定義するパーセンテージを入手すること、（ｉｉ）グルコース測定値（２３６）のタイトレーションパーセンタイルによって定義されるグルコース測定値を識別および選択することによって、最も小さいグルコース測定値のサブセットとして小さいグルコース測定値のタイトレーションサブセットを識別および選択することであって、タイトレーションパーセンタイルが、０．１パーセンタイル〜５０パーセンタイルの範囲であり、下位パーセンタイル以下であり、Ｐパーセンタイルが、一次時間枠（２３３）内のタイトレーションサブセットを識別するために使用される第１のデータセットにおけるグルコース測定値（２３６）のＰ％よりも大きい、最も低いグルコース測定値として定義される、小さいグルコース測定値のタイトレーションサブセットを識別および選択すること、（ｉｉｉ）第４のグルコース尺度の中心傾向として、かつ小さいグルコース測定値のサブセット（２４０）内のグルコース測定値の尺度の中心傾向として算出された、尺度の中心傾向を入手すること、ならびに
タイトレーショングルコースレベルに第４の尺度の中心傾向の値を割り当てることによって、タイトレーショングルコースレベル（２４６）を第４のグルコース尺度の中心傾向（２４４）と関連付けること、をさらに含む、実施形態１に記載のデバイス。
【０１９９】
５．複数のグルコース測定値中の測定値が、連続グルコースモニタによって対象から自律的に入手される、実施形態１〜４のいずれかに記載のデバイス。
【０２００】
実施形態の第４のリストでは、持続型インスリンレジメンを調節するために適合された基礎タイトレーション調節デバイスが提供され、デバイスは、小さいグルコース測定値に基づいて、タイトレーショングルコースレベルを入手するために適合されている。
【０２０１】
１．対象の規定のインスリンレジメンにおける持続型インスリン薬剤投与量を自律的に調節するための基礎タイトレーション調節デバイス２５０であって、デバイスが、１つ以上のプロセッサ２７４およびメモリ１９２／２９０を備え、メモリが、
基礎インスリン薬剤投与量レジメン２１４を含む規定のインスリンレジメン２１２であって、基礎インスリン薬剤投与量レジメンが、持続型インスリン薬剤投与量２１６の量を特定する、規定のインスリンレジメン２１２と、命令と、を含み、命令が、１つ以上のプロセッサによって実行されるとき、    
（Ａ）第１のデータセット２２８を入手することであって、第１のデータセットが、時間経過にわたって取得された対象の複数のグルコース測定値、および複数のグルコース測定値の各それぞれのグルコース測定値２３０に対する、時間経過中でそれぞれのグルコース測定値がいつ取られたかを表す対応するタイムスタンプ２３２を含む、第１のデータセット２２８を入手することと、
（Ｂ）持続型インスリン薬剤投与量を維持または調節するためのアルゴリズムへの入力値として使用されるグルコースレベルであるタイトレーショングルコースレベル２４６を入手することであって、タイトレーショングルコースレベルが、小さいグルコース測定値のタイトレーションサブセットに基づき、
（ｉ）小さいグルコース測定値のタイトレーションサブセット２４０、２６９、２７３を識別するため、かつ一次時間枠２３３のタイトレーショングルコースレベルを入手するために使用される、第１のデータセットのグルコース測定値２３６を含む期間を定義する時間経過内の一次時間枠２３３を入手することであって、グルコース測定値２３６の各々が、一次時間枠２３３内のタイムスタンプ２３２を有する、時間経過内の一次時間枠を入手すること、
（ｉｉ）一次時間枠２３３内の小さいグルコース測定値のサブセットとして識別される、小さいグルコース測定値のタイトレーションサブセット２４０、２６９、２７３を識別すること、
（ｉｉｉ）小さいグルコース測定値のタイトレーションサブセット２４０、２６９、２７３の尺度の中心傾向２４４、２６８、２７４として算出された、タイトレーショングルコースレベル２４６を入手することであって、尺度の中心傾向が、一次時間枠の小さいグルコース測定値の尺度を表す、タイトレーショングルコースレベル２４６を入手すること、および
（ｉｖ）タイトレーショングルコースレベルに尺度の中心傾向の値を割り当てることによって、タイトレーショングルコースレベル２４６を尺度の中心傾向２４４、２６８、２７４と関連付けること、によってタイトレーショングルコースレベル２４６を入手することと、
（Ｃ）入手されたタイトレーショングルコースレベル２４６に基づいて、持続型インスリン薬剤投与量２１６を調節または維持すること、の方法を実施する、デバイス。
【０２０２】
２．ステップＢでのタイトレーショングルコースレベル（２４６）を入手することが、
次の評価モード：
（Ｂ１）第１の評価モードでの一次時間枠では、（ｉ）グルコース測定値のサブセット２４０用に選択されるグルコース測定回数を定義する整数２３４を入手し、（ｉｉ）一次時間枠２３３内の最も小さいグルコース測定値を識別および選択することによって、最も小さいグルコース測定値のサブセットとして小さいグルコース測定値のタイトレーションサブセット２４０を識別および選択し、小さいグルコース測定値のタイトレーションサブセット２４０内の測定回数が、入手した整数２３４と等しいことを確認し、（ｉｉｉ）第１のグルコース尺度の中心傾向２４４として、かつ小さいグルコース測定値のサブセット２４０内のグルコース測定値の尺度の中心傾向として算出された尺度の中心傾向を入手し、
タイトレーショングルコースレベル２４６を第１のグルコース尺度の中心傾向２４４と関連付けるモード、のうちの１つを選択することをさらに含む、実施形態１に記載のデバイス。
【０２０３】
３．ステップＢでのタイトレーショングルコースレベル（２４６）を入手することが、
（Ｂ２）第２の評価モードの一次時間枠２３３では、一次時間枠（２３３）内の複数の同時に重複する二次時間枠２６０を入手し、各二次時間枠２６２が、一次時間枠２３３でのグルコース測定値のサブセット２３６である、重複するグルコース測定値のサブセット２６４を含み、
複数の二次時間枠２６０内の各二次時間枠２６２では、対応する第２のグルコース尺度の中心傾向２６７を算出し、それにより複数の第２のグルコース尺度の中心傾向２６７を入手し、各それぞれの第２のグルコース尺度の中心傾向が、対応する二次時間枠２６２内のグルコース測定値の尺度の中心傾向として算出され、それにより一次時間枠でのグルコース測定値にわたる尺度の中心傾向の移動期間を入手し、
複数の第２のグルコース尺度の中心傾向では、最も小さい第２のグルコース尺度の中心傾向２６８を複数の第２のグルコース尺度の中心傾向内の最も小さい第２のグルコース尺度の中心傾向として識別し、それにより、小さいグルコース測定値のタイトレーションサブセット２６９が、最も小さい第２のグルコース尺度の中心傾向２６８に対応する二次時間枠２６２内のグルコース測定値を含むサブセットとして識別され、
タイトレーショングルコースレベル２４６を最も小さい第２のグルコース尺度の中心傾向２６８と関連付けること、をさらに含む、実施形態１に記載のデバイス。
【０２０４】
４．規定のインスリンレジメン２１２が、速効型インスリン薬剤の作用持続時間をさらに含み、薬剤の作用持続時間が測定可能な薬剤効果が維持される持続時間を特定し、それによりグルコースレベルに影響を与える、実施形態１〜３のいずれかに記載のデバイス。
【０２０５】
５．規定のインスリンレジメン２１２が、持続型インスリン薬剤の作用持続時間を含み、薬剤の作用持続時間が測定可能な薬剤効果が維持される持続時間を特定し、それによりグルコースレベルに影響を与える、実施形態１〜４のいずれかに記載のデバイス。
【０２０６】
６．方法が、
対象によって使用された１つ以上のインスリンペン１０４からの第２のデータセット３２０を入手して、規定のインスリンレジメンを適用することであって、第２のデータセットが時間経過にわたる複数のインスリン薬剤記録を含み、複数の薬剤記録の各インスリン薬剤記録３２１が、（ｉ）１つ以上のインスリンペン１０４のそれぞれのインスリンペンを使用して対象へのインスリン薬剤注入を表す、それぞれのインスリン薬剤注入イベント３２２、および（ｉｉ）それぞれのインスリン薬剤注入イベントの発生時にそれぞれのインスリンペンによって自動的に生成される、対応する電子タイムスタンプ３２３、（ｉｉｉ）注入されたインスリン薬剤が速効型インスリン薬剤の種類か、または持続型インスリン薬剤の種類かを示す、インスリン薬剤の種類、を含む、規定のインスリンレジメンを適用することをさらに含み、方法が、（ｉ）第２のデータセットおよび作用持続時間を使用して、速効型インスリンによって影響されていない一次時間枠２３３内のグルコース測定値を入手することをさらに含み、小さいグルコース測定値のタイトレーションサブセットが、速効型インスリンによって影響されていない一次時間枠２３３内のグルコース測定値内で識別される、実施形態１〜５のいずれか１つに記載のデバイス。
【０２０７】
７．複数のグルコース測定値中の測定値が、連続グルコースモニタによって対象から自律的に入手される、実施形態１〜６のいずれかに記載のデバイス。
【０２０８】
引用された参考文献および代替的な実施形態
本明細書に引用されたすべての参考文献は、各個々の出版物、または特許、または特許出願が、すべての目的のためにその全体が参照により組み込まれるように具体的かつ個々に示されるのと同じ程度の範囲で、それらの全体が参照により、すべての目的のために本明細書に組み込まれる。
【０２０９】
本発明は、非一時的コンピュータ可読記憶媒体に埋め込まれたコンピュータプログラム機構を備える、コンピュータプログラム製品として実装され得る。例えば、コンピュータプログラム製品は、図１、２、または３の任意の組み合わせに示されている、および／または図４に記載のプログラムモジュールを収容し得る。これらのプログラムモジュールは、ＣＤ−ＲＯＭ、ＤＶＤ、磁気ディスク記憶媒体製品、または任意の他の非一時的コンピュータ可読データまたはプログラム記憶媒体製品に記憶することができる。
【０２１０】
本発明の多くの修正および変形は、当業者に明らかであるように、その趣旨および範囲を逸脱することなく行うことができる。本明細書に記載の特定の実施形態は、例としてのみ提供される。本発明およびその実用的用途の原理を最もよく説明するために実施形態を選択および説明しており、それにより、企図される特定の使用に適する様々な修正を用いて、当業者が本発明および様々な実施形態を最良に利用できることを可能にする。本発明は、かかる特許請求の範囲が権利を有する等価物の全範囲を含む、添付の特許請求の範囲の用語によってのみ限定される。
【図１】
2020524844.tif 000012
【図２Ａ】
2020524844.tif 000013
【図２Ｂ】
2020524844.tif 000014
【図２Ｃ】
2020524844.tif 000015
【図２Ｄ】
2020524844.tif 000016
【図３Ａ】
2020524844.tif 000017
【図３Ｂ】
2020524844.tif 000018
【図３Ｃ】
2020524844.tif 000019
【図３Ｄ】
2020524844.tif 000020
【図４Ａ】
2020524844.tif 000021
【図４Ｂ】
2020524844.tif 000022
【図４Ｃ】
2020524844.tif 000023
【図４Ｄ】
2020524844.tif 000024
【図５】
2020524844.tif 000025
【図６Ａ】
2020524844.tif 000026
【図６Ｂ】
2020524844.tif 000027
【図６Ｃ】
2020524844.tif 000028
【図６Ｄ】
2020524844.tif 000029
【図６Ｅ】
2020524844.tif 000030
【図６Ｆ】
2020524844.tif 000031
【図７Ａ】
2020524844.tif 000032
【図７Ｂ】
2020524844.tif 000033
【図７Ｃ】
2020524844.tif 000034
【図７Ｄ】
2020524844.tif 000035
【図７Ｅ】
2020524844.tif 000036
【図７Ｆ】
2020524844.tif 000037
【国際調査報告】
2020524844.tif 000038
2020524844.tif 000039